(57)【特許請求の範囲】
【請求項１】
画像データに基づく画像に写り込んでいる人物を特定する人物特定部と、
上記人物特定部により特定された上記人物の嗜好を抽出する嗜好抽出部と、
上記嗜好抽出部により抽出された上記嗜好に基づき、当該嗜好に合った音声の音声データを検索する検索部と、
上記画像データに基づく上記画像の表示中の、上記検索部により検索された上記音声データの再生順序を規定するプレイリストを作成するプレイリスト作成部と、
上記画像データに基づく上記画像の表示時間を選択するために用いられる操作部と
を具え、
上記嗜好抽出部は、
上記人物特定部により、上記画像データに基づく上記画像に写り込んでいる複数の人物が特定された場合、上記操作部を介して選択された上記表示時間に応じて、上記複数の人物に共通な上記嗜好と、当該複数の人物それぞれの上記嗜好との何れか一方を抽出する
プレイリスト作成装置。
【請求項２】
上記検索部は、
上記嗜好抽出部により抽出された上記嗜好と、現在の状況を示す現在情報とに基づき、上記嗜好及び上記現在情報に合った上記音声の上記音声データを検索する
請求項１に記載のプレイリスト作成装置。
【請求項３】
上記プレイリストに従った上記音声データの再生中に、当該音声データの検索に使用された上記嗜好を有する上記人物を提示する人物提示部
を具える請求項１又は請求項２に記載のプレイリスト作成装置。
【請求項４】
上記プレイリストに従った上記音声データの再生中に、当該音声データの検索理由を提示する理由提示部
を具える請求項１乃至請求項３の何れかに記載のプレイリスト作成装置。
【請求項５】
上記理由提示部による上記検索理由の提示をきっかけとして実行可能な１又は複数の処理を通知する通知部
を具える請求項４に記載のプレイリスト作成装置。
【請求項６】
人物特定部が、画像データに基づく画像に写り込んでいる人物を特定する人物特定ステップと、
嗜好抽出部が、上記人物特定ステップで上記人物特定部により特定された上記人物の嗜好を抽出する嗜好抽出ステップと、
検索部が、上記嗜好抽出ステップで上記嗜好抽出部により抽出された上記嗜好に基づき、当該嗜好に合った音声の音声データを検索する検索ステップと、
プレイリスト作成部が、上記画像データに基づく上記画像の表示中の、上記検索ステップで上記検索部により検索された上記音声データの再生順序を規定するプレイリストを作成するプレイリスト作成ステップと
を具え、
上記嗜好抽出ステップは、
上記嗜好抽出部が、上記人物特定ステップで上記人物特定部により上記画像データに基づく上記画像に写り込んでいる複数の人物が特定された場合、上記画像データに基づく上記画像の表示用に選択された表示時間に応じて、上記複数の人物に共通な上記嗜好と、当該複数の人物それぞれの上記嗜好との何れか一方を抽出する
プレイリスト作成方法。
【請求項７】
コンピュータを
画像データに基づく画像に写り込んでいる人物を特定する人物特定部、
上記人物特定部により特定した上記人物の嗜好を抽出する嗜好抽出部、
上記嗜好抽出部により抽出した上記嗜好に基づき、当該嗜好に合った音声の音声データを検索する検索部、
上記画像データに基づく上記画像の表示中の、上記検索部により検索した上記音声データの再生順序を規定するプレイリストを作成するプレイリスト作成部
として機能させ、
上記嗜好抽出部としては、
上記人物特定部により上記画像データに基づく上記画像に写り込んでいる複数の人物を特定した場合、上記画像データに基づく上記画像の表示用に選択された表示時間に応じて、上記複数の人物に共通な上記嗜好と、当該複数の人物それぞれの上記嗜好との何れか一方を抽出する
ように機能させるためのプレイリスト作成プログラム。
【発明の詳細な説明】
【技術分野】
【０００１】
本発明はプレイリスト作成装置、プレイリスト作成方法及びプレイリスト作成プログラムに関し、例えば、写真画像の表示中に再生する音声データの再生順序を規定したプレイリストを作成するコンテンツ再生システムに適用して好適なものである。
【背景技術】
【０００２】
従来の再生装置は、被写体を撮影して静止画や動画のような画像を生成すると、当該生成した画像を、撮影の日時を示す日時情報を付加して画像ファイルとしてメモリに記録する。
【０００３】
また再生装置は、外部から、音楽の作成や発表等の日時を示す日時情報が付加された音楽ファイルを取り込んでメモリに記録する。
【０００４】
さらに再生装置は、画像ファイルの画像を表示する場合、メモリ内で、当該画像ファイルに付加された日時情報と、少なくとも一部が一致する日時情報が付加された音楽ファイルを検索して、その検索した音楽ファイルを示す再生音楽リストを作成する。
【０００５】
そして再生装置は、画像ファイルを再生しながら、再生音楽リストが示す音楽ファイルを再生することで、画像を表示して見せながら、当該画像の年代に合った音楽を聴かせるようにしていた（例えば、特許文献１参照）。
【０００６】
一方、従来のコンテンツ再生装置は、被写体を撮影して生成された画像ファイルを、撮影日や画像に対して任意に設定されたキーワード等の画像属性情報と対応付けてハードディスクに記録する。
【０００７】
またコンテンツ再生装置は、音楽ファイルを、音楽のリリース年や当該音楽に対して任意に設定されたキーワード等の音楽属性情報と対応付けてハードディスクに記録する。
【０００８】
さらにコンテンツ再生装置は、ユーザの過去の記憶やイメージが年月日やキーワードとして指定されると、画像属性情報を用いて、当該指定された年月日やキーワードに対応する画像ファイルを検索して、当該検索した画像ファイルを示す画像リストを作成する。
【０００９】
さらにコンテンツ再生装置は、音楽属性情報を用いて、その指定された年月日やキーワードに対応する音楽ファイルを検索して、当該検索した音楽ファイルを示す音楽リストを作成すると共に、その検索した音楽ファイルを画像リストの画像ファイルに関連付ける。
【００１０】
そしてコンテンツ再生装置は、画像リスト及び音楽リストに従い、関連付けた画像ファイル及び音楽ファイルを同時に再生することで、ユーザの過去の記憶やイメージに関連付けた画像と音楽とを同時に視聴させるようにしていた（例えば、特許文献２参照）。
【先行技術文献】
【特許文献】
【００１１】
【特許文献１】特開２００９−１１７９７３公報（第７頁、第８頁、第９頁）
【特許文献２】特開２００７−２００４２４公報（第７頁、第１５頁、第２７頁）
【発明の概要】
【発明が解決しようとする課題】
【００１２】
ところが、従来の再生装置やコンテンツ再生装置は、人物が写り込んでいる画像を表示して見せながら、その人物の嗜好に合った音声を聴かせるようには構成されていない。
【００１３】
このため従来の再生装置やコンテンツ再生装置では、画像と音声との新たな楽しみ方を提供し得るとは言い難いと言う問題があった。
【００１４】
本発明は以上の点を考慮してなされたもので、画像と音声との新たな楽しみ方を提供し得るプレイリスト作成装置、プレイリスト作成方法及びプレイリスト作成プログラムを提案しようとするものである。
【課題を解決するための手段】
【００１５】
かかる課題を解決するため本発明においては、プレイリスト作成装置において、画像データに基づく画像に写り込んでいる人物を特定するようにして、当該画像データに基づく画像に写り込んでいる複数の人物を特定した場合、画像データに基づく画像の表示用に選択された表示時間に応じて、複数の人物に共通な嗜好と、当該複数の人物それぞれの嗜好との何れか一方を抽出し、当該抽出した嗜好に基づき、その嗜好に合った音声の音声データを検索して、画像データに基づく画像の表示中の、当該検索した音声データの再生順序を規定するプレイリストを作成するようにした。
【００１６】
従って本発明では、画像データを再生して人物が写り込んでいる画像を任意に選定された表示時間表示しながら、プレイリストに従い音声データを再生して、当該画像に写り込んでいる複数の人物の共通な嗜好に合った音声、又は複数の人物それぞれの嗜好に合った音声を聴かせることができる。
【発明の効果】
【００１７】
本発明によれば、画像データに基づく画像に写り込んでいる人物を特定するようにして、当該画像データに基づく画像に写り込んでいる複数の人物を特定した場合、画像データに基づく画像の表示用に選択された表示時間に応じて、複数の人物に共通な嗜好と、当該複数の人物それぞれの嗜好との何れか一方を抽出し、当該抽出した嗜好に基づき、その嗜好に合った音声の音声データを検索して、画像データに基づく画像の表示中の、当該検索した音声データの再生順序を規定するプレイリストを作成するようにしたことにより、画像データを再生して人物が写り込んでいる画像を任意に選定された表示時間表示しながら、プレイリストに従い音声データを再生して、当該画像に写り込んでいる複数の人物の共通な嗜好に合った音声、又は複数の人物それぞれの嗜好に合った音声を聴かせることができ、かくして画像と音声との新たな楽しみ方を提供し得るプレイリスト作成装置、プレイリスト作成方法及びプレイリスト作成プログラムを実現することができる。
【図面の簡単な説明】
【００１８】
【図１】本実施の形態によるプレイリスト作成装置の構成の概要を示すブロック図である。
【図２】第１の実施の形態によるコンテンツ再生システムの構成を示すブロック図である。
【図３】プレイリスト作成装置の具体例である写真画像表示装置の機能回路ブロックによる回路構成を示すブロック図である。
【図４】画像プレイリストの構成を示す略線図である。
【図５】電話帳データの構成を示す略線図である。
【図６】特定人物リストの構成を示す略線図である。
【図７】特定対象リストの構成を示す略線図である。
【図８】嗜好追加人物リストの構成（１）を示す略線図である。
【図９】嗜好追加人物リストの構成（２）を示す略線図である。
【図１０】嗜好追加人物リストの構成（３）を示す略線図である。
【図１１】検索条件リストの構成（１）を示す略線図である。
【図１２】検索条件リストの構成（２）を示す略線図である。
【図１３】検索条件リストの構成（３）を示す略線図である。
【図１４】検索音声リストの構成（１）を示す略線図である。
【図１５】検索音声リストの構成（２）を示す略線図である。
【図１６】検索音声リストの構成（３）を示す略線図である。
【図１７】音声プレイリストの構成（１）を示す略線図である。
【図１８】音声プレイリストの構成（２）を示す略線図である。
【図１９】音声プレイリストの構成（３）を示す略線図である。
【図２０】音声プレイリストの構成（４）を示す略線図である。
【図２１】現在再生中の検索音声データの検索理由の提示（１）の説明に供する略線図である。
【図２２】現在再生中の検索音声データの検索理由の提示（２）の説明に供する略線図である。
【図２３】現在再生中の検索音声データの検索理由の提示（３）の説明に供する略線図である。
【図２４】検索理由の提示をきっかけとして実行可能な処理の提示の説明に供する略線図である。
【図２５】情報提供装置の機能回路ブロックによる回路構成を示すブロック図である。
【図２６】画像音声再生処理手順を示すフローチャートである。
【図２７】画像プレイリスト作成処理サブルーチンを示すフローチャートである。
【図２８】画像解析処理サブルーチンを示すフローチャートである。
【図２９】被写体特定処理サブルーチンを示すフローチャートである。
【図３０】嗜好抽出処理サブルーチンを示すフローチャートである。
【図３１】検索条件リスト生成処理サブルーチンを示すフローチャートである。
【図３２】検索処理サブルーチンを示すフローチャートである。
【図３３】音声プレイリスト作成処理サブルーチンを示すフローチャートである。
【図３４】画像音声再生処理サブルーチンを示すフローチャートである。
【図３５】検索理由提示処理手順（１）を示すフローチャートである。
【図３６】検索理由提示処理手順（２）を示すフローチャートである。
【図３７】第２の実施の形態によるコンテンツ再生システムの構成を示すブロック図である。
【図３８】プレイリスト作成装置の具体例である写真画像表示装置のハードウェア回路ブロックによる回路構成を示すブロック図である。
【図３９】情報提供装置のハードウェア回路ブロックによる回路構成を示すブロック図である。
【発明を実施するための形態】
【００１９】
以下図面を用いて、発明を実施するための最良の形態（以下、これを実施の形態とも呼ぶ）について説明する。なお、説明は以下の順序で行う。
１．実施の形態の概要
２．第１の実施の形態
３．第２の実施の形態
４．変形例
【００２０】
＜１．実施の形態の概要＞
まず、実施の形態の概要を説明する。因みに、この概要を説明した後、本実施の形態の具体例である第１の実施の形態及び第２の実施の形態の説明に移る。
【００２１】
図１において、１は全体として本実施の形態によるプレイリスト作成装置を示す。係るプレイリスト作成装置１において人物特定部２は、画像データに基づく画像に写り込んでいる人物を特定する。
【００２２】
またプレイリスト作成装置１において嗜好抽出部３は、人物特定部２により特定された人物の嗜好を抽出する。さらにプレイリスト作成装置１において検索部４は、嗜好抽出部３により抽出された嗜好に基づき、当該嗜好に合った音声の音声データを検索する。
【００２３】
そしてプレイリスト作成装置１においてプレイリスト作成部５は、画像データに基づく画像の表示中の、検索部４により検索された音声データの再生順序を規定するプレイリストを作成する。
【００２４】
かかる構成によりプレイリスト作成装置１は、画像データを再生して人物が写り込んでいる画像を表示しながら、プレイリストに従い音声データを再生して、当該画像に写り込んでいる人物の嗜好に合った音声を聴かせることができる。よってプレイリスト作成装置１は、画像と音声との新たな楽しみ方を提供することができる。
【００２５】
＜２．第１の実施の形態＞
［２−１．コンテンツ再生システムの構成］
図２において、１０は全体として、第１の実施の形態によるコンテンツ再生システムを示す。係るコンテンツ再生システム１０は、上述したプレイリスト作成装置１の具体例であるデジタルフォトフレームと呼ばれる写真画像表示装置１１を有している。
【００２６】
そしてコンテンツ再生システム１０は、写真画像表示装置１１がネットワーク１２を介して情報提供装置１３と通信し得るようになされている。
【００２７】
写真画像表示装置１１は、後述するように写真画像データのみを再生する画像単独再生機能、音声データのみを再生する音声単独再生機能、通話機能や電子メールの送受信機能、ネットワーク１２上のサイトへのアクセス機能を有している。
【００２８】
また写真画像表示装置１１は、再生対象の１又は複数の写真画像データと、情報提供装置１３から提供される種々の情報とに基づき、当該１又は複数の写真画像データに基づく写真画像の表示中の、音声データの再生順序を規定するプレイリストを作成する。因みに、以下の説明では、音声データの再生順序を規定するプレイリストを、音声プレイリストとも呼ぶ。
【００２９】
そして写真画像表示装置１１は、再生対象の１又は複数の写真画像データを再生しながら（すなわち、写真画像データに基づく写真画像を表示しながら）、プレイリストに従い音声データを再生する画像音声再生機能も有している。
【００３０】
［２−２．写真画像表示装置の機能回路ブロックによるハードウェア構成］
次いで、図３を用いて、写真画像表示装置１１の機能回路ブロックによるハードウェア構成について説明する。
【００３１】
図３に示すように、写真画像表示装置１１は、各種処理を実行すると共に、係る処理に応じて当該写真画像表示装置１１全体を制御する主制御部２０を有している。
【００３２】
主制御部２０は、外部機器インタフェース２１に接続された、パーソナルコンピュータやデジタルカメラ等のような外部機器（図示せず）から画像ファイルが転送されると、当該画像ファイルを、外部機器インタフェース２１を介して取り込む。また主制御部２０は、その画像ファイルを画像記憶部２２に送出して記憶する。
【００３３】
ここで、画像ファイルは、例えば、デジタルカメラにおいて被写体を写真撮影することにより生成されたものであり、ヘッダ部と本体部とから構成されている。
【００３４】
画像ファイルの本体部には、デジタルカメラを用いて、１又は複数の人物（知人等）や自然物（山や川、海等）、人工物（建築物や展示物等）等の被写体を写真撮影して生成された１つの写真画像データが格納されている。
【００３５】
画像ファイルのヘッダ部には、本体部内の写真画像データの属性情報として、デジタルカメラにより、被写体が写真撮影されたときに例えば、Ｅｘｉｆ（Exchangeable  image  file  format）に準じて生成されたヘッダデータが格納されている。
【００３６】
また画像ファイルのヘッダ部には、本体部内の写真画像データの属性情報として、デジタルカメラにより、被写体が写真撮影されたときに例えば、当該写真画像データに画素を間引くような縮小処理を施して生成されたサムネイル画像データも格納されている。
【００３７】
因みに、サムネイル画像データに基づくサムネイル画像は、写真画像データに基づく写真画像よりもサイズが小さいものの、当該写真画像の絵柄と実質的に同一の絵柄を有していることにより、その写真画像のインデックスとして用いることができるものである。
【００３８】
ところで、ヘッダデータには、画像ファイルと共に本体部内の写真画像データを個別に識別可能な識別情報（例えば、ファイル名であり、以下この識別情報を画像識別情報とも呼ぶ）や、被写体を写真撮影したときの撮影条件を示す種々の情報が含まれている。
【００３９】
またヘッダデータには、撮影条件を示す情報として、デジタルカメラにより被写体を写真撮影したときに、ＧＰＳ（Global  Positioning  System）用の人工衛星と通信して検出された当該デジタルカメラの位置を示す情報が含まれている。
【００４０】
なお、デジタルカメラが被写体を写真撮影したときに検出された位置は、緯度及び経度で表されている。そして、以下の説明では、デジタルカメラが被写体を写真撮影したときに検出された位置を、カメラ位置とも呼び、ヘッダデータに含まれる撮影条件としての当該カメラ位置を示す情報を、カメラ位置情報とも呼ぶ。
【００４１】
さらにヘッダデータには、撮影条件を示す情報として、デジタルカメラにより被写体を写真撮影するときに、方位センサを用いて検出された、当該デジタルカメラの撮影レンズが写真撮影用に被写体に向けられた方位を示す情報も含まれている。
【００４２】
なお、デジタルカメラが被写体を写真撮影したときに検出された方位は、東西南北で表されている。そして、以下の説明では、デジタルカメラが被写体を写真撮影したときに検出された方位を、撮影方向とも呼び、ヘッダデータに含まれる撮影条件としての当該撮影方向を示す情報を、撮影方向情報とも呼ぶ。
【００４３】
さらにヘッダデータには、撮影条件を示す情報として、デジタルカメラにより被写体が写真撮影されたときに現在日時を計時する時計を用いて検出された撮影日時を示す情報（以下、これを撮影日時情報とも呼ぶ）等も含まれている。
【００４４】
主制御部２０は、外部機器から画像ファイルが転送される毎に、当該画像ファイルを、外部機器インタフェース２１を介して取り込んで画像記憶部２２に記憶する。
【００４５】
これにより主制御部２０は、画像記憶部２２に、それぞれ写真画像データが格納された複数の画像ファイルを蓄積することができる。
【００４６】
そして主制御部２０は、ユーザにより操作部２３を介して画像単独再生機能が選択されると、画像単独再生モードに移行する。
【００４７】
この際、主制御部２０は、画像記憶部２２から複数の画像ファイル各々に格納されているサムネイル画像データと画像識別情報とを読み出す。
【００４８】
また主制御部２０は、これら複数のサムネイル画像データに基づき、再生対象の写真画像データを選択するための画像選択画面データを生成する。
【００４９】
そして主制御部２０は、画像選択画面データを、表示制御部２４を介して表示部２５に送出することにより、当該表示部２５に画像選択画面データに基づき画像選択画面（図示せず）を表示する。
【００５０】
この場合、画像選択画面には、複数のサムネイル画像が例えば、マトリックス状に配置されている。また画像選択画面には、写真画像の表示時間を例えば、数分乃至数百分までの分単位の時間の中から任意に選択させるための選択部も配置されている。因みに、以下の説明では、写真画像の表示用に選択される表示時間を、特に選択表示時間とも呼ぶ。
【００５１】
これにより主制御部２０は、画像選択画面を介して、ユーザに再生可能な写真画像データ（すなわち、表示可能な写真画像）を、対応するサムネイル画像として通知する。
【００５２】
主制御部２０は、ユーザにより操作部２３を介して画像選択画面上で再生対象の１又は複数の写真画像データがサムネイル画像として選択されると、図４に示すような、選択された１又は複数の写真画像データの再生順序を規定するプレイリスト２６を作成する。
【００５３】
因みに、以下の説明では、写真画像データの再生順序を規定するプレイリスト２６を、画像プレイリスト２６とも呼ぶ。
【００５４】
この場合、主制御部２０は、画像プレイリスト２６に、再生対象として選択された１又は複数の写真画像データの画像識別情報を、その選択された順番で並べて登録している。
【００５５】
これにより主制御部２０は、画像プレイリスト２６において、再生対象の１又は複数の写真画像データを画像識別情報で示し、当該１又は複数の写真画像データの再生順序を例えば、画像識別情報の並び順（写真画像データが選択された順番）として規定している。
【００５６】
また主制御部２０は、ユーザにより操作部２３を介して画像選択画面上で選択表示時間が選択されると、当該選択された選択再生時間を示す選択時間情報と共に画像プレイリスト２６を設定情報記憶部２７に送出して記憶する。
【００５７】
これにより主制御部２０は、その画像プレイリスト２６に従い再生対象の写真画像データを再生するように設定する。
【００５８】
また主制御部２０は、その画像プレイリスト２６に従い再生対象の写真画像データを再生した場合、当該写真画像データに基づく写真画像を、選択表示時間の間、継続して表示するようにも設定する。
【００５９】
因みに、主制御部２０は、画像選択画面上で選択表示時間を任意に１つだけ選択させるようにしている。このため主制御部２０は、再生対象の写真画像データが複数選択された場合、これら複数の写真画像データに基づく写真画像各々の表示時間を一律に選択表示時間にする。
【００６０】
この状態で主制御部２０は、画像プレイリスト２６に従い（すなわち、画像プレイリスト２６内の画像識別情報に基づき）、画像記憶部２２から最初に再生すべき写真画像データが格納された画像ファイルを読み出す。
【００６１】
そして主制御部２０は、その画像ファイルから写真画像データを取り出すと共に、当該取り出した写真画像データを、表示制御部２４を介して表示部２５に送出する。これにより主制御部２０は、表示部２５に、その写真画像データに基づく写真画像を表示する。
【００６２】
また主制御部２０は、表示部２５で写真画像の表示を開始すると、内部のタイマ（図示せず）により計時を開始する。
【００６３】
これにより主制御部２０は、タイマにより計時している時間（以下、これを計時時間とも呼ぶ）が選択表示時間に達するまでの間は、表示部２５で写真画像の表示を継続する。
【００６４】
そして主制御部２０は、計時時間が選択表示時間に達すると、画像プレイリスト２６に、次に再生すべき写真画像データ（すなわち、次に再生すべき写真画像データの画像識別情報）を登録しているか否かを判別する。
【００６５】
その結果、主制御部２０は、画像プレイリスト２６に、次に再生すべき写真画像データを登録していると、当該画像プレイリスト２６に従い、画像記憶部２２から次に再生すべき写真画像データが格納された画像ファイルを読み出す。
【００６６】
そして主制御部２０は、その画像ファイルから写真画像データを取り出すと共に、当該取り出した写真画像データを、表示制御部２４を介して表示部２５に送出する。
【００６７】
これにより主制御部２０は、表示部２５に、それまで表示していた写真画像に換えて、新たに送出した写真画像データに基づく写真画像を表示する。
【００６８】
主制御部２０は、この際も表示部２５での新たな写真画像の表示の開始に応じて内部のタイマにより計時を開始する。
【００６９】
そして主制御部２０は、計時時間が選択表示時間に達するまでの間、表示部２５で新たな写真画像の表示を継続する。また主制御部２０は、計時時間が選択表示時間に達すると、上述と同様に処理する。
【００７０】
これに対し主制御部２０は、画像プレイリスト２６に、次に再生すべき写真画像データを登録していないと、表示部２５への写真画像データの送出を停止して、当該表示部２５に写真画像の表示を終了させる。
【００７１】
このようにして主制御部２０は、表示部２５に対し、再生対象として選択された１又は複数の写真画像データに基づく写真画像を、適宜切り換えるようにして選択表示時間ずつ表示する。
【００７２】
これにより主制御部２０は、表示部２５を介して１つの写真画像だけを見せ、又は複数の写真画像をスライドショーのように順次切り換えて見せることができる。
【００７３】
一方、主制御部２０は、例えば、外部機器インタフェース２１に接続された外部機器から音声ファイルが転送されると、当該音声ファイルを、外部機器インタフェース２１を介して取り込む。また主制御部２０は、その音声ファイルを音声記憶部２８に送出して記憶する。
【００７４】
ここで、音声ファイルは、ヘッダ部と本体部とから構成されている。音声ファイルの本体部には、音楽や自然界の音（波の音や川のせせらぎ、鳥や虫の鳴き声等）、落語、朗読等の音声をデジタルデータ化して生成された１つの音声データが格納されている。
【００７５】
音声ファイルのヘッダ部には、本体部内の音声データの属性情報を示すヘッダデータが格納されている。ところで、ヘッダデータには、音声ファイルと共に本体部内の音声データを個別に識別可能な識別情報（例えば、音声データの制作会社により任意に付された識別情報であり、以下この識別情報を音声識別情報とも呼ぶ）が含まれている。
【００７６】
またヘッダデータには、本体部内の音声データに基づく音声のタイトルやアーティスト、当該音声が属するジャンル、リリース年、当該音声データの再生時間等の種々の情報も含まれている。
【００７７】
主制御部２０は、外部機器から音声ファイルが転送される毎に、当該音声ファイルを、外部機器インタフェース２１を介して取り込んで音声記憶部２８に記憶する。
【００７８】
また主制御部２０は、ユーザにより操作部２３を介して音声購入ページ画像の取得が要求されると、ページ画像要求データを、通信制御部２９及びネットワークインタフェース３０を順次介して、例えば、ネットワーク１２上の情報提供装置１３に送出する。
【００７９】
この際、情報提供装置１３は、ページ画像要求データの受信に応じて音声購入ページ画像のページ画像データを写真画像表示装置１１に返信する。
【００８０】
よって主制御部２０は、ページ画像要求データを送信した結果、情報提供装置１３からページ画像データが返信されると、当該ページ画像データを、ネットワークインタフェース３０及び通信制御部２９を順次介して受信する。
【００８１】
そして主制御部２０は、そのページ画像データを、表示制御部２４を介して表示部２５に送出することにより、当該表示部２５にページ画像データに基づく音声購入ページ画像を表示する。
【００８２】
この状態で主制御部２０は、ユーザにより操作部２３を介して音声購入ページ画像上で購入を希望する音声データが選択されると、これに応じて、選択された音声データの購入を要求するための購入要求データを生成する。
【００８３】
そして主制御部２０は、その購入要求データを、通信制御部２９及びネットワークインタフェース３０を順次介してネットワーク１２上の情報提供装置１３に送信する。
【００８４】
この際、情報提供装置１３は、購入要求データの受信に応じて、ユーザにより購入用に選択された音声データの購入に対する課金処理を実行する。
【００８５】
そして情報提供装置１３は、課金処理が完了すると、その音声データが格納された上述と同様構成の音声ファイルを写真画像表示装置１１に返信する。
【００８６】
よって主制御部２０は、購入要求データを送信した結果、情報提供装置１３から音声ファイルが返信されると、当該音声ファイルを、ネットワークインタフェース３０及び通信制御部２９を順次介して受信する。また主制御部２０は、その受信した音声ファイルを音声記憶部２８に送出して記憶する。
【００８７】
主制御部２０は、このようにユーザにより音声データの購入が要求される毎に、情報提供装置１３を利用して音声データを購入して音声記憶部２８に記憶することができる。
【００８８】
このようにして主制御部２０は、外部機器や情報提供装置１３を利用して、音声記憶部２８に、それぞれ音声データが格納された複数の音声ファイルを蓄積することができる。
【００８９】
そして主制御部２０は、ユーザにより操作部２３を介して音声単独再生機能が選択されると、音声単独再生モードに移行する。
【００９０】
この際、主制御部２０は、音声記憶部２８から複数の音声ファイル各々に格納されているヘッダデータ（すなわち、音声データの属性情報）を読み出す。
【００９１】
また主制御部２０は、これら複数のヘッダデータに含まれる例えば、タイトルに基づき、再生対象の音声データを選択するための音声選択画面データを生成する。
【００９２】
そして主制御部２０は、その音声選択画面データを、表示制御部２４を介して表示部２５に送出することにより、当該表示部２５に音声選択画面データに基づき音声選択画面（図示せず）を表示する。
【００９３】
この場合、音声選択画面には、例えば、複数の音声データに基づく音声のタイトルがリスト化されて配置されている。
【００９４】
これにより主制御部２０は、音声選択画面を介して、ユーザに再生可能な音声データ（すなわち、出力可能な音声）を、対応するタイトルとして通知する。
【００９５】
この状態で主制御部２０は、ユーザにより操作部２３を介して音声選択画面上で再生対象の１又は複数の音声データがタイトルとして選択されると、当該選択された１又は複数の音声データの再生順序を規定する音声プレイリストを作成する。
【００９６】
この場合、主制御部２０は、音声プレイリストに、再生対象として選択された１又は複数の音声データの少なくとも音声識別情報を含む属性情報を、その選択された順番で並べて登録している。
【００９７】
これにより主制御部２０は、音声プレイリストにおいて、再生対象の１又は複数の音声データを属性情報で示し、当該１又は複数の音声データの再生順序を例えば、属性情報の並び順（音声データが選択された順番）として規定している。
【００９８】
主制御部２０は、音声プレイリストを作成すると、その音声プレイリストを設定情報記憶部２７に送出して記憶することにより、当該音声プレイリストに従い再生対象の音声データを再生するように設定する。
【００９９】
そして主制御部２０は、音声プレイリストに従い（すなわち、音声プレイリスト内の音声識別情報に基づき）、音声記憶部２８から最初に再生すべき音声データが格納された音声ファイルを読み出す。
【０１００】
そして主制御部２０は、その音声ファイルから音声データを取り出すと共に、当該取り出した音声データを、再生制御部３１を介して再生部３２に送出する。
【０１０１】
これにより再生部３２は、その音声データに所定の再生処理を施し、得られた音声（すなわち、その音声データに基づく音声）を出力する。
【０１０２】
また主制御部２０は、再生部３２において１つの音声データに対する再生処理が終了すると、音声プレイリストに、次に再生すべき音声データ（すなわち、次に再生すべき音声データの音声識別情報）を登録しているか否かを判別する。
【０１０３】
その結果、主制御部２０は、音声プレイリストに、次に再生すべき音声データを登録していると、当該音声プレイリストに従い、音声記憶部２８から次に再生すべき音声データが格納された音声ファイルを読み出す。
【０１０４】
そして主制御部２０は、その音声ファイルから音声データを取り出すと共に、当該取り出した音声データを、再生制御部３１を介して再生部３２に送出する。
【０１０５】
これにより再生部３２は、次に再生すべき音声データに所定の再生処理を施して、得られた音声（すなわち、その次に再生すべき音声データに基づく音声）を、それまで出力していた音声に引き続いて出力する。
【０１０６】
主制御部２０は、この際も、再生部３２において音声データに対する再生処理が終了すると、上述と同様に処理する。
【０１０７】
これに対し主制御部２０は、音声プレイリストに、次に再生すべき音声データを登録していないと、再生部３２に新たな音声データを送出しないようにして、音声の出力を終了させる。
【０１０８】
このようにして主制御部２０は、再生部３２から、再生対象として選択された１又は複数の音声データに基づく音声を、適宜切り換えるようにして出力させる。
【０１０９】
これにより主制御部２０は、再生部３２を介して１つの音声だけを聴かせ、又は複数の音声を連続して聴かせることができる。
【０１１０】
ところで、主制御部２０は、例えば、電話帳記憶部３３に、写真画像表示装置１１を使用するユーザの親族や友人等（以下、これらユーザの親族や友人等を、まとめて知人とも呼ぶ）の電話帳のデータ（以下、これを電話帳データとも呼ぶ）を記憶している。
【０１１１】
ここで、図５に示すように、電話帳データには、複数の知人の氏名、電話番号、メールアドレス、コメント、顔の画像の画像データ、当該顔の画像から抽出された画像の特徴量が知人毎に対応付けられて登録されている。
【０１１２】
因みに、以下の説明では、知人の顔の画像データを、知人顔画像データとも呼び、当該知人顔画像データに基づく画像を、知人顔画像とも呼ぶ。また、以下の説明では、知人顔画像から抽出された画像の特徴量を、知人顔特徴量とも呼ぶ。
【０１１３】
実際に主制御部２０は、ユーザにより操作部２３を介して電話帳に対する知人の登録が要求されると、当該電話帳への知人の登録処理を実行する。
【０１１４】
この際、主制御部２０は、例えば、ユーザに操作部２３を介して知人の氏名、電話番号、メールアドレス、ユーザと知人との間柄（恋人や友人、母親等）を示すコメントを入力させる。
【０１１５】
そして主制御部２０は、その知人の氏名、電話番号、メールアドレス、コメントを電話帳記憶部３３に送出して記憶するようにして、当該知人の氏名、電話番号、メールアドレス、コメントを互いに対応付けて電話帳データに登録する。
【０１１６】
引き続き主制御部２０は、例えば、ユーザにより操作部２３を介して画像選択画面の表示が要求されると、画像記憶部２２から複数の画像ファイル各々に格納されているサムネイル画像データと画像識別情報とを対応付けて読み出す。
【０１１７】
さらに主制御部２０は、これら複数のサムネイル画像データ及び画像識別情報に基づき、写真画像データを選択するための画像選択画面データを生成する。
【０１１８】
そして主制御部２０は、画像選択画面データを、表示制御部２４を介して表示部２５に送出することにより、当該表示部２５に画像選択画面データに基づき画像選択画面（図示せず）として複数のサムネイル画像を一覧表示する。
【０１１９】
この状態で主制御部２０は、ユーザにより操作部２３を介して画像選択画面上で、知人の顔が写り込んでいる写真画像がサムネイル画像として選択されると、そのサムネイル画像に対応する画像識別情報に基づき画像記憶部２２から画像ファイルを読み出す。
【０１２０】
すなわち、主制御部２０は、選択されたサムネイル画像に対応する画像識別情報に基づき、画像記憶部２２から、ユーザにより当該サムネイル画像として選択された写真画像の写真画像データが格納された画像ファイルを読み出す。
【０１２１】
また主制御部２０は、画像ファイルから写真画像データを取り出すと共に、当該取り出した写真画像データを画像解析部３４に送出する。
【０１２２】
ここで、画像記憶部２２には、人物の顔の画像の大まかな輝度分布及び顔の大まかな構造のパターンを示す顔探索用データが予め記憶されている。
【０１２３】
また画像記憶部２２には、写真画像に写り込んでいる人物の顔の検出に用いられる画像の特徴量（以下、これらを顔検出用特徴量とも呼ぶ）を示す顔特徴データも予め記憶されている。
【０１２４】
因みに、顔検出用特徴量は、顔や目、鼻、口、眉毛等の形状、及びこれらの位置関係等から構成されている。また顔検出用特徴量は、複数の人物の顔の画像から抽出された当該画像の特徴量を用いた学習により生成されている。
【０１２５】
この際、画像解析部３４は、主制御部２０から写真画像データが与えられると、画像記憶部２２から顔探索用データ及び顔特徴データを読み出す。
【０１２６】
そして画像解析部３４は、顔探索用データに基づき、写真画像データに基づく写真画像において、人物の顔が写り込んでいると想定される領域（以下、これを想定領域とも呼ぶ）を探索する。
【０１２７】
その結果、画像解析部３４は、写真画像において１又は複数の想定領域を検出すると、当該検出した１又は複数の想定領域からそれぞれ画像の特徴量として、例えば、複数の輪郭線の形状と、これら複数の輪郭線同士の位置関係と、色とを抽出する。因みに、以下の説明では、写真画像の想定領域から抽出した画像の特徴量を、想定領域特徴量とも呼ぶ。
【０１２８】
また画像解析部３４は、写真画像の想定領域毎に、顔特徴データが示す顔検出用特徴量と、当該想定領域から抽出した想定領域特徴量とに基づき所定の演算処理を実行する。
【０１２９】
これにより画像解析部３４は、写真画像の想定領域毎に、当該想定領域に写り込んでいる被写体が、人物の顔として、どの程度確からしいかを示す確度を算出する。
【０１３０】
また画像解析部３４は、想定領域毎に算出した確度を、予め選定された第１閾値と比較する。その結果、画像解析部３４は、写真画像の想定領域について算出した確度が第１閾値以上であると、写真画像の当該想定領域に写り込んでいる被写体が、人物の顔であると推定する。
【０１３１】
このようにして画像解析部３４は、写真画像内の１又は複数の想定領域の中から、人物の顔が写り込んでいる想定領域（すなわち、第１閾値以上の確度を得た想定領域）を人物顔領域として検出する。
【０１３２】
画像解析部３４は、１又は複数の想定領域の中から１又は複数の人物顔領域を検出すると、その人物顔領域から抽出していた想定領域特徴量を、人物の顔の画像の特徴量を示す人物顔特徴量とする。また画像解析部３４は、写真画像内での人物顔領域の位置を示す領域位置情報を生成する。
【０１３３】
さらに画像解析部３４は、写真画像内で検出した人物顔領域毎に、当該人物顔領域の人物顔特徴量と領域位置情報とを対応付けて人物顔領域情報を生成する。そして画像解析部３４は、写真画像データと共に１又は複数の人物顔領域情報を主制御部２０に送出する。
【０１３４】
主制御部２０は、画像解析部３４から写真画像データと共に１又は複数の人物顔領域情報が与えられると、当該人物顔領域情報が示す領域位置情報に基づき写真画像データを加工して、検出された人物の顔を提示するための顔提示用画像データを生成する。
【０１３５】
そして主制御部２０は、その顔提示用画像データを、表示制御部２４を介して表示部２５に送出する。これにより主制御部２０は、表示部２５に顔提示用画像データに基づき、検出された１又は複数の人物の顔を枠線で囲んだ（すなわち、人物顔領域の縁に枠線を重ねた）顔提示用画像を表示する。
【０１３６】
このようにして主制御部２０は、ユーザに顔提示用画像を介して、元の写真画像に写り込んでいる１又は複数の人物の顔（すなわち、知人の顔を含む）を提示する。
【０１３７】
この状態で主制御部２０は、ユーザにより操作部２３を介して顔提示用画像上で、枠線で囲まれた知人の顔が写り込んでいる人物顔領域が選択されると、顔提示用画像から、選択された人物顔領域を切り出すようにして知人顔画像の知人顔画像データを生成する。
【０１３８】
また主制御部２０は、１又は複数の人物顔領域情報が示す人物顔特徴量のうち、ユーザにより選択された人物顔領域の人物顔特徴量を、知人顔特徴量とする。
【０１３９】
そして主制御部２０は、その知人用の知人顔画像データ及び知人顔特徴量を電話帳記憶部３３に送出して記憶するようにして、その知人顔画像データ及び知人顔特徴量を当該知人の氏名等の他の情報に対応付けて電話帳データに登録する。
【０１４０】
このようにして主制御部２０は、ユーザによる操作部２３の操作に応じて、電話帳データに複数の知人の氏名や電話番号、メールアドレス、コメント、知人顔画像データ、知人顔特徴量を登録する。
【０１４１】
また主制御部２０は、電話帳記憶部３３に、ユーザの氏名、電話番号、メールアドレス、顔の画像の画像データ、当該画像データに基づく顔の画像から抽出された画像の特徴量を自局データとして記憶している。
【０１４２】
なお、以下の説明では、ユーザの顔の画像の画像データを、ユーザ顔画像データとも呼び、当該ユーザ顔画像データに基づく画像を、ユーザ顔画像とも呼ぶ。また、以下の説明では、ユーザ顔画像から抽出された画像の特徴量を、ユーザ顔特徴量とも呼ぶ。
【０１４３】
因みに、ユーザの電話番号やメールアドレスは、当該ユーザの使用する写真画像表示装置１１に割り当てられた電話番号やメールアドレスである。
【０１４４】
因みに主制御部２０は、自局データに含まれるユーザ顔画像データやユーザ顔特徴量については、上述した知人顔画像データや知人顔特徴量を取得する場合と同様にして取得している。
【０１４５】
主制御部２０は、ユーザにより操作部２３を介して知人の電話番号が直接入力され又は電話帳データを利用して選択され、引き続き発呼命令が入力されると、その電話番号と共に自局データの一部を用いて発呼データを生成する。
【０１４６】
そして主制御部２０は、その発呼データを、通信制御部２９及びネットワークインタフェース３０を順次介して、知人の通話機器（図示せず）に送信することにより、当該知人に通話機器を介してユーザからの発呼を通知する。
【０１４７】
その結果、主制御部２０は、知人が通話を許可して当該知人の通話機器との通信が確立すると、集音部３５によりユーザの音声を集音して通話用音声データを生成する。
【０１４８】
そして主制御部２０は、その通話用音声データを、通信制御部２９及びネットワークインタフェース３０を順次介して知人の通話機器に送信する。
【０１４９】
また主制御部２０は、この際、知人の通話機器から送信された通話用音声データを、ネットワークインタフェース３０及び通信制御部２９を順次介して受信すると、その通話用音声データを、再生制御部３１を介して再生部３２に送出する。
【０１５０】
そして再生部３２は、主制御部２０から与えられた通話用音声データに所定の再生処理を施し、得られた知人の音声を出力する。
【０１５１】
このようにして主制御部２０は、ユーザからの通話の要求に応じて知人の通話機器との通信が確立すると、当該ユーザと知人との互いの音声の通話用音声データを送受信して、ユーザと知人とを通話させることができる。
【０１５２】
ところで、主制御部２０は、知人の通話機器から送信された着呼データを、ネットワークインタフェース３０及び通信制御部２９を順次介して受信すると、その着呼データに基づき例えば、リンガ（図示せず）を鳴らす。
【０１５３】
また主制御部２０は、その着呼データに基づき、表示制御部２４を介して表示部２５に、通話を要求している知人の氏名や電話番号等を表示する。これにより主制御部２０は、ユーザに知人からの着呼を通知する。
【０１５４】
この状態で主制御部２０は、ユーザにより操作部２３を介して通話が許可され、知人の通話機器との通信が確立すると、集音部３５によりユーザの音声を集音して通話用音声データを生成する。
【０１５５】
そして主制御部２０は、その通話用音声データを、通信制御部２９及びネットワークインタフェース３０を順次介して知人の通話機器に送信する。
【０１５６】
また主制御部２０は、この際、知人の通話機器から送信された通話用音声データを、ネットワークインタフェース３０及び通信制御部２９を順次介して受信すると、その通話用音声データを、再生制御部３１を介して再生部３２に送出する。
【０１５７】
そして再生部３２は、主制御部２０から与えられた通話用音声データに所定の再生処理を施し、得られた知人の音声を出力する。
【０１５８】
このようにして主制御部２０は、知人からの通話の要求に応じて当該知人の通話機器との通信が確立した場合も、ユーザと知人との互いの音声の通話用音声データを送受信して、ユーザと知人とを通話させることができる。
【０１５９】
主制御部２０は、ユーザにより操作部２３を介して電子メールの作成が要求されると、例えば、電話帳記憶部３３から予め記憶しているメール作成画面データを読み出す。
【０１６０】
また主制御部２０は、そのメール作成画面データを、表示制御部２４を介して表示部２５に送出することにより、当該表示部２５にメール作成画面データに基づく電子メール作成画面（図示せず）を表示する。
【０１６１】
これにより主制御部２０は、ユーザに操作部２３を介して電子メール作成画面上でメール本文を入力させることができると共に、電子メールの送信相手となる知人のメールアドレスを直接入力させ又は電話帳データを利用して入力させることができる。
【０１６２】
そして主制御部２０は、電子メール作成画面上でメール本文と共にメールアドレスが入力された状態で、ユーザにより操作部２３を介して電子メールの送信命令が入力されると、当該メール本文及びメールアドレスからなる電子メールデータを生成する。
【０１６３】
また主制御部２０は、その電子メールデータを、通信制御部２９及びネットワークインタフェース３０を順次介し、メールサーバ（図示せず）経由で、知人の通話機器に送信する。
【０１６４】
このようにして主制御部２０は、ユーザの作成した電子メールを知人宛に送り、当該知人に、その電子メールを開封させて閲覧させることができる。
【０１６５】
ところで、主制御部２０は、知人の通話機器からメールサーバ経由で送信された電子メールデータを、ネットワークインタフェース３０及び通信制御部２９を順次介して受信すると、その電子メールデータを例えば、電話帳記憶部３３に一旦記憶する。
【０１６６】
また主制御部２０は、この際、ユーザに例えば、表示部２５や再生部３２等を介して電子メールの受信を通知する。
【０１６７】
そして主制御部２０は、ユーザにより操作部２３を介して電子メールの開封が指示されると、電話帳記憶部３３から電子メールデータを読み出すと共に、当該読み出した電子メールデータを、表示制御部２４を介して表示部２５に送出する。
【０１６８】
これにより主制御部２０は、表示部２５に電子メールデータに基づき、知人から送られてきた電子メールのメール本文と共に、当該知人のメールアドレス等を表示してユーザに閲覧させることができる。
【０１６９】
さらに主制御部２０は、ユーザにより操作部２３を介してコミュニティーサイトへのアクセスが要求されると、通信制御部２９及びネットワークインタフェース３０を順次介してネットワーク１２上のコミュニティーサイトにアクセスする。
【０１７０】
因みに、係るコミュニティーサイトは、例えば、ネットワーク１２上でＳＮＳ（Social  Networking  Service）として提供されるコミュニティーサイトである。
【０１７１】
この状態で主制御部２０は、ユーザにより操作部２３を介して種々の情報が入力されアップロードが指示されると、当該入力された情報を、通信制御部２９及びネットワークインタフェース３０を順次介してネットワーク１２上のコミュニティーサイトへ送信する。
【０１７２】
これにより主制御部２０は、ネットワーク１２上のコミュニティーサイトを利用して、ユーザのプロフィールや写真、日記等を公開し、また知人にメッセージを送ること等ができる。
【０１７３】
また主制御部２０は、ユーザにより操作部２３を介して一般公開用の情報、いわゆるブログが生成され、アップロードが指示されると、通信制御部２９及びネットワークインタフェース３０を順次介してネットワーク１２上の公開用サイトにアクセスする。
【０１７４】
これにより主制御部２０は、ネットワーク１２上の公開用サイトでブログとして、ユーザの日記や覚書、論評等を公開することができる。
【０１７５】
次いで、上述したように主制御部２０が、情報提供装置１３から提供される種々の情報を利用して実現する画像音声再生機能について説明する。
【０１７６】
主制御部２０は、画像音声再生機能を実現するにあたり情報提供装置１３を利用可能にするために、当該情報提供装置１３にユーザの登録を要求する。
【０１７７】
因みに、以下の説明では、情報提供装置１３を利用可能にする（すなわち、情報提供装置１３から情報の提供を受けることができるようにする）ための、当該情報提供装置１３へのユーザのような利用者の登録を、利用者登録とも呼ぶ。
【０１７８】
すなわち、主制御部２０は、ユーザにより操作部２３を介して情報提供装置１３への利用者登録が要求されると、登録要求データを、通信制御部２９及びネットワークインタフェース３０を順次介してネットワーク１２上の情報提供装置１３に送信する。
【０１７９】
この際、情報提供装置１３は、登録要求データの受信に応じて、利用者登録用の個人情報を入力させるための個人情報入力画面データを写真画像表示装置１１に返信する。
【０１８０】
よって主制御部２０は、登録要求データの送信の結果、情報提供装置１３から個人情報入力画面データが返信されると、当該個人情報入力画面データを、ネットワークインタフェース３０及び通信制御部２９を順次介して受信する。
【０１８１】
そして主制御部２０は、個人情報入力画面データを、表示制御部２４を介して表示部２５に送出することにより、当該表示部２５に、その個人情報入力画面データに基づく個人情報入力画面（図示せず）を表示する。
【０１８２】
個人情報入力画面には、利用者登録用の個人情報として種々の情報を入力させるための入力欄が設けられている。
【０１８３】
ここで、利用者登録用の個人情報としては、利用者固有の識別情報（以下、これを利用者識別情報とも呼ぶ）及びパスワードがある。
【０１８４】
また利用者登録用の個人情報としては、利用者の氏名、生年月日、住所、電話番号、メールアドレス等のような利用者自身や、当該利用者の個人情報を判別するのに利用可能な情報もある。
【０１８５】
さらに利用者登録用の個人情報としては、利用者が所有する音声データの種類（ジャンル（ロックやジャズ、邦楽、洋楽等）や、アーティスト等）毎の所有数のような当該個人の嗜好を抽出するのに利用可能な情報もある。因みに、以下の説明では、利用者が所有する音声データの種類毎の所有数を、種類別所有数とも呼ぶ。
【０１８６】
主制御部２０は、表示部２５に個人情報入力画面を表示した状態で、ユーザにより操作部２３を介して当該個人情報入力画面上でユーザの個人情報が入力されると、その入力された個人情報を格納した利用者登録データを生成する。
【０１８７】
そして主制御部２０は、その利用者登録データを、通信制御部２９及びネットワークインタフェース３０を順次介してネットワーク１２上の情報提供装置１３に送信する。
【０１８８】
この際、情報提供装置１３は、利用者登録データの受信に応じて、当該利用者登録データに含まれるユーザの個人情報を記憶するようにして、当該ユーザを利用者登録する。
【０１８９】
これにより情報提供装置１３は、ユーザに情報提供装置１３の利用（すなわち、提供用の種々の情報の取得）を許可する。
【０１９０】
ところで、情報提供装置１３は、ユーザの利用者登録が完了すると、当該利用者登録が完了したことを通知するための登録完了通知データを写真画像表示装置１１に返信する。
【０１９１】
よって主制御部２０は、情報提供装置１３から利用者登録が完了して登録完了通知データが送信されると、当該登録完了通知データを、ネットワークインタフェース３０及び通信制御部２９を順次介して受信する。
【０１９２】
そして主制御部２０は、表示部２５を介してユーザに利用者登録が完了したことを通知すると共に、その利用者登録でユーザにより決められた利用者識別情報及びパスワードを設定情報記憶部２７に送出して記憶する。
【０１９３】
主制御部２０は、情報提供装置１３に対するユーザの利用者登録が完了すると、その後は、当該情報提供装置１３に対しユーザの個人情報を適宜更新させる。
【０１９４】
すなわち、主制御部２０は、例えば、ユーザにより操作部２３を介して個人情報の更新が要求されると、利用者識別情報及びパスワードを格納した更新要求データを生成する。
【０１９５】
そして主制御部２０は、その更新要求データを、通信制御部２９及びネットワークインタフェース３０を順次介してネットワーク１２上の情報提供装置１３に送信する。
【０１９６】
この際、情報提供装置１３は、更新要求データの受信に応じて、当該更新要求データ内の利用者識別情報及びパスワードによりユーザの個人情報を判別する。
【０１９７】
また情報提供装置１３は、その判別したユーザの種々の個人情報のうち少なくとも一部を変更可能情報として記述した個人情報変更画面データを生成し、当該生成した個人情報変更画面データを写真画像表示装置１１に返信する。
【０１９８】
よって主制御部２０は、更新要求データの送信の結果、情報提供装置１３から個人情報変更画面データが送信されると、当該個人情報変更画面データを、ネットワークインタフェース３０及び通信制御部２９を順次介して受信する。
【０１９９】
そして主制御部２０は、個人情報変更画面データを、表示制御部２４を介して表示部２５に送出することにより、当該表示部２５に、その個人情報変更画面データに基づく個人情報変更画面（図示せず）を表示する。
【０２００】
個人情報変更画面には、変更可能情報として、住所、電話番号、メールアドレス、音声データの種類別所有数等が記述されている。
【０２０１】
主制御部２０は、ユーザにより操作部２３を介して個人情報更新画面上で変更可能情報の少なくとも一部が変更されると、当該変更可能情報のうち未変更の情報と変更された情報とを利用者識別情報及びパスワードと共に格納した個人情報更新データを生成する。因みに、以下の説明では、変更可能情報のうち未変更の情報と変更された情報とをまとめて更新情報とも呼ぶ。
【０２０２】
そして主制御部２０は、その個人情報更新データを、通信制御部２９及びネットワークインタフェース３０を順次介してネットワーク１２上の情報提供装置１３に送信する。
【０２０３】
この際、情報提供装置１３は、個人情報更新データの受信に応じて、当該個人情報更新データ内の利用者識別情報及びパスワードによりユーザの個人情報を判別する。
【０２０４】
また情報提供装置１３は、その判別したユーザの種々の個人情報のうち、変更可能情報を個人情報更新データ内の更新情報に置き換えるようにして、当該ユーザの個人情報を更新する。
【０２０５】
また主制御部２０は、例えば、上述のようにネットワーク１２上のサイトにユーザのプロフィールや日記等の情報を公開用にアップロードすると、内部の時計により計時している現在日時に基づき、当該情報をアップロードしたときの日時を検出する。
【０２０６】
因みに、以下の説明では、ネットワーク１２上のサイトに公開用としてアップロードしたユーザのプロフィールや日記等の情報を、公開情報とも呼び、当該公開情報をアップロードしたときの日時を、公開日時とも呼ぶ。
【０２０７】
さらに主制御部２０は、その検出した公開日時及び、この際にアップロードした公開情報を追加の個人情報とする。因みに、以下の説明では、追加の個人情報を、追加情報とも呼ぶ。
【０２０８】
さらにまた主制御部２０は、追加情報を利用者識別情報及びパスワードと共に格納した個人情報更新データを生成する。
【０２０９】
そして主制御部２０は、その個人情報更新データを、通信制御部２９及びネットワークインタフェース３０を順次介してネットワーク１２上の情報提供装置１３に送信する。
【０２１０】
この際、情報提供装置１３は、個人情報更新データの受信に応じて、当該個人情報更新データ内の利用者識別情報及びパスワードによりユーザの個人情報を判別する。
【０２１１】
そして情報提供装置１３は、その判別したユーザの種々の個人情報に、個人情報更新データ内の追加情報を追加するようにして、当該ユーザの個人情報を更新する。
【０２１２】
さらに主制御部２０は、例えば、上述のように、音声単独再生モードで音声データを再生すると、内部の時計により計時している現在日時に基づき、当該音声データの再生を開始した時点の日時を検出する。因みに、以下の説明では、音声データの再生を開始した時点の日時を、再生日時とも呼ぶ。
【０２１３】
また主制御部２０は、その検出した再生日時と、この際に再生した音声データに対応する音声識別情報やタイトル、アーティスト、ジャンル等の属性情報とで示す当該音声データの再生履歴を追加情報とする。
【０２１４】
さらに主制御部２０は、この際にも追加情報を利用者識別情報及びパスワードと共に格納した個人情報更新データを生成する。
【０２１５】
そして主制御部２０は、その個人情報更新データを、通信制御部２９及びネットワークインタフェース３０を順次介してネットワーク１２上の情報提供装置１３に送信する。
【０２１６】
この際、情報提供装置１３は、個人情報更新データの受信に応じて、当該個人情報更新データ内の利用者識別情報及びパスワードによりユーザの個人情報を判別する。
【０２１７】
そして情報提供装置１３は、その判別したユーザの種々の個人情報に、個人情報更新データ内の追加情報を追加するようにして、当該ユーザの個人情報を更新する。
【０２１８】
このようにして主制御部２０は、情報提供装置１３においてユーザが利用者登録された後も、当該ユーザの個人情報を適宜更新させることができる。
【０２１９】
ところで、情報提供装置１３は、ユーザ以外の他の人物（知人を含む）についても、上述と同様に情報提供装置１３を利用可能にするために当該他の人物の個人情報を記憶するようにして利用者登録し、利用者登録の後には、その個人情報を適宜更新する。
【０２２０】
よって主制御部２０は、画像音声再生機能を実現する場合、情報提供装置１３から利用者（ユーザや知人を含む）に関する情報等の提供を受け、その情報等を利用して音声プレイリストを作成している。
【０２２１】
実際に主制御部２０は、ユーザにより操作部２３を介して画像音声再生機能が選択されると、画像音声再生モードに移行する。
【０２２２】
この際、主制御部２０は、上述した単独画像再生モード時と同様に、画像プレイリスト作成処理を実行する。これにより主制御部２０は、表示部２５に画像選択画面を表示して選択表示時間と共に再生対象の１又は複数の写真画像データを選択させるようにして画像プレイリスト２６を作成する。
【０２２３】
そして主制御部２０は、このように画像プレイリスト２６を作成すると、当該画像プレイリスト２６を、選択表示時間を示す選択時間情報と共に設定情報記憶部２７に送出して記憶する。
【０２２４】
これにより主制御部２０は、上述と同様に、その画像プレイリスト２６に従い再生対象の写真画像データを再生するように設定する。
【０２２５】
また主制御部２０は、その画像プレイリスト２６に従い再生対象の写真画像データを再生した場合、当該写真画像データに基づく写真画像を、選択表示時間の間、継続して表示生するようにも設定する。
【０２２６】
そして主制御部２０は、画像プレイリスト２６に従い画像記憶部２２から再生対象の（すなわち、このときユーザにより選択された）写真画像データが格納された画像ファイルを順次読み出すと共に、当該読み出した画像ファイルを画像解析部３４に送出する。
【０２２７】
画像解析部３４は、主制御部２０から画像ファイルが与えられると、画像解析処理を実行する。画像解析部３４は、画像解析処理を実行すると、主制御部２０から与えられた画像ファイルから写真画像データを取り出す。
【０２２８】
また画像解析部３４は、画像記憶部２２から顔探索用データを読み出す。そして画像解析部３４は、顔探索用データに基づき、写真画像データに基づく写真画像において想定領域を探索する。
【０２２９】
その結果、画像解析部３４は、写真画像において１又は複数の想定領域を検出すると、その想定領域毎に、当該想定領域から想定領域特徴量を抽出すると共に、写真画像内での当該想定領域の位置を示す領域位置情報を生成する。
【０２３０】
また画像解析部３４は、写真画像内で検出した想定領域毎に、当該想定領域の想定領域特徴量と領域位置情報とを対応付けて想定領域情報を生成する。
【０２３１】
このようにして画像解析部３４は、写真画像を解析すると、当該写真画像に対応する画像ファイルからヘッダデータを取り出す。
【０２３２】
そして画像解析部３４は、この際、写真画像内で１又は複数の想定領域を検出していると、１又は複数の想定領域情報をヘッダデータと共に人物特定部３６に送出する。
【０２３３】
また画像解析部３４は、写真画像内で想定領域を検出していないと、ヘッダデータのみを人物特定部３６に送出する。
【０２３４】
このようにして画像解析部３４は、画像解析処理を実行した場合には、写真画像を解析する毎に、ヘッダデータと共に１又は複数の想定領域情報、若しくはヘッダデータのみを人物特定部３６に送出する。
【０２３５】
この際、人物特定部３６は、再生対象の写真画像データに基づく写真画像に写り込んでいる被写体を特定するための被写体特定処理を実行する。
【０２３６】
人物特定部３６は、被写体特定処理を実行すると、画像解析部３４からヘッダデータと共に１又は複数の想定領域情報が与えられた場合、被写体としての人物を特定するための人物特定処理を実行する。
【０２３７】
人物特定部３６は、人物特定処理を実行すると、電話帳記憶部３３から電話帳データ及び自局データを読み出す。また人物特定部３６は、電話帳データから知人顔特徴量を全て取り出すと共に、自局データからユーザ顔特徴量を取り出す。
【０２３８】
そして人物特定部３６は、知人顔特徴量及びユーザ顔特徴量を順番に１つずつ用いて、当該知人顔特徴量又はユーザ顔特徴量と、想定領域情報が示す想定領域特徴量とに基づき所定の演算処理を実行する。
【０２３９】
これにより人物特定部３６は、想定領域毎に、当該想定領域に写り込んでいる被写体が、知人やユーザの顔として、どの程度確からしいかを示す複数の確度を算出する。また人物特定部３６は、その想定領域毎に算出した複数の確度を、予め選定された第２閾値と順次比較する。
【０２４０】
その結果、人物特定部３６は、何れかの想定領域について算出した複数の確度のうち１つの確度のみが第２閾値以上であり、当該第２閾値以上の確度の算出に知人の知人顔特徴量を用いていると、その想定領域に写り込んでいる顔が当該知人の顔であると推定する。
【０２４１】
また人物特定部３６は、何れかの想定領域について算出した複数の確度のうち１つの確度のみが第２閾値以上であり、当該第２閾値以上の確度の算出にユーザのユーザ顔特徴量を用いていると、その想定領域に写り込んでいる顔がユーザの顔であると推定する。
【０２４２】
さらに人物特定部３６は、何れかの想定領域について算出した複数の確度のうち複数（２つ以上）の確度が第２閾値以上であると、当該第２閾値以上の複数の確度のうち最も値の大きい確度を選定する。
【０２４３】
そして人物特定部３６は、最も値の大きい確度の算出に用いた知人顔特徴量又はユーザ顔特徴量に応じて、想定領域に写り込んでいる顔が知人の顔又はユーザの顔であると推定する。
【０２４４】
このようにして人物特定部３６は、写真画像に写り込んでいる人物の顔をもとに、当該写真画像に写り込んでいる人物（すなわち、知人やユーザ）を特定する。
【０２４５】
因みに、以下の説明では、写り込んでいる人物（すなわち、知人やユーザ）が特定された写真画像を、特に人物特定写真画像とも呼び、当該人物特定写真画像内で特定された人物（ユーザや知人）を、特定人物とも呼ぶ。
【０２４６】
この際、人物特定部３６は、人物特定写真画像において特定人物の顔が写り込んでいる想定領域を顔領域とし、１又は複数の想定領域情報が示す領域位置情報の中から当該顔領域の位置を示す領域位置情報を、顔領域位置情報として選択する。
【０２４７】
そして人物特定部３６は、ヘッダデータ、顔領域位置情報、電話帳データ及び自局データを用いて、図６（Ａ）及び（Ｂ）に示すような、人物特定写真画像と、特定した１又は複数の特定人物とを示す特定人物リスト４０Ａ及び４０Ｂを生成する。
【０２４８】
この場合、特定人物リスト４０Ａ及び４０Ｂには、人物特定写真画像の写真画像データに関する画像識別情報及び撮影日時情報が含まれている。
【０２４９】
また特定人物リスト４０Ａ及び４０Ｂには、人物特定写真画像内で特定された１又は複数の特定人物（知人やユーザ）自身や当該特定人物の個人情報を個別に判別可能な、特定人物毎の氏名や電話番号、メールアドレスがリスト化されて含まれている。
【０２５０】
因みに、以下の説明では、特定人物自身や当該特定人物の個人情報を個別に判別可能な、特定人物の氏名、電話番号、メールアドレスを、まとめて人物判別用情報とも呼ぶ。
【０２５１】
さらに特定人物リスト４０Ａ及び４０Ｂには、特定人物毎の人物判別用情報に、その特定人物とユーザとの間柄を示すコメントと、人物特定写真画像において当該特定人物の顔が写り込んでいる顔領域の位置を示す顔領域位置情報とが対応付けられて含まれている。
【０２５２】
因みに、以下の説明では、図６（Ａ）及び（Ｂ）に示した特定人物の登録人数の異なる特定人物リスト４０Ａ及び４０Ｂを特には区別する必要がない場合、これらをまとめて符号４０を付した特定人物リスト４０とも呼ぶ。
【０２５３】
このようにして人物特定部３６は、人物特定写真画像に写り込んでいる人物（すなわち、知人やユーザ）を特定して特定人物リスト４０を生成すると、当該生成した特定人物リスト４０を嗜好抽出部４１に送出する。
【０２５４】
ところで、人物特定部３６は、想定領域毎に算出した複数の確度の何れもが第２閾値よりも小さいと、写真画像には知人の顔やユーザの顔が全く写り込んでいないと判断する。
【０２５５】
この際、人物特定部３６は、人物特定処理に引き続き、被写体としての、外国や国内の建築物や展示物、風景等のような人物以外の撮影対象を特定するための撮影対象特定処理を実行する。
【０２５６】
ここで、画像記憶部２２には、写真画像に写り込んでいる撮影対象を特定するために使用する対象特定使用データが予め記憶されている。
【０２５７】
この場合、対象特定使用データには、例えば、複数の撮影対象の所在地（緯度及び経度で表される位置）を示す所在地情報が含まれている。
【０２５８】
また対象特定使用データには、撮影対象毎の所在地の地名を示す地名情報が、当該撮影対象の所在地を示す所在地情報に対応付けられて含まれている。
【０２５９】
さらに対象特定使用データには、撮影対象毎の名称（以下、これを撮影対象名とも呼ぶ）を示す撮影対象名情報が、当該撮影対象の所在地を示す所在地情報に対応付けられて含まれている。
【０２６０】
人物特定部３６は、撮影対象特定処理を実行すると、画像記憶部２２から対象特定使用データを読み出す。また人物特定部３６は、このとき画像解析部３４から与えられていたヘッダデータから属性情報としてカメラ位置情報及び撮影方向情報を取り出す。
【０２６１】
さらに人物特定部３６は、そのカメラ位置情報及び撮影方向情報と対象特定使用データとに基づいて、写真画像に写り込んでいる１又は複数の撮影対象を特定する。
【０２６２】
因みに、以下の説明では、写り込んでいる撮影対象が特定された写真画像を、対象特定写真画像とも呼び、当該対象特定写真画像内で特定された撮影対象を、特定撮影対象とも呼ぶ。
【０２６３】
そして人物特定部３６は、ヘッダデータ及び対象特定使用データを用いて、図７に示すような、対象特定写真画像と１又は複数の特定撮影対象とを示す特定対象リスト４２を生成する。
【０２６４】
この場合、特定対象リスト４２には、対象特定写真画像の写真画像データに関する画像識別情報及び撮影日時情報が含まれている。
【０２６５】
また特定対象リスト４２には、１又は複数の特定撮影対象を判別可能な特定撮影対象毎の撮影対象名と、当該特定撮影対象の所在地の地名とが対応付けられて含まれている。
【０２６６】
このようにして人物特定部３６は、対象特定写真画像及び１又は複数の特定撮影対象を示す特定対象リスト４２を生成すると、当該生成した特定対象リスト４２を嗜好抽出部４１に送出する。
【０２６７】
また人物特定部３６は、画像解析部３４からヘッダデータのみが与えられた場合、人物特定処理は実行せずに、撮影対象特定処理のみを実行する。
【０２６８】
この場合、人物特定部３６は、上述と同様に処理して特定対象リスト４２を生成し、当該生成した特定対象リスト４２を嗜好抽出部４１に送出する。
【０２６９】
このようにして人物特定部３６は、被写体特定処理を実行した場合、画像解析部３４からヘッダデータ及び想定領域情報、又はヘッダデータのみが与えられる毎に、特定人物リスト４０又は特定対象リスト４２を生成して嗜好抽出部４１に送出する。
【０２７０】
この際、嗜好抽出部４１は、人物特定写真画像内で特定された特定人物の嗜好を抽出する嗜好抽出処理を実行する。
【０２７１】
嗜好抽出部４１は、嗜好抽出処理を実行すると、人物特定部３６から特定人物リスト４０が与えられた場合、当該特定人物リスト４０に登録されている特定人物の人数を１人又は２人以上（すなわち、複数）の何れであるのかを判別する。
【０２７２】
その結果、嗜好抽出部４１は、特定人物リスト４０Ａに特定人物が１人だけ登録されていると、特定人物リスト４０Ａから特定人物（すなわち、人物特定写真画像に写り込んでいる知人又はユーザ）の人物判別用情報を取り出す。
【０２７３】
また嗜好抽出部４１は、人物判別用情報を格納し、特定人物の種々の個人情報のうち、少なくとも利用者識別情報及びパスワードを除く提供用の他の個人情報（以下、これを特に提供用人物情報とも呼ぶ）を要求するための人物情報要求データを生成する。そして嗜好抽出部４１は、その人物情報要求データを主制御部２０に送出する。
【０２７４】
主制御部２０は、嗜好抽出部４１から人物情報要求データが与えられると、当該人物情報要求データを、通信制御部２９及びネットワークインタフェース３０を順次介してネットワーク１２上の情報提供装置１３に送信する。
【０２７５】
情報提供装置１３は、人物情報要求データを受信すると、当該人物情報要求データ内の人物判別用情報により特定人物の個人情報を判別し、当該判別した個人情報のうち提供用人物情報を格納した提供用人物情報データを生成する。そして情報提供装置１３は、その提供用人物情報データを写真画像表示装置１１に返信する。
【０２７６】
この際、主制御部２０は、情報提供装置１３から送信された提供用人物情報データを、ネットワークインタフェース３０及び通信制御部２９を順次介して受信すると共に、当該受信した提供用人物情報データを嗜好抽出部４１に送出する。
【０２７７】
そして嗜好抽出部４１は、提供用人物情報データから特定人物（特定人物リスト４０Ａに１人だけ登録されている特定人物）の提供用人物情報として、音声データの種類毎の種類別所有数を示す提供用人物情報を取り出す。
【０２７８】
これにより嗜好抽出部４１は、音声データの複数の種類（例えば、ジャンル）の中から最も種類別所有数が多い種類を、特定人物リスト４０Ａに登録されている特定人物の音声に対する嗜好として抽出する。
【０２７９】
また図８に示すように、嗜好抽出部４１は、特定人物リスト４０Ａに、特定人物の嗜好を示す嗜好情報を当該特定人物の人物判別用情報と対応付けて追加した嗜好追加人物リスト４３Ａを生成する。
【０２８０】
そして嗜好抽出部４１は、その嗜好追加人物リスト４３Ａを提供用人物情報データと共に検索部４５に送出する。
【０２８１】
一方、嗜好抽出部４１は、特定人物リスト４０Ｂに特定人物が２人以上登録されていると、当該特定人物リスト４０Ｂから複数の特定人物（すなわち、人物特定写真画像に写り込んでいる知人やユーザ）各々の人物判別用情報を取り出す。
【０２８２】
そして嗜好抽出部４１は、複数の特定人物各々の人物判別用情報を格納した人物情報要求データを生成すると共に、その人物情報要求データを主制御部２０に送出する。
【０２８３】
主制御部２０は、嗜好抽出部４１から人物情報要求データが与えられると、当該人物情報要求データを、通信制御部２９及びネットワークインタフェース３０を順次介してネットワーク１２上の情報提供装置１３に送信する。
【０２８４】
この際、情報提供装置１３は、人物情報要求データを受信すると、現時点までに利用者登録している利用者（ユーザや知人を含む）全体で、個人情報としての音声データの種類別所有数を用いて、当該音声データの種類毎に種類別所有数の平均値を算出する。
【０２８５】
因みに、以下の説明では、利用者登録している利用者全体で、音声データの種類別所有数を用いて、当該音声データの種類毎に算出された種類別所有数の平均値を、それぞれ種類別全平均所有数とも呼ぶ。
【０２８６】
また情報提供装置１３は、人物情報要求データ内の複数の人物判別用情報により複数の特定人物各々の個人情報を判別する。
【０２８７】
さらに情報提供装置１３は、特定人物の個人情報のうち提供用人物情報を複数の特定人物分、格納すると共に、音声データの種類毎の種類別全平均所有数を示す種類別全平均所有数情報も格納した提供用人物情報データを生成する。そして情報提供装置１３は、その提供用人物情報データを写真画像表示装置１１に返信する。
【０２８８】
よって主制御部２０は、情報提供装置１３から送信された提供用人物情報データを、ネットワークインタフェース３０及び通信制御部２９を順次介して受信し、当該受信した提供用人物情報データを嗜好抽出部４１に送出する。
【０２８９】
この際、嗜好抽出部４１は、提供用人物情報データから特定人物（特定人物リスト４０Ｂに複数登録されている特定人物）毎の提供用人物情報として、音声データの種類毎の種類別所有数を示す提供用人物情報を取り出す。
【０２９０】
ただし、嗜好抽出部４１は、特定人物リスト４０Ｂに２人以上の特定人物が登録されている場合、写真画像表示装置１１の現在の状況を示す情報として、設定情報記憶部２７から画像プレイリスト２６と共に記憶されている選択時間情報を読み出す。
【０２９１】
すなわち、嗜好抽出部４１は、写真画像表示装置１１の現在の状況を示す情報として設定情報記憶部２７から、画像プレイリスト２６に従い写真画像を表示する際の表示時間を設定するために記憶されていた選択時間情報を読み出す。
【０２９２】
そして嗜好抽出部４１は、選択時間情報が示す選択表示時間を、予め例えば、複数（１０以上の音声）の音声データを連続して再生し得るような基準で選定された所定時間である第４閾値と比較する。
【０２９３】
その結果、嗜好抽出部４１は、選択表示時間が第４閾値以上と比較的長いと、特定人物リスト４０Ｂに登録されている特定人物毎に、音声データの種類（例えば、ジャンル）のうち最も種類別所有数が多い種類を当該特定人物の音声に対する嗜好として抽出する。
【０２９４】
そして図９に示すように、嗜好抽出部４１は、特定人物リスト４０Ｂに、特定人物毎の嗜好を示す嗜好情報を当該特定人物の人物判別用情報と対応付けて追加した嗜好追加人物リスト４３Ｂを生成する。
【０２９５】
これにより嗜好抽出部４１は、その嗜好追加人物リスト４３Ｂを提供用人物情報データと共に検索部４５に送出する。
【０２９６】
これに対し嗜好抽出部４１は、選択表示時間が第４閾値未満と比較的短いと、提供用人物情報データから種類別全平均所有数情報を取り出す。
【０２９７】
また嗜好抽出部４１は、特定人物リスト４０Ｂに登録されている複数の特定人物を１つのグループと見なす。さらに嗜好抽出部４１は、複数の特定人物の種類別所有数を音声データの種類毎に用いて、そのグループで当該音声データの種類毎に種類別所有数の平均値を算出する。
【０２９８】
因みに、以下の説明では、特定人物リスト４０Ｂに登録されている複数の特定人物のグループで音声データの種類毎に算出された種類別所有数の平均値を、それぞれ種類別グループ平均所有数とも呼ぶ。
【０２９９】
そして嗜好抽出部４１は、音声データの種類毎に、種類別グループ平均所有数と種類別全平均所有数とを比較して、音声データの複数の種類の中に、種類別グループ平均所有数が種類別全平均所有数以上である種類が存在するか否かを検出する。
【０３００】
その結果、嗜好抽出部４１は、種類別グループ平均所有数が種類別全平均所有数以上の種類が存在すると、音声データの複数の種類の中から、種類別グループ平均所有数が種類別全平均所有数以上である１又は複数の種類を、複数の特定人物のグループとしての音声に対する嗜好として抽出する。
【０３０１】
すなわち、嗜好抽出部４１は、音声データの複数の種類の中から、種類別グループ平均所有数が種類別全平均所有数以上である１又は複数の種類を、特定人物リスト４０Ｂに登録されている複数の特定人物に共通な嗜好として抽出する。
【０３０２】
さらに図１０に示すように、嗜好抽出部４１は、特定人物リスト４０Ｂに、複数の特定人物の共通な１又は複数の嗜好を示す嗜好情報を当該複数の特定人物の人物判別用情報と対応付けて追加した嗜好追加人物リスト４３Ｃを生成する。そして嗜好抽出部４１は、その嗜好追加人物リスト４３Ｃを提供用人物情報データと共に検索部４５に送出する。
【０３０３】
ただし、嗜好抽出部４１は、音声データの何れの種類についても、種類別グループ平均所有数が種類別全平均所有数未満であると、上述と同様に特定人物リスト４０Ｂに登録されている特定人物毎に嗜好を抽出する。
【０３０４】
そして嗜好抽出部４１は、図９について上述した嗜好追加人物リスト４３Ｂを生成し、当該生成した嗜好追加人物リスト４３Ｂを提供用人物情報データと共に検索部４５に送出する。
【０３０５】
因みに、以下の説明では、図８乃至図１０に示した登録人数や嗜好情報の人物判別用情報への対応付け方が異なる嗜好追加人物リスト４３Ａ乃至４３Ｃを特には区別する必要がない場合、これらをまとめて符号４３を付した嗜好追加人物リスト４３とも呼ぶ。
【０３０６】
ところで、嗜好抽出部４１は、人物特定部３６から特定対象リスト４２が与えられた場合、その特定対象リスト４２を、そのまま検索部４５に送出する。
【０３０７】
この際、検索部４５は、音声データの検索に用いる検索条件リストを生成する検索条件リスト生成処理を実行する。
【０３０８】
検索部４５は、検索条件リスト生成処理を実行すると、情報提供装置１３が把握している現在の状況を示す現在情報を要求するための現在情報要求データを生成する。そして検索部４５は、その現在情報要求データを主制御部２０に送出する。
【０３０９】
主制御部２０は、検索部４５から現在情報要求データが与えられると、当該現在情報要求データを、通信制御部２９及びネットワークインタフェース３０を順次介してネットワーク１２上の情報提供装置１３に送信する。
【０３１０】
情報提供装置１３は、現在情報要求データを受信すると、現在情報を格納した現在情報提供データを生成する。そして情報提供装置１３は、その現在情報提供データを写真画像表示装置１１に返信する。
【０３１１】
ここで、現在情報としては、例えば、現在の日時を示す現在日時情報がある。また現在情報としては、例えば、ユーザが利用者登録により登録した住所と、その住所で写真画像表示装置１１を使用しているものとして当該ユーザの住所付近の現在の天気とを対応付けて示す現在天気情報がある。
【０３１２】
さらに現在情報としては、例えば、情報提供装置１３が配信する配信対象の音声データについて現在の配信数の上位所定数のランキングを示すランキング情報もある。
【０３１３】
因みに、ランキング情報は、例えば、音声データの順位に、当該音声データの音声識別情報やタイトル、アーティスト、ジャンル等の属性情報が対応付けられて生成されている。
【０３１４】
さらに現在情報としては、例えば、情報提供装置１３が配信する配信対象の音声データの中で現在、推薦（又は宣伝）されている音声データを、当該音声データの音声識別情報やタイトル、アーティスト、ジャンル等の属性情報で示す推薦情報もある。
【０３１５】
この際、主制御部２０は、情報提供装置１３から送信された現在情報提供データを、ネットワークインタフェース３０及び通信制御部２９を順次介して受信すると共に、当該受信した現在情報提供データを検索部４５に送出する。
【０３１６】
これにより検索部４５は、主制御部２０を介して情報提供装置１３から現在情報提供データを取得する。この状態で検索部４５は、嗜好抽出部４１から嗜好追加人物リスト４３及び提供用人物情報データが与えられると、これらと現在情報提供データとを用いて、人物特定写真画像の表示中に再生する音声データの検索条件を示す検索条件リストを生成する。
【０３１７】
ただし、設定情報記憶部２７には、例えば、特定人物が特定された場合の検索条件リストの生成用として、予め複数種類の検索条件の項目のみが記述され、当該検索条件が具体的には何ら記述されていないリスト生成用テンプレートが記憶されている。
【０３１８】
よって検索部４５は、主制御部２０から現在情報提供データが与えられた場合、設定情報記憶部２７からリスト生成用テンプレートを読み出す。
【０３１９】
そして検索部４５は、嗜好追加人物リスト４３、提供用人物情報データ及び現在情報提供データに基づき、リスト生成用テンプレートに条件項目に対応する検索条件を登録するようにして検索条件リストを生成している。
【０３２０】
ここで、図１１を用いて、検索部４５に嗜好抽出部４１から例えば、図８について上述した、特定人物が１人だけ登録された嗜好追加人物リスト４３Ａが与えられた場合の検索条件リスト４６Ａの生成について具体的に説明する。
【０３２１】
検索部４５は、まず嗜好追加人物リスト４３Ａから検索条件として特定人物の嗜好情報を取り出し、リスト生成用テンプレートに当該嗜好情報を「嗜好」という条件項目に対応付けて登録する。
【０３２２】
また検索部４５は、例えば、現在情報提供データに音声データのランキング情報が含まれているか否かを判別する。
【０３２３】
その結果、検索部４５は、現在情報提供データにランキング情報が含まれていると、リスト生成用テンプレートにランキング情報を検索条件として使用することを示すフラグを「ランキング」という条件項目に対応付けて登録する。
【０３２４】
さらに検索部４５は、例えば、現在情報提供データに推薦情報が含まれているか否かを判別する。その結果、検索部４５は、現在情報提供データに推薦情報が含まれていると、リスト生成用テンプレートに推薦情報を検索条件として使用することを示すフラグを「推薦」という条件項目に対応付けて登録する。
【０３２５】
因みに、以下の説明では、ランキング情報を検索条件として使用することを示すフラグを、ランキング使用フラグとも呼び、推薦情報を検索条件として使用することを示すフラグを、推薦使用フラグとも呼ぶ。
【０３２６】
さらに検索部４５は、例えば、現在情報提供データから現在日時情報を取り出すと共に、嗜好追加人物リスト４３Ａから撮影日時情報を取り出す。また検索部４５は、現在日時情報及び撮影日時情報に基づき、撮影日時から現在の日時までの経過時間を算出する。
【０３２７】
さらに検索部４５は、その経過時間に基づき検索条件として撮影日時の前後で音声データの再生履歴を参照するための参照期間を決定する。
【０３２８】
そして検索部４５は、リスト生成用テンプレートに、その決定した参照期間を「参照期間」という条件項目に対応付けて登録する。
【０３２９】
ところで、情報提供装置１３は、上述のように利用者の個人情報に公開情報及び公開日時を示す追加情報を追加している場合、後述するように当該公開情報から、その公開情報の内容を表すような１又は複数のキーワードを抽出している。
【０３３０】
因みに、以下の説明では、公開情報から抽出された、当該公開情報の内容を表すようなキーワードを、公開内容キーワードとも呼ぶ。
【０３３１】
そして情報提供装置１３は、公開情報から抽出した１又は複数の公開内容キーワードも利用者の個人情報への追加情報とし、その公開内容キーワードを公開情報及び公開日時に対応付けるようにして、当該利用者の個人情報に追加している。
【０３３２】
よって検索部４５は、提供用人物情報データに公開情報から抽出された１又は複数の公開内容キーワードを示す提供用人物情報が含まれているか否かを判別する。
【０３３３】
その結果、検索部４５は、提供用人物情報データに１又は複数の公開内容キーワードを示す提供用人物情報が含まれていると、提供用人物情報データから当該１又は複数の公開内容キーワードを示す提供用人物情報を検索条件として取り出す。
【０３３４】
そして検察部４５は、リスト生成用テンプレートに提供用人物情報が示す１又は複数の公開内容キーワードを「公開情報」という条件項目に対応付けて登録する。
【０３３５】
また設定情報記憶部２７には、例えば、年間の種々の季節に、当該季節に含まれる日付（月日）と共に、その季節を表現する複数のキーワードや当該季節のイメージを表す複数のキーワードを対応付けて生成されたキーワードリストが予め記憶されている。
【０３３６】
因みに、以下の説明では、季節を表現する複数のキーワードや当該季節のイメージを表す複数のキーワードを、まとめて季節キーワードとも呼び、当該季節キーワードのキーワードリストを、季節キーワードリストとも呼ぶ。
【０３３７】
さらに設定情報記憶部２７には、例えば、年間の種々の期間に、当該期間に含まれる日付（月日）と共に、その期間（また期間内の特定の日付）に行なわれるイベントを表現する複数のキーワードを対応付けて生成されたキーワードリストも予め記憶されている。
【０３３８】
ところで、係るキーワードリストには、年間の種々の期間に、その期間や当該期間内の特定の日付に行なわれるイベントのイメージを表す複数のキーワードも対応付けて含まれている。
【０３３９】
因みに、以下の説明では、イベントを表現する複数のキーワードや当該イベントのイメージを表す複数のキーワードを、まとめてイベントキーワードとも呼び、当該イベントキーワードのキーワードリストを、イベントキーワードリストとも呼ぶ。
【０３４０】
また、以下の説明では、イベントキーワードが示す、種々のイベントが行なわれる期間を、イベント期間とも呼ぶ。
【０３４１】
さらに設定情報記憶部２７には、例えば、１日の中の種々の時間帯（朝、昼、夕方、夜、深夜、明け方等）に、その時間帯を表現する複数のキーワードを対応付けて生成されたキーワードリストも予め記憶されている。
【０３４２】
ところで、係るキーワードリストには、１日の中の種々の時間帯に、当該時間帯のイメージを表す複数のキーワードも対応付けて含まれている。
【０３４３】
因みに、以下の説明では、時間帯を表現する複数のキーワードや当該時間帯のイメージを表す複数のキーワードを、まとめて時間帯キーワードとも呼び、当該時間帯キーワードのキーワードリストを、時間帯キーワードリストとも呼ぶ。
【０３４４】
さらに設定情報記憶部２７には、例えば、種々の天気（晴れや雨、曇り、雪等）に、その天気を表現する複数のキーワードや当該天気のイメージを表す複数のキーワードを対応付けて生成されたキーワードリストも予め記憶されている。
【０３４５】
因みに、以下の説明では、天気を表現する複数のキーワードや当該天気のイメージを表す複数のキーワードを、まとめて天気キーワードとも呼び、当該天気キーワードのキーワードリストを、天気キーワードリストとも呼ぶ。
【０３４６】
さらに設定情報記憶部２７には、例えば、誕生日を表現する複数のキーワードや当該誕生日のイメージを表す複数のキーワードをリスト化して生成されたキーワードリストも予め記憶されている。
【０３４７】
因みに、以下の説明では、誕生日を表現する複数のキーワードや当該誕生日のイメージを表す複数のキーワードを、まとめて誕生日キーワードとも呼び、当該誕生日キーワードのキーワードリストを、誕生日キーワードリストとも呼ぶ。
【０３４８】
さらに設定情報記憶部２７には、例えば、ユーザと特定人物との種々の間柄（ユーザ本人や恋人、サークルの仲間等）に、その間柄を表現する複数のキーワードや当該間柄のイメージを表す複数のキーワードを対応付けて生成されたキーワードリストも予め記憶されている。
【０３４９】
因みに、以下の説明では、間柄を表現する複数のキーワードや当該間柄のイメージを表す複数のキーワードを、まとめて間柄キーワードとも呼び、当該間柄キーワードのキーワードリストを、間柄キーワードリストとも呼ぶ。
【０３５０】
よって検索部４５は、現在情報提供データから現在日時情報を取り出すと、設定情報記憶部２７から季節キーワードリストを読み出す。
【０３５１】
また検索部４５は、季節キーワードリストに登録されている種々の季節と、現在日時情報が示す現在の日時とを比較するようにして、当該現在の季節（すなわち、現在の日時を含む季節）を検出する。
【０３５２】
さらに検索部４５は、季節キーワードから現在の季節に対応する複数の季節キーワードを検索条件として検出する。
【０３５３】
そして検索部４５は、リスト生成用テンプレートに現在の季節に対応する複数の季節キーワードを「現在の季節」という条件項目に対応付けて登録する。
【０３５４】
また検索部４５は、この際、設定情報記憶部２７からイベントキーワードリストを読み出す。さらに検索部４５は、イベントキーワードリストに登録されている種々のイベント期間と、現在の日時とを比較するようにして、当該現在のイベント期間（すなわち、現在の日時を含むイベント期間）を検出する。
【０３５５】
さらにまた検索部４５は、イベントキーワードから現在のイベント期間に対応する複数のイベントキーワードを検索条件として検出する。
【０３５６】
そして検索部４５は、リスト生成用テンプレートに現在のイベント期間に対応する複数のイベントキーワードを「現在のイベント期間」という条件項目に対応付けて登録する。
【０３５７】
さらに検索部４５は、設定情報記憶部２７から時間帯キーワードリストを読み出す。さらに検索部４５は、時間帯キーワードリストに登録されている複数の時間帯と、現在の日時とを比較するようにして、当該現在の時間帯（すなわち、現在の日時を含む時間帯）を検出する。
【０３５８】
さらにまた検索部４５は、時間帯キーワードリストから、現在の時間帯に対応する複数の時間帯キーワードを検索条件として取り出す。
【０３５９】
そして検索部４５は、リスト生成用テンプレートに現在の時間帯に対応する複数の時間帯キーワードを「現在の時間帯」という条件項目に対応付けて登録する。
【０３６０】
さらに検索部４５は、現在情報提供データから現在天気情報を取り出すと共に、設定情報記憶部２７から天気キーワードリストを読み出す。
【０３６１】
また検索部４５は、現在天気情報が示す現在の天気に基づき、天気キーワードリストから、当該現在の天気に対応する複数の天気キーワードを検索条件として取り出す。
【０３６２】
そして検索部４５は、リスト生成用テンプレートに現在の天気に対応する複数の天気キーワードを「現在の天気」という条件項目に対応付けて登録する。
【０３６３】
さらに検索部４５は、提供用人物情報データから特定人物の生年月日を示す提供用人物情報を取り出す。また検索部４５は、その提供用人物情報が示す生年月日を、現在の日時と比較するようにして、今日が特定人物の誕生日であるか否かを判別する。
【０３６４】
その結果、検索部４５は、今日が特定人物の誕生日であると、設定情報記憶部２７から検索条件として誕生日キーワードリストが示す複数の誕生日キーワードを読み出す。
【０３６５】
そして検索部４５は、リスト生成用テンプレートに複数の誕生日キーワードを「誕生日」という条件項目に対応付けて登録する。
【０３６６】
さらに検索部４５は、嗜好追加人物リスト４３Ａに登録されているコメントに基づき、当該嗜好追加登録人物リスト４３Ａに登録されている特定人物がユーザ以外であるか否かを判別する。
【０３６７】
その結果、検索部４５は、特定人物がユーザ以外であると、提供用人物情報データから当該特定人物の住所を示す提供用人物情報を取り出す。
【０３６８】
また検索部４５は、その提供用人物情報が示す特定人物の住所を、現在情報提供データから取り出していた現在天気情報が示すユーザの住所と比較する。
【０３６９】
その結果、検索部４５は、特定人物の住所とユーザの住所とが（すなわち、２人の居所が）例えば、異なる都道府県であると、リスト生成用テンプレートに互いの住所に示される都道府県の名称を検索条件として「住所」という条件項目に対応付けて登録する。
【０３７０】
さらに検索部４５は、設定情報記憶部２７から間柄キーワードリストを読み出す。また検索部４５は、嗜好追加人物リスト４３Ａに登録されているコメントに基づき、間柄キーワードリストから、ユーザと特定人物との間柄に対応する複数の間柄キーワードを検索条件として取り出す。
【０３７１】
そして検索部４５は、リスト生成用テンプレートにユーザと特定人物との間柄に対応する複数の間柄キーワードを「間柄」という条件項目に対応付けて登録する。
【０３７２】
このようにして検索部４５は、リスト生成用テンプレートに「嗜好」、「参照期間」、「現在の季節」、「現在のイベント期間」、「現在の時間帯」、「現在の天気」、「間柄」という条件項目の検索条件については必ず登録する。
【０３７３】
また検索部４５は、リスト生成用テンプレートに「ランキング」、「推薦」、「公開情報」、「誕生日」、「住所」という条件項目の検索条件については適宜登録する。
【０３７４】
そして検索部４５は、このようにリスト生成用テンプレートに種々の検索条件を登録することで、当該種々の検索条件を登録したリスト生成用テンプレートとして検索条件リスト４６Ａを生成する。
【０３７５】
これにより検索部４５は、検索条件リスト４６Ａにより音声データの検索に使用する、少なくとも「嗜好」、「参照期間」、「現在の季節」、「現在のイベント期間」、「現在の時間帯」、「現在の天気」、「間柄」という条件項目以上の検索条件を設定する。
【０３７６】
ところで、検索部４５は、嗜好抽出部４１から図９について上述した、複数の特定人物それぞれの嗜好が登録された嗜好追加人物リスト４３Ｂが与えられると、上述と同様な構成の検索条件リスト４６Ａを当該特定人物の人数分生成する。
【０３７７】
すなわち、検索部４５は、特定人物毎に当該特定人物の嗜好に合った音声データを検索するための検索条件リスト４６Ａを生成する。
【０３７８】
また検索部４５は、嗜好抽出部４１から複数の特定人物に共通な嗜好が登録された嗜好追加人物リスト４３Ｃ（図１０）が与えられると、基本的には上述と同様な構成の図１２に示すような１つの検索条件リスト４６Ｂを生成する。
【０３７９】
すなわち、検索部４５は、嗜好追加人物リスト４３Ｃから複数の特定人物に共通な嗜好を示す１又は複数の嗜好情報を取り出して、リスト生成用テンプレートに当該１又は複数の嗜好情報を「嗜好」という条件項目に対応付けて登録する。
【０３８０】
また検索部４５は、この際、リスト生成用テンプレートにおいて「参照期間」、「現在の季節」、「現在のイベント期間」、「現在の時間帯」、「現在の天気」、「間柄」という条件項目についても上述と同様に処理して検索条件を登録する。
【０３８１】
さらに検索部４５は、リスト生成用テンプレートにおいて「ランキング」、「推薦」、「公開情報」、「誕生日」、「住所」という条件項目については、上述と同様に処理して検索条件を適宜登録する。
【０３８２】
ただし、検索部４５は、リスト生成用テンプレートにおいて「公開情報」、「住所」、「間柄」という条件項目については、上述と同様の処理を特定人物の人数分だけ実行して、当該人数分検出した検索条件を登録する。
【０３８３】
また検索部４５は、リスト生成用テンプレートにおいて「誕生日」という条件項目については、複数の特定人物それぞれの誕生日を現在の日時と比較するようにして、少なくとも１人の誕生日が今日であると、複数の誕生日キーワードを登録する。
【０３８４】
このようにして検索部４５は、複数の特定人物に共通な嗜好が抽出されている場合、これら複数の特定人物の共通な嗜好に合った音声データを検索するための１つの検索条件リスト４６Ｂを生成する。
【０３８５】
さらに検索部４５は、嗜好抽出部４１から特定対象リスト４２が与えられると、特定対象リスト４２と共に現在情報提供データを用いて、図１３に示すような、対象特定写真画像の表示中に再生する音声データの検索条件を示す検索条件リスト４６Ｃを生成する。
【０３８６】
実際に設定情報記憶部２７には、例えば、撮影対象が特定された場合の検索条件リストの生成用として、予め複数種類の検索条件の項目のみが記述され、当該検索条件が具体的には何ら記述されていないリスト生成用テンプレートが記憶されている。
【０３８７】
よって検索部４５は、この際、設定情報記憶部２７からリスト生成用テンプレートを読み出す。また検索部４５は、特定対象リスト４２から検索条件として１又は複数の撮影対象名を取り出す。
【０３８８】
そして検索部４５は、リスト生成用テンプレートに、その１又は複数の撮影対象名を「撮影対象」という条件項目に対応付けて登録する。
【０３８９】
さらに検索部４５は、特定対象リスト４２から検索条件として撮影対象の所在地の地名も取り出す。そして検索部４５は、リスト生成用テンプレートに、その地名を「地名」という条件項目に対応付けて登録する。
【０３９０】
さらに検索部４５は、上述と同様に、現在情報提供データに音声データのランキング情報が含まれていると、リスト生成用テンプレートにランキング使用フラグを「ランキング」という条件項目に対応付けて登録する。
【０３９１】
さらに検索部４５は、上述と同様に、現在情報提供データに推薦情報が含まれていると、リスト生成用テンプレートに推薦使用フラグを「推薦」という条件項目に対応付けて登録する。
【０３９２】
さらに検索部４５は、上述と同様に検索条件として、撮影日時の前後で音声データの再生履歴を参照するための参照期間を決定する。
【０３９３】
そして検索部４５は、リスト生成用テンプレートに、その決定した参照期間を「参照期間」という条件項目に対応付けて登録する。
【０３９４】
また検索部４５は、上述と同様に現在の日時及び季節キーワードリストに基づき、現在の季節を検出する。さらに検索部４５は、季節キーワードリストから、その現在の季節に対応する複数の季節キーワードを検索条件として取り出す。
【０３９５】
そして検索部４５は、リスト生成用テンプレートに現在の季節に対応する複数の季節キーワードを「現在の季節」という条件項目に対応付けて登録する。
【０３９６】
また検索部４５は、上述と同様に現在の日時及びイベントキーワードリストに基づき、現在のイベント期間を検出する。
【０３９７】
さらに検索部４５は、イベントキーワードリストから、その現在のイベント期間に対応する複数のイベントキーワードを検索条件として取り出す。
【０３９８】
そして検索部４５は、リスト生成用テンプレートに現在のイベント期間に対応する複数のイベントキーワードを「現在のイベント期間」という条件項目に対応付けて登録する。
【０３９９】
また検索部４５は、上述と同様に現在の日時及び時間帯キーワードリストに基づき、現在の時間帯を検出する。
【０４００】
さらに検索部４５は、時間帯キーワードリストから、その現在の時間帯に対応する複数の時間帯キーワードを検索条件として取り出す。
【０４０１】
そして検索部４５は、リスト生成用テンプレートに現在の時間帯に対応する複数の時間帯キーワードを「現在の時間帯」という条件項目に対応付けて登録する。
【０４０２】
さらに検索部４５は、上述と同様に現在の天気を検出し、天気キーワードリストから当該現在の天気に対応する複数の天気キーワードを検索条件として取り出す。
【０４０３】
そして検索部４５は、リスト生成用テンプレートに現在の天気に対応する複数の天気キーワードを「現在の天気」という条件項目に対応付けて登録する。
【０４０４】
このようにして検索部４５は、リスト生成用テンプレートに「撮影対象」、「地名」、「参照期間」、「現在の季節」、「現在のイベント期間」、「現在の時間帯」、「現在の天気」という条件項目の検索条件については必ず登録する。
【０４０５】
また検索部４５は、リスト生成用テンプレートに「ランキング」、「推薦」という条件項目の検索条件については適宜登録する。
【０４０６】
そして検索部４５は、このようにリスト生成用テンプレートに種々の検索条件を登録することで、当該種々の検索条件を登録したリスト生成用テンプレートとして検索条件リスト４６Ｃを生成する。
【０４０７】
これにより検索部４５は、検索条件リスト４６Ｃにより音声データの検索に使用する、少なくとも「撮影対象」、「地名」、「参照期間」、「現在の季節」、「現在のイベント期間」、「現在の時間帯」、「現在の天気」という条件項目以上の検索条件を設定する。
【０４０８】
因みに、以下の説明では、図１１乃至図１３に示した検索条件リスト４６Ａ乃至４６Ｃを特には区別する必要がない場合、これらをまとめて符号４６を付した検索条件リスト４６とも呼ぶ。
【０４０９】
検索部４５は、このようにして音声データを検索するための検索条件リスト４６を生成すると、引き続き検索処理を実行する。
【０４１０】
検索部４５は、検索処理を実行すると、情報提供装置１３に複数の音声データの属性情報を要求するための属性情報要求データを生成する。そして検索部４５は、その属性情報要求データを主制御部２０に送出する。
【０４１１】
主制御部２０は、検索部４５から属性情報要求データが与えられると、当該属性情報要求データを、通信制御部２９及びネットワークインタフェース３０を順次介してネットワーク１２上の情報提供装置１３に送信する。
【０４１２】
情報提供装置１３は、属性情報要求データを受信すると、複数の音声データそれぞれの属性情報を格納した属性情報提供データを生成する。そして情報提供装置１３は、その属性情報提供データを写真画像表示装置１１に返信する。
【０４１３】
ここで、音声データの属性情報としては、例えば、音声データの音声識別情報やタイトル、アーティスト、ジャンル、リリース年、再生時間がある。
【０４１４】
また音声データの属性情報としては、例えば、後述するように情報提供装置１３により音声データのタイトルや音声の詞（歌詞やセリフ、朗読文等）から抽出された、音声の内容を表すキーワード（以下、これを音声内容キーワードとも呼ぶ）もある。
【０４１５】
さらに音声データの属性情報としては、例えば、後述するように情報提供装置１３により音声データを解析して得られた音声のイメージを表すキーワード（以下、これを音声イメージキーワードとも呼ぶ）もある。
【０４１６】
この際、主制御部２０は、情報提供装置１３から送信された属性情報提供データを、ネットワークインタフェース３０及び通信制御部２９を順次介して受信すると共に、当該受信した属性情報提供データを検索部４５に送出する。
【０４１７】
検索部４５は、主制御部２０から属性情報提供データが与えられると、当該属性情報提供データから全ての属性情報を取り出す。
【０４１８】
そして検索部４５は、検索条件リスト４６に登録している特定の検索条件を、複数の属性情報と共に用いて、実際に音声データを検索する第１段階検索処理を実行する。
【０４１９】
これにより検索部４５は、複数の音声データの中から、特定の検索条件に適合する複数の音声データを、対応する属性情報として検索する。
【０４２０】
引き続き検索部４５は、検索条件リスト４６に登録している、特定の検索条件を除く他の検索条件を、第１段階検索処理で検索した複数の属性情報と共に用いて第２段階検索処理を実行する。
【０４２１】
これにより検索部４５は、第１段階検索処理で検索した複数の音声データの中から、他の検索条件に適合する１又は複数の音声データを絞り込むようにして、他の検索条件に適合する１又は複数の音声データを、対応する属性情報として検索する。
【０４２２】
因みに、以下の説明では、第１段階検索処理や第２段階検索処理によって検索した音声データを、検索音声データとも呼ぶ。
【０４２３】
ここで、検索部４５が検索条件リスト４６を用いて順次実行する第１段階検索処理及び第２段階検索処理について具体的に説明する。
【０４２４】
まず検索部４５が、１又は複数の特定人物が特定された１つの人物特定写真画像に応じて、１つだけ生成した検索条件リスト４６Ａ及び４６Ｂ（図１１及び図１２）を用いて、第１段階検索処理及び第２段階検索処理を順次実行する場合について説明する。
【０４２５】
この場合、検索部４５は、第１段階検索処理を実行すると、検索条件リスト４６Ａ及び４５Ｂ内の嗜好情報を特定の検索条件とする。
【０４２６】
よって検索部４５は、複数の属性情報の中で、条件リスト４６Ａ及び４６Ｂに登録している１又は複数の嗜好情報の少なくとも１つと一致するジャンルやアーティストを含む属性情報を探索する。
【０４２７】
これにより検索部４５は、複数の音声データの中から、１又は複数の特定人物の嗜好に合った複数の検索音声データを検索する。
【０４２８】
引き続き検索部４５は、第２段階検索処理を実行すると、検索条件リスト４６Ａ及び４５Ｂ内のランキング使用フラグ、推薦使用フラグ、参照期間、公開内容キーワード、季節キーワード、イベントキーワードを他の検索条件とする。
【０４２９】
また検索部４５は、この際、検索条件リスト４６Ａ及び４５Ｂ内の時間帯キーワード、天気キーワード、誕生日キーワード、都道府県の名称、間柄キーワードも他の検索条件とする。
【０４３０】
よって検索部４５は、検索条件リスト４６Ａ及び４６Ｂにランキング使用フラグを登録しているか否かを判別する。
【０４３１】
その結果、検索部４５は、検索条件リスト４６Ａ及び４６Ｂにランキング使用フラグを登録していると、複数の検索音声データの属性情報の中で、現在情報提供データ内のランキング情報が示す音声データの属性情報を探索する。
【０４３２】
これにより検索部４５は、複数の検索音声データの中から適宜、ランキング情報が示す１又は複数の検索音声データを絞り込むようにして検索する。
【０４３３】
また検索部４５は、検索条件リスト４６Ａ及び４６Ｂに推薦使用フラグを登録しているか否かを判別する。その結果、検索部４５は、検索条件リスト４６Ａ及び４６Ｂに推薦使用フラグを登録していると、複数の検索音声データの属性情報の中で、現在情報提供データ内の推薦情報が示す音声データの属性情報を探索する。
【０４３４】
これにより検索部４５は、複数の検索音声データの中から適宜、推薦情報が示す１又は複数の検索音声データを絞り込むようにして検索する。
【０４３５】
さらに検索部４５は、検索条件リスト４６Ａ及び４６Ｂに登録している参照期間に基づき、提供用人物情報データに１又は複数の特定人物に関する当該参照期間内の再生履歴が含まれているか否かを判別する。
【０４３６】
その結果、検索部４５は、提供用人物情報データに１又は複数の特定人物に関する参照期間内の１又は複数の再生履歴が含まれていると、複数の検索音声データの属性情報の中で、当該参照期間内の１又は複数の再生履歴が示す音声データの属性情報を探索する。
【０４３７】
これにより検索部４５は、複数の検索音声データの中から適宜、参照期間内の１又は複数の再生履歴が示す１又は複数の検索音声データを絞り込むようにして検索する。
【０４３８】
さらに検索部４５は、検索条件リスト４６Ａ及び４６Ｂに１又は複数の公開内容キーワードを登録しているか否かを判別する。
【０４３９】
その結果、検索部４５は、検索条件リスト４６Ａ及び４６Ｂに１又は複数の公開内容キーワードを登録していると、複数の検索音声データの属性情報の中で、公開内容キーワードと一致する音声内容キーワードや音声イメージキーワードを含む属性情報を探索する。
【０４４０】
これにより検索部４５は、複数の検索音声データの中から適宜、公開情報の内容に適合する１又は複数の検索音声データを絞り込むようにして検索する。
【０４４１】
さらに検索部４５は、検索条件リスト４６Ａ及び４６Ｂに登録している複数の季節キーワードに基づき、複数の検索音声データの属性情報の中で、当該季節キーワードと一致する音声内容キーワードや音声イメージキーワードを含む属性情報を探索する。
【０４４２】
これにより検索部４５は、複数の検索音声データの中から適宜、現在の季節に適合する１又は複数の検索音声データを絞り込むようにして検索する。
【０４４３】
さらに検索部４５は、検索条件リスト４６Ａ及び４６Ｂに登録している複数のイベントキーワードに基づき、複数の検索音声データの属性情報の中で、当該イベントキーワードと一致する音声内容キーワードや音声イメージキーワードを含む属性情報を探索する。
【０４４４】
これにより検索部４５は、複数の検索音声データの中から適宜、現在のイベント期間に適合する１又は複数の検索音声データを絞り込むようにして検索する。
【０４４５】
さらに検索部４５は、検索条件リスト４６Ａ及び４６Ｂに登録している複数の時間帯キーワードに基づき、複数の属性情報の中で、当該時間帯キーワードと一致する音声内容キーワードや音声イメージキーワードを含む属性情報を探索する。
【０４４６】
これにより検索部４５は、複数の検索音声データの中から適宜、現在の時間帯に適合する１又は複数の検索音声データを絞り込むようにして検索する。
【０４４７】
さらに検索部４５は、検索条件リスト４６Ａ及び４６Ｂに登録している複数の天気キーワードに基づき、複数の属性情報の中で、当該天気キーワードと一致する音声内容キーワードや音声イメージキーワードを含む属性情報を探索する。
【０４４８】
これにより検索部４５は、複数の検索音声データの中から適宜、現在の天気に適合する１又は複数の検索音声データを絞り込むようにして検索する。
【０４４９】
さらに検索部４５は、検索条件リスト４６Ａ及び４６Ｂに複数の誕生日キーワードを登録しているか否かを判別する。
【０４５０】
その結果、検索部４５は、検索条件リスト４６Ａ及び４６Ｂに複数の誕生日キーワードを登録していると、複数の属性情報の中で、当該誕生日キーワードと一致する音声内容キーワードや音声イメージキーワードを含む属性情報を探索する。
【０４５１】
これにより検索部４５は、複数の検索音声データの中から適宜、誕生日に適合する１又は複数の検索音声データを絞り込むようにして検索する。
【０４５２】
さらに検索部４５は、検索条件リスト４６Ａ及び４６Ｂに複数の都道府県の名称を登録しているか否かを判別する。
【０４５３】
その結果、検索部４５は、検索条件リスト４６Ａ及び４６Ｂに複数の都道府県の名称を登録していると、複数の属性情報の中で、当該都道府県の名称と一致する音声内容キーワードや音声イメージキーワードを含む属性情報を探索する。
【０４５４】
これにより検索部４５は、複数の検索音声データの中から適宜、ユーザ及び特定人物や、複数の特定人物が離れて暮らしていることに適合する１又は複数の検索音声データを絞り込むようにして検索する。
【０４５５】
さらに検索部４５は、検索条件リスト４６Ａ及び４６Ｂに登録している複数の間柄キーワードに基づき、複数の検索音声データの属性情報の中で、当該間柄キーワードと一致する音声内容キーワードや音声イメージキーワードを含む属性情報を探索する。
【０４５６】
これにより検索部４５は、複数の検索音声データの中から適宜、間柄に適合する１又は複数の検索音声データを絞り込むようにして検索する。
【０４５７】
このようにして検索部４５は、第１段階検索処理を実行することにより、１又は複数の特定人物の嗜好に合った複数の検索音声データを検索する。
【０４５８】
また検索部４５は、引き続き第２段階検索処理を実行することにより、１又は複数の特定人物の嗜好に合った複数の検索音声データの中から、他の検索条件に適合する１又は複数の検索音声データを適宜絞り込むようにして検索する。
【０４５９】
すなわち、検索部４５は、第２段階検索処理を実行して他の検索条件に適合する１又は複数の検索音声データを検索し得ると、当該検索した１又は複数の検索音声データを最終的な検索結果にする。
【０４６０】
因みに、検索部４５は、複数の検索音声データを他の検索条件で絞り込む場合に２以上の他の検索条件が同一の検索音声データに適合すると、当該同一の検索音声データを、これに適合する２以上の他の検索条件を把握しつつ、重複を避けて検索する。
【０４６１】
これに対し検索部４５は、第２段階検索処理を実行しても、他の検索条件に適合する検索音声データを全く検索し得ないと、第１段階検索処理で検索していた複数の検索音声データを最終的な検索結果にする。
【０４６２】
そして検索部４５は、このようにして１又は複数の検索音声データを検索すると、当該１又は複数の検索音声データの属性情報と共に、嗜好追加人物リスト４３及び検索条件リスト４６Ａ及び４６Ｂを用いて、その検索音声データを示す検索音声リストを生成する。
【０４６３】
ここで、図１４を用いて例えば、検索部４５が、図１１について上述した検索条件リスト４６Ａに従い、第１段階検索処理で検索した複数の検索音声データを最終的な検索結果とした場合に生成する検索音声リスト４７Ａについて説明する。
【０４６４】
この場合、検索部４５は、例えば、複数の検索音声データを再生する際に表示する人物特定写真画像に関する情報として、嗜好追加人物リスト４３Ａから画像識別情報及び撮影日時情報を取り出す。
【０４６５】
そして検索部４５は、画像識別情報及び撮影日時情報を互いに対応付けるようにして検索音声リスト４７Ａに登録する。
【０４６６】
また検索部４５は、このとき検索した検索音声データ毎の種々の属性情報の中から、例えば、少なくとも音声識別情報、タイトル、アーティスト、ジャンル、リリース年、再生時間を、当該検索音声データを示す検索音声属性情報として取り出す。
【０４６７】
そして検索部４５は、１又は複数の検索音声データ各々の検索音声属性情報を、画像識別情報及び撮影日時情報に対応付けるようにして検索音声リスト４７Ａに登録する。
【０４６８】
さらに検索部４５は、検索音声データ毎の検索理由を示す情報（以下、これを検索理由情報とも呼ぶ）を、当該検索音声データの検索音声属性情報に対応付けるようにして検索音声リスト４７Ａに登録する。
【０４６９】
ここで、検索部４５は、検索音声データの検索理由として、例えば、検索用の条件項目としての「嗜好」、「公開情報」、「誕生日」、「住所」、「間柄」に対応する特定人物の嗜好、公開情報、誕生日、住所、ユーザとの間柄を、優先順位を付けて採用している。
【０４７０】
ただし、検索部４５は、この場合、特定人物の嗜好に基づいて検索した複数の検索音声データを最終的な検索結果としている。
【０４７１】
よって検索部４５は、この場合、検索条件リスト４６から、検索音声データの検索に使用した特定人物の嗜好を表す嗜好情報を検索理由情報として取り出す。そして検索部４５は、その嗜好情報である検索理由情報を検索音声リスト４７Ａに登録する。
【０４７２】
さらに検索部４５は、嗜好追加人物リスト４３Ａから特定人物の氏名、電話番号、メールアドレス及びコメントを、当該特定人物を示す特定人物情報として取り出す。
【０４７３】
さらにまた検索部４５は、嗜好追加人物リスト４３Ａから、人物特定写真画像内で特定された特定人物の顔が写り込んでいる顔領域の位置を示す顔領域位置情報を取り出す。
【０４７４】
そして検索部４５は、その特定人物情報及び顔領域位置情報を互いに対応付けると共に、検索音声属性情報及び検索理由情報にも対応付けるようにして検索音声リスト４７Ａに登録する。
【０４７５】
このようにして検索部４５は、検索条件としての嗜好情報を用いて検索した全ての検索音声データを検索音声属性情報として登録した検索音声リスト４７Ａを生成する。
【０４７６】
次いで、図１５を用いて例えば、検索部４５が、図１１について上述した検索条件リスト４６Ａに従い、第２段階検索処理で検索した１又は複数の検索音声データを最終的な検索結果とした場合に生成する検索音声リスト４７Ｂについて説明する。
【０４７７】
この場合、検索部４５は、上述と同様に嗜好追加人物リスト４３Ａから画像識別情報及び撮影日時情報を取り出して検索音声リスト４７Ｂに登録する。
【０４７８】
また検索部４５は、上述と同様に、このとき検索した検索音声データ毎の種々の属性情報から検索音声属性情報を取り出す。
【０４７９】
そして検索部４５は、１又は複数の検索音声データ各々の検索音声属性情報を、画像識別情報及び撮影日時情報に対応付けるようにして検索音声リスト４７Ｂに登録する。
【０４８０】
さらに検索部４５は、検索音声データ毎に、当該検索音声データを検索し得た条件項目に応じて、当該条件項目に対応する検索理由を、その優先順位に従って１つ選定する。
【０４８１】
そして検索部４５は、検索音声データ毎に選定した１つの検索理由に応じて、その検索理由を示す嗜好や公開情報、誕生日、住所、ユーザとの間柄を検索理由情報とする。
【０４８２】
実際に検索部４５は、検索理由として嗜好を選定した場合、上述と同様に検索条件リスト４６Ａから特定人物の嗜好を示す嗜好情報を取り出して検索理由情報とする。
【０４８３】
また検索部４５は、検索理由として公開情報を選定した場合、提供用人物情報データから、検索音声データを検索し得た公開情報キーワードに対応する公開情報及び公開日時情報を示す特定人物の提供用人物情報を取り出して検索理由情報とする。
【０４８４】
さらに検索部４５は、検索理由として誕生日を選定した場合、提供用人物情報データから特定人物の誕生日（すなわち、生年月日）を示す提供用人物情報を取り出して検索理由情報とする。
【０４８５】
さらに検索部４５は、検索理由として住所を選定した場合、例えば、提供用人物情報データから、特定人物の住所を示す提供用人物情報を取り出すと共に、現在情報提供データからユーザの住所に対応する現在天気情報を取り出す。そして検索部４５は、これら特定人物の住所とユーザの住所とを検索理由情報とする。
【０４８６】
さらに検索部４５は、検索理由としてユーザとの間柄を選定した場合、嗜好追加人物リスト４３Ａからコメント（ユーザとの間柄を示すコメント）を取り出して検索理由情報とする。
【０４８７】
このようにして検索部４５は、検索理由情報を得ると、その検索理由情報を検索音声データの検索音声属性情報に対応付けるようにして検索音声リスト４７Ｂに登録する。
【０４８８】
さらに検索部４５は、上述と同様に嗜好追加人物リスト４３Ａから特定人物情報及び顔領域位置情報を取り出す。
【０４８９】
そして検索部４５は、その特定人物情報及び顔領域位置情報を互いに対応付けると共に、検索音声属性情報及び検索理由情報にも対応付けるようにして検索音声リスト４７Ｂに登録する。
【０４９０】
このようにして検索部４５は、特定の検索条件としての嗜好情報と共に他の検索条件を用いて検索した全ての検索音声データを検索音声属性情報として登録した検索音声リスト４７Ｂを生成する。
【０４９１】
次いで、検索部４５が、複数の特定人物が特定された１つの人物特定写真画像に応じて、複数（すなわち、複数の特定人物の人数分）生成した検索条件リスト４６Ａ（図１１）を用いて第１段階検索処理及び第２段階検索処理を順次実行する場合について説明する。
【０４９２】
この場合、検索部４５は、順次１つの検索条件リスト４６Ａを用いて上述と同様に第１段階検索処理及び第２段階検索処理を順番に実行する。
【０４９３】
これにより検索部４５は、検索条件リスト４６Ａ毎に、それぞれ異なる１人の特定人物の嗜好に合った複数の検索音声データを検索し、又は当該嗜好に合った複数の検索音声データの中から絞り込むようにして１又は複数の検索音声データを検索する。
【０４９４】
そして検索部４５は、検索条件リスト４６Ａ毎の検索結果をもとに、当該検索条件リスト４６Ａ毎に、図１４や図１５について上述した検索音声リスト４７Ａ及び４７Ｂと同様構成の検索音声リストを生成する。
【０４９５】
すなわち、検索部４５は、それぞれ異なる１人の特定人物（すなわち、音声データの検索に使用した嗜好を有する１人の特定人物）の特定人物情報及び顔領域位置情報を登録した検索音声リスト４７Ａ及び４７Ｂを、特定人物の人数分生成する。
【０４９６】
次いで、検索部４５が、１つの対象特定写真画像に応じて、１つだけ生成した検索条件リスト４６Ｃ（図１３）を用いて、第１段階検索処理及び第２段階検索処理を順次実行する場合について説明する。
【０４９７】
この場合、検索部４５は、第１段階検索処理を実行すると、検索条件リスト４６Ｃ内の１又は複数の撮影対象名及び地名をそれぞれ特定の検索条件とする。
【０４９８】
よって検索部４５は、複数の属性情報の中で、条件リスト４６Ｃに登録している１又は複数の撮影対象名及び地名の少なくとも１つと一致するジャンルやアーティストを含む属性情報を探索する。
【０４９９】
これにより検索部４５は、複数の音声データの中から、１又は複数の特定撮影対象や当該特定撮影対象の所在地の地名に適合した複数の検索音声データを検索する。
【０５００】
引き続き検索部４５は、第２段階検索処理を実行すると、検索条件リスト４６Ｃ内のランキング使用フラグ、推薦使用フラグ、参照期間、季節キーワード、イベントキーワード、時間帯キーワード、天気キーワードを他の検索条件とする。
【０５０１】
よって検索部４５は、上述と同様に検索条件リスト４６Ｃにランキング使用フラグを登録しているか否かを判別する。
【０５０２】
その結果、検索部４５は、検索条件リスト４６Ｃにランキング使用フラグを登録していると、複数の検索音声データの中から適宜、当該ランキング情報が示す１又は複数の検索音声データを絞り込むようにして検索する。
【０５０３】
また検索部４５は、上述と同様に検索条件リスト４６Ｃに推薦使用フラグを登録しているか否かを判別する。その結果、検索部４５は、検索条件リスト４６Ｃに推薦使用フラグを登録していると、複数の検索音声データの中から適宜、当該推薦情報が示す１又は複数の検索音声データを絞り込むようにして検索する。
【０５０４】
さらに検索部４５は、上述と同様に検索条件リスト４６Ｃに登録している参照期間に基づき、提供用人物情報データに特定人物に関する当該参照期間内の再生履歴が含まれているか否かを判別する。
【０５０５】
その結果、検索部４５は、提供用人物情報データに特定人物に関する参照期間内の１又は複数の再生履歴が含まれていると、複数の検索音声データの中から適宜、当該再生履歴が示す１又は複数の検索音声データを絞り込むようにして検索する。
【０５０６】
さらに検索部４５は、上述と同様に複数の季節キーワードに基づき、複数の検索音声データの中から適宜、現在の季節に適合する１又は複数の検索音声データを絞り込むようにして検索する。
【０５０７】
さらに検索部４５は、上述と同様に複数のイベントキーワードに基づき、複数の検索音声データの中から適宜、現在のイベント期間に適合する１又は複数の検索音声データを絞り込むようにして検索する。
【０５０８】
さらに検索部４５は、上述と同様に複数の時間帯キーワードに基づき、複数の検索音声データの中から適宜、現在の時間帯に適合する１又は複数の検索音声データを絞り込むようにして検索する。
【０５０９】
さらに検索部４５は、上述と同様に複数の天気キーワードに基づき、複数の検索音声データの中から適宜、現在の天気に適合する１又は複数の検索音声データを絞り込むようにして検索する。
【０５１０】
このようにして検索部４５は、第１段階検索処理を実行することにより、１又は複数の特定撮影対象や、当該特定撮影対象の所在地にちなんだ複数の検索音声データを検索する。
【０５１１】
因みに、検索部４５は、この際、２以上の特定の検索条件（１又は複数の撮影対象名や地名）が同一の検索音声データに適合すると、当該同一の検索音声データを、これに適合する２以上の特定の検索条件を把握しつつ、重複を避けて検索する。
【０５１２】
そして検索部４５は、引き続き第２段階検索処理を実行することにより、特定撮影対象の所在地にちなんだ複数の検索音声データの中から、適宜他の検索条件に適合する１又は複数の検索音声データを絞り込むようにして検索する。
【０５１３】
すなわち、検索部４５は、この場合も第２段階検索処理を実行して他の検索条件に適合する１又は複数の検索音声データを検索し得ると、当該検索した１又は複数の検索音声データを最終的な検索結果にする。
【０５１４】
因みに、検索部４５は、複数の検索音声データを他の検索条件で絞り込む場合も、２以上の他の検索条件が同一の検索音声データに適合すると、当該同一の検索音声データを、これに適合する２以上の他の検索条件を把握しつつ、重複を避けて検索する。
【０５１５】
これに対し検索部４５は、第２段階検索処理を実行しても、他の検索条件に適合する検索音声データを全く検索し得ないと、第１段階検索処理で検索していた複数の検索音声データを最終的な検索結果にする。
【０５１６】
そして検索部４５は、このようにして１又は複数の検索音声データを検索すると、当該１又は複数の検索音声データの属性情報と共に、特定対象リスト４２及び検索条件リスト４６Ｃを用いて、図１６に示すような検索音声リスト４７Ｃを生成する。
【０５１７】
この場合、検索部４５は、例えば、１又は複数の検索音声データを再生する際に表示する対象特定写真画像に関する情報として特定対象リスト４２から画像識別情報及び撮影日時情報を取り出す。
【０５１８】
そして検索部４５は、画像識別情報及び撮影日時情報を互いに対応付けるようにして検索音声リスト４７Ｃに登録する。
【０５１９】
また検索部４５は、上述と同様に、このとき検索した検索音声データ毎の種々の属性情報の中から検索音声属性情報を取り出す。
【０５２０】
そして検索部４５は、１又は複数の検索音声データ各々の検索音声属性情報を、画像識別情報及び撮影日時情報に対応付けるようにして検索音声リスト４７Ｃに登録する。
【０５２１】
さらに検索部４５は、検索音声データ毎の検索理由情報を、当該検索音声データの検索音声属性情報に対応付けるようにして検索音声リスト４７Ｃに登録する。
【０５２２】
この場合、検索部４５は、検索音声データの検索理由として、例えば、検索用の条件項目としての「撮影対象」、「地名」に対応する特定撮影対象の撮影対象名、当該特定撮影対象の所在地の地名を、優先順位を付けて採用している。
【０５２３】
よって検索部４５は、検索音声データ毎に、当該検索音声データを検索し得た条件項目に応じて、当該条件項目に対応する検索理由を、その優先順位に従って１つ選定する。
【０５２４】
そして検索部４５は、検索音声データ毎に選定した１つの検索理由に応じて、実際に検索理由を示す撮影対象名や地名を検索理由情報とする。
【０５２５】
実際に検索部４５は、検索理由として撮影対象名を選定した場合、検索条件リスト４６Ｃから、検索音声データを検索し得た特定撮影対象の撮影対象名を取り出して検索理由情報とする。
【０５２６】
また検索部４５は、検索理由として地名を選定した場合、検索条件リスト４６Ｃから、検索音声データを検索し得た特定撮影対象の所在地の地名を取り出して検索理由情報とする。
【０５２７】
このようにして検索部４５は、検索理由情報を得ると、その検索理由情報を検索音声データの検索音声属性情報に対応付けるようにして検索音声リスト４７Ｃに登録する。
【０５２８】
さらに検索部４５は、特定対象リスト４２から特定撮影対象の撮影対象名及び所在地の地名を、当該特定撮影対象を示す特定対象情報として取り出す。
【０５２９】
そして検索部４５は、その特定対象情報を検索音声属性情報及び検索理由情報に対応付けるようにして検索音声リスト４７Ｃに登録する。
【０５３０】
このようにして検索部４５は、検索条件としての撮影対象名及び地名や他の検索条件を用いて検索した全ての検索音声データを検索音声属性情報として登録した検索音声リスト４７Ｃを生成する。
【０５３１】
因みに、以下の説明では、図１４乃至図１６に示した検索音声リスト４７Ａ乃至４７Ｃや、図示せずに説明した他の検索音声リストを特には区別する必要がない場合、これらをまとめて符号４７を付した検索音声リスト４７とも呼ぶ。
【０５３２】
検索部４５は、このようにして１又は複数の検索音声データを検索して１又は複数の検索音声リスト４７を生成すると、当該生成した１又は複数の検索音声リスト４７をプレイリスト作成部５０に送出する。
【０５３３】
この際、プレイリスト作成部５０は、音声プレイリストを作成する音声プレイリスト作成処理を実行する。プレイリスト作成部５０は、音声プレイリスト作成処理を実行すると、写真画像表示装置１１の現在の状況を示す情報として、設定情報記憶部２７から画像プレイリスト２６と共に記憶されていた選択時間情報を読み出す。
【０５３４】
そしてプレイリスト作成部５０は、検索部４５から１又は複数の検索音声リスト４７が与えられると、当該１又は複数の検索音声リスト４７と、選択時間情報が示す選択表示時間とに基づき音声プレイリストを作成する。
【０５３５】
ここで、プレイリスト作成部５０に、１人の特定人物の嗜好に合った１又は複数の検索音声データを登録した１つの検索音声リスト４７Ａ及び４７Ｂが与えられたときの音声プレイリスト作成処理について具体的に説明する。
【０５３６】
この場合、プレイリスト作成部５０は、選択表示時間と検索音声属性情報に含まれる再生時間とに基づき、検索音声リスト４７Ａ及び４７Ｂから人物特定写真画像の表示中に再生する検索音声データの検索音声属性情報を選定して取り出す。
【０５３７】
実際にプレイリスト作成部５０は、検索された（検索音声リスト４７Ａ及び４７Ｂに登録された）全ての検索音声データの再生時間（検索音声属性情報に含まれる再生時間）の合計が選択表示時間以下であると、全ての検索音声データを再生対象として選定する。
【０５３８】
またプレイリスト作成部５０は、検索された全ての検索音声データの再生時間の合計が選択表示時間よりも長いと、再生時間の合計が選択表示時間以下となるような１又は複数の検索音声データを再生対象として任意に選定する。
【０５３９】
このようにしてプレイリスト作成部５０は、１又は複数の検索音声データの再生時間の合計時間が最大でも選択表示時間以下となるように、検索音声リスト４７Ａ及び４７Ｂから再生対象の１又は複数の検索音声データを選定する。
【０５４０】
よってプレイリスト作成部５０は、検索音声リスト４７Ａ及び４７Ｂから、その再生対象に選定した１又は複数の検索音声データの検索音声属性情報を取り出す。
【０５４１】
ただし、プレイリスト作成部５０は、検索された全ての検索音声データの再生時間の何れもが選択表示時間よりも長いと、例えば、再生時間が最も短い１つの検索音声データを再生対象として選定する。
【０５４２】
よってプレイリスト作成部５０は、検索音声リスト４７Ａ及び４７Ｂから、その再生対象に選定した１つの検索音声データの検索音声属性情報を取り出す。
【０５４３】
そしてプレイリスト作成部５０は、再生対象として選定した１又は複数の検索音声データの検索音声属性情報を任意の順番で並べた、例えば、図１７に示すような音声プレイリスト５１Ａを作成する。
【０５４４】
ただし、プレイリスト作成部５０は、この際、検索音声リスト４７Ａ及び４７Ｂから、再生対象として選定した１又は複数の検索音声データの検索音声属性情報に対応付けられている検索理由情報も取り出す。
【０５４５】
そしてプレイリスト作成部５０は、その検索理由情報を、検索音声データに対応付けるようにして音声プレイリスト５１Ａに登録する。
【０５４６】
またプレイリスト作成部５０は、検索音声リスト４７Ａ及び４７Ｂから特定人物に関する特定人物情報及び顔領域位置情報も取り出す。
【０５４７】
そしてプレイリスト作成部５０は、特定人物情報及び顔領域位置情報を検索音声属性情報及び検索理由情報に対応付けるようにして音声プレイリスト５１Ａに登録する。
【０５４８】
さらにプレイリスト作成部５０は、検索音声リスト４７Ａ及び４７Ｂから人物特定写真画像に関する画像識別情報及び撮影日時情報も取り出す。そしてプレイリスト作成部５０は、画像識別情報及び撮影日時情報も音声プレイリスト５１Ａに登録する。
【０５４９】
このようにしてプレイリスト作成部５０は、再生対象の１又は複数の検索音声データを検索音声属性情報で示し、当該１又は複数の検索音声データの再生順序を検索音声属性情報の並び順として規定した音声プレイリスト５１Ａを作成する。
【０５５０】
次いで、プレイリスト作成部５０に、複数の特定人物の共通な嗜好に合った１又は複数の検索音声データを登録した１つの検索音声リスト４７が与えられたときの音声プレイリスト作成処理について具体的に説明する。
【０５５１】
この場合もプレイリスト作成部５０は、上述と同様に再生対象の１又は複数の検索音声データを再生対象として選定する。
【０５５２】
よってプレイリスト作成部５０は、検索音声リスト４７から、再生対象に選定した１つの検索音声データの検索音声属性情報を対応する検索理由情報と共に取り出す。
【０５５３】
そしてプレイリスト作成部５０は、再生対象として選定した１又は複数の検索音声データの検索音声属性情報を対応する検索理由情報と共に任意の順番で並べた、例えば図１８に示すような音声プレイリスト５１Ｂを作成する。
【０５５４】
ただし、プレイリスト作成部５０は、この際、検索音声リスト４７から複数の特定人物にそれぞれ関する特定人物情報及び顔領域位置情報を取り出す。
【０５５５】
そしてプレイリスト作成部５０は、複数の特定人物の特定人物情報及び顔領域位置情報を、検索音声属性情報及び検索理由情報に対応付けるようにして音声プレイリスト５１Ｂに登録する。
【０５５６】
因みに、プレイリスト作成部５０は、この場合も検索音声リスト４７から人物特定写真画像に関する画像識別情報及び撮影日時情報を取り出す。そしてプレイリスト作成部５０は、画像識別情報及び撮影日時情報も音声プレイリスト５１Ｂに登録する。
【０５５７】
次いで、プレイリスト作成部５０に、複数の特定人物の人数分の検索音声リスト４７が与えられたときの音声プレイリスト作成処理について具体的に説明する。
【０５５８】
ただし複数の特定人物の人数分の検索音声リスト４７は、上述のように選択表示時間が例えば、複数の音声データを連続して再生し得るような基準で選定された所定時間以上である場合に、特定人物毎の嗜好が抽出されたことに応じて生成されたものである。
【０５５９】
このためプレイリスト作成部５０は、この際、選択表示時間と検索音声リスト４７毎の検索音声属性情報に含まれる再生時間とに基づき、複数の検索音声リスト４７からそれぞれ再生対象の１又は複数の検索音声データの検索音声属性情報を選定して取り出す。
【０５６０】
実際にプレイリスト作成部５０は、検索された全ての検索音声データ（複数の検索音声リスト４７全体で見た検索音声データ）の再生時間の合計が選択表示時間以下であると、これら全ての検索音声データを再生対象として選定する。
【０５６１】
またプレイリスト作成部５０は、検索された全ての検索音声データの再生時間の合計が選択表示時間よりも長いと、再生時間の合計が選択表示時間以下となるように複数の検索音声リスト４７からほぼ同数ずつの１又は複数の検索音声データを再生対象として任意に選定する。
【０５６２】
このようにしてプレイリスト作成部５０は、検索音声データの再生時間の合計時間が最大でも選択表示時間以下となるように、複数の検索音声リスト４７からそれぞれ再生対象の１又は複数の検索音声データを選定する。
【０５６３】
よってプレイリスト作成部５０は、複数の検索音声リスト４７からそれぞれ再生対象に選定した１又は複数の検索音声データの検索音声属性情報を、対応する検索理由情報と共に取り出す。
【０５６４】
そしてプレイリスト作成部５０は、再生対象の１又は複数の検索音声データの検索音声属性情報を対応する検索理由情報と共に任意の順番で並べた、例えば、図１９に示すような音声プレイリスト５１Ｃを作成する。
【０５６５】
ただし、プレイリスト作成部５０は、この際、複数の検索音声リスト４７からそれぞれ特定人物に関する特定人物情報及び顔領域位置情報を取り出す。
【０５６６】
そしてプレイリスト作成部５０は、特定人物毎の特定人物情報及び顔領域位置情報を、当該特定人物の嗜好に基づいて検索されていた再生対象の検索音声データの検索音声属性情報及び検索理由情報に対応付けるようにして音声プレイリスト５１Ｃに登録する。
【０５６７】
すなわち、プレイリスト作成部５０は、特定人物毎の特定人物情報及び顔領域位置情報を、当該特定人物の嗜好に合った再生対象の検索音声データの検索音声属性情報及び検索理由情報に対応付けるようにして音声プレイリスト５１Ｃに登録する。
【０５６８】
因みに、プレイリスト作成部５０は、この場合も検索音声リスト４７から人物特定写真画像に関する画像識別情報及び撮影日時情報を取り出す。そしてプレイリスト作成部５０は、画像識別情報及び撮影日時情報も音声プレイリスト５１Ｃに登録する。
【０５６９】
次いで、プレイリスト作成部５０に、１又は複数の特定撮影対象や、その所在地の地名にちなんだ１又は複数の検索音声データを登録した１つの検索音声リスト４７Ｃが与えられたときの音声プレイリスト作成処理について具体的に説明する。
【０５７０】
この場合もプレイリスト作成部５０は、検索音声リスト４７Ｃから上述と同様に再生対象の１又は複数の検索音声データを再生対象として選定する。
【０５７１】
よってプレイリスト作成部５０は、検索音声リスト４７Ｃから、再生対象に選定した１又は複数の検索音声データの検索音声属性情報を対応する検索理由情報と共に取り出す。
【０５７２】
そしてプレイリスト作成部５０は、再生対象として選定した１又は複数の検索音声データの検索音声属性情報を対応する検索理由情報と共に任意の順番で並べた、例えば図２０に示すような音声プレイリスト５１Ｄを作成する。
【０５７３】
ただし、プレイリスト作成部５０は、検索音声リスト４７Ｃから対象特定写真画像に関する画像識別情報及び撮影日時情報を取り出す。そしてプレイリスト作成部５０は、画像識別情報及び撮影日時情報を音声プレイリスト５１Ｄに登録する。
【０５７４】
このようにしてプレイリスト作成部５０は、再生対象の１又は複数の検索音声データを検索音声属性情報で示し、当該１又は複数の検索音声データの再生順序を検索音声属性情報の並び順として規定した音声プレイリスト５１Ｄを作成する。
【０５７５】
因みに、以下の説明では、図１７乃至図２０に示した音声プレイリスト５１Ａ乃至５１Ｄを特には区別する必要がない場合、これらをまとめて符号５１を付した音声プレイリスト５１とも呼ぶ。
【０５７６】
プレイリスト作成部５０は、このようにして音声プレイリスト５１を作成すると、当該作成した音声プレイリスト５１を主制御部２０に送出する。
【０５７７】
主制御部２０は、プレイリスト作成部５０から音声プレイリスト５１が与えられると、当該音声プレイリスト５１を設定情報記憶部２７に送出して画像プレイリスト２６に対応付けて記憶する。
【０５７８】
このようにして主制御部２０は、プレイリスト作成部５０から音声プレイリスト５１が与えられる毎に、当該音声プレイリスト５１を画像プレイリスト２６に対応付けるようにして設定情報記憶部２７に記憶する。
【０５７９】
そして主制御部２０は、例えば、設定情報記憶部２７に、画像プレイリスト２６に登録された全ての写真画像（人物特定写真画像や対象特定写真画像）に対応する音声プレイリスト５１を記憶すると、写真画像データ及び検索音声データの再生を開始する。
【０５８０】
すなわち、主制御部２０は、この際、設定情報記憶部２７から画像プレイリスト２６及び対応する選択時間情報を読み出すと共に、当該画像プレイリスト２６に登録された再生順序が１番目の写真画像データに対応する音声プレイリスト５１を読み出す。
【０５８１】
そして主制御部２０は、画像プレイリスト２６に従い、画像記憶部２２から再生順序が１番目の写真画像データが格納された画像ファイルを読み出す。
【０５８２】
また主制御部２０は、その画像ファイルから写真画像データを取り出すと共に、当該取り出した写真画像データを、表示制御部２４を介して表示部２５に送出する。
【０５８３】
これにより主制御部２０は、表示部２５に、写真画像データに基づく人物特定写真画像又は対象特定写真画像を表示する。
【０５８４】
さらに主制御部２０は、この際にも上述と同様に人物特定写真画像又は対象特定写真画像の表示の開始に応じて内部のタイマにより計時を開始する。
【０５８５】
そして主制御部２０は、その計時時間が選択表示時間に達するまでの間は、表示部２５での１つの人物特定写真画像又は対象特定写真画像の表示を継続する。
【０５８６】
さらに主制御部２０は、音声プレイリスト５１に登録された再生順序が１番目の検索音声データの検索音声属性情報に基づき、音声記憶部２８に当該検索音声データを記憶しているか否かを判別する。
【０５８７】
その結果、主制御部２０は、再生順序が１番目の検索音声データを音声記憶部２８に記憶していると、音声記憶部２８から当該検索音声データが格納された音声ファイルを読み出す。
【０５８８】
また主制御部２０は、その音声ファイルから検索音声データを取り出すと共に、当該取り出した検索音声データを、再生制御部３１を介して再生部３２に送出する。これにより再生部３２は、その検索音声データに所定の再生処理を施して、得られた音声を出力する。
【０５８９】
ただし、主制御部２０は、再生順序が１番目の検索音声データを音声記憶部２８に記憶していないと、当該検索音声データの検索音声属性情報を格納した音声要求データを生成する。
【０５９０】
そして主制御部２０は、その音声要求データを通信制御部２９及びネットワークインタフェース３０を順次介してネットワーク１２上の情報提供装置１３に送信する。
【０５９１】
この際、情報提供装置１３は、音声要求データの受信に応じて、当該音声要求データ内の検索音声属性情報で識別される検索音声データをストリーミング形式で写真画像表示装置１１に返信する。
【０５９２】
よって主制御部２０は、この際、情報提供装置１３から送信された検索音声データを、ネットワークインタフェース３０及び通信制御部２９を順次介して受信しながら再生制御部３１を介して再生部３２に送出する。
【０５９３】
これにより再生部３２は、主制御部２０から与えられる検索音声データを取り込みながら所定の再生処理を施して、得られた音声を出力する。
【０５９４】
そして主制御部２０は、再生部３２において検索音声データに対する再生処理が終了すると、音声プレイリスト５１に、次に再生すべき検索音声データ（すなわち、次に再生すべき検索音声データの検索音声属性情報）を登録しているか否かを判別する。
【０５９５】
その結果、主制御部２０は、音声プレイリスト５１に、次に再生すべき検索音声データを登録していると、上述と同様に次に再生すべき検索音声データを音声記憶部２８に記憶しているか否かを判別する。
【０５９６】
そして主制御部２０は、その判別結果に応じて音声記憶部２８又は情報提供装置１３から、次に再生すべき検索音声データを取得して再生制御部３１を介して再生部３２に送出する。
【０５９７】
これにより再生部３２は、次に再生すべき検索音声データに所定の再生処理を施して、得られた音声（すなわち、次に再生すべき検索音声データに基づく音声）を、それまで出力していた音声に引き続いて出力する。
【０５９８】
これに対し主制御部２０は、音声プレイリスト５１に、次に再生すべき検索音声データを登録していないと、表示部２５での人物特定写真画像又は対象特定写真画像の表示時間（すなわち、タイマの計時時間）が選択表示時間に達したか否かを判別する。
【０５９９】
その結果、主制御部２０は、表示部２５での人物特定写真画像又は対象特定写真画像の表示時間（すなわち、タイマの計時時間）が選択表示時間に未だ達していないと、例えば、音声プレイリスト５１に従い再生順序が１番目の検索音声データを上述と同様に再生する。
【０６００】
このようにして主制御部２０は、表示部２５に１つの人物特定写真画像又は対象特定写真画像を表示している間、対応する音声プレイリスト５１に従い１又は複数の検索音声データを適宜繰り返するようにして連続して再生する。
【０６０１】
そして主制御部２０は、表示部２５での人物特定写真画像又は対象特定写真画像の表示時間（すなわち、タイマの計時時間）が選択表示時間に達すると、このとき検索音声データの再生処理を終了させて、当該検索音声データに基づく音声の出力を終了させる。
【０６０２】
また主制御部２０は、画像プレイリスト２６に、次に再生すべき写真画像データ（すなわち、次に再生すべき写真画像データの画像識別情報）を登録しているか否かを判別する。
【０６０３】
その結果、主制御部２０は、画像プレイリスト２６に、次に再生すべき写真画像データを登録していると、設定情報記憶部２７から、次に再生すべき写真画像データに対応する音声プレイリスト５１を読み出す。
【０６０４】
そして主制御部２０は、上述と同様に画像プレイリスト２６に従い、画像記憶部２２から次に再生すべき写真画像データが格納された画像ファイルを読み出す。
【０６０５】
また主制御部２０は、その画像ファイルから写真画像データを取り出すと共に、当該取り出した写真画像データを、表示制御部２４を介して表示部２５に送出する。
【０６０６】
これにより主制御部２０は、表示部２５に、それまで表示していた人物特定写真画像又は対象特定写真画像に換えて、新たに送出した写真画像データに基づく人物特定写真画像又は対象特定写真画像を表示する。
【０６０７】
さらに主制御部２０は、表示部２５での人物特定写真画像又は対象特定写真画像の表示の間、当該人物特定写真画像又は対象特定写真画像に対応する新たな音声プレイリスト５１に従い、上述と同様に１又は複数の検索音声データを再生処理して音声を出力させる。
【０６０８】
これに対し主制御部２０は、画像プレイリスト２６に、次に再生すべき写真画像データを登録していないと、表示部２５への写真画像データの送出を停止して、当該表示部２５での人物特定写真画像又は対象特定写真画像の表示を終了する。
【０６０９】
また主制御部２０は、人物特定写真画像又は対象特定写真画像の表示の終了に合わせて検索音声データの再生処理も終了させて、当該検索音声データに基づく音声の出力を終了させる。
【０６１０】
このようにして主制御部２０は、画像プレイリスト２６に従い表示部２５に１又は複数の人物特定写真画像や対象特定写真画像を順次表示しながら、その表示中には音声プレイリスト５１に従い１又は複数の検索音声データを再生して音声を出力させる。かくして主制御部２０は、人物特定写真画像や対象特定写真画像と共に音声を視聴させることができる。
【０６１１】
そして主制御部２０は、表示部２５への人物特定写真画像の表示中には、当該人物特定写真画像に写り込んでいる１又は複数の特定人物の嗜好に合った音声を聴かせることができる。
【０６１２】
一方、主制御部２０は、表示部２５への対象特定写真画像の表示中には、当該対象特定写真画像に写り込んでいる特定撮影対象や、その所在地の地名にちなんだ音声を聴かせることができる。
【０６１３】
ところで、主制御部２０は、人物特定写真画像の表示中に、ユーザにより操作部２３を介して、検索音声データの検索理由を提示するように要求されると、音声プレイリスト５１から、このとき再生中の検索音声データに対応する検索理由情報を取り出す。
【０６１４】
また主制御部２０は、この際、音声プレイリスト５１から、このとき再生中の検索音声データの検索に使用された嗜好を有する特定人物の顔領域位置情報も取り出す。
【０６１５】
そして主制御部２０は、検索理由情報及び顔領域位置情報に基づき、このとき表示中の人物特定写真画像の写真画像データを加工して、当該加工した写真画像データを、表示制御部２４を介して表示部２５に送出する。
【０６１６】
これにより主制御部２０は、表示部２５に表示中の人物特定写真画像に、このとき再生中の検索音声データの検索理由と、当該検索音声データの検索に使用された嗜好を有する特定人物の顔を囲む枠線とを重畳して表示する。
【０６１７】
すなわち、主制御部２０は、表示中の人物特定写真画像で特定人物が１人だけ特定され、当該特定人物の嗜好に合った検索音声データを再生していると、例えば、図２１に示すように当該人物特定写真画像６０の表示状態を変更する。
【０６１８】
この場合、表示中の人物特定写真画像６０には、このとき再生中の検索音声データの検索理由として例えば、特定人物の誕生日を表現するテキスト６１と、当該特定人物の顔を囲む枠線６２とが重畳されて表示されている。
【０６１９】
また主制御部２０は、表示中の人物特定写真画像で特定人物が複数特定され、当該複数の特定人物の共通な嗜好に合った検索音声データを再生していると、例えば、図２２に示すように当該人物特定写真画像６３の表示状態を変更する。
【０６２０】
この場合、表示中の人物特定写真画像６３には、このとき再生中の検索音声データの検索理由として例えば、複数の特定人物の間柄を表現するテキスト６４と、これら複数の特定人物の顔をまとめて囲む枠線６５とが重畳されて表示されている。
【０６２１】
さらに主制御部２０は、表示中の人物特定写真画像で特定人物が複数特定されているものの、何れか１人の特定人物の嗜好に合った検索音声データを再生していると、例えば、図２３に示すように当該人物特定写真画像６６の表示状態を変更する。
【０６２２】
この場合、表示中の人物特定写真画像６６には、このとき再生中の検索音声データの検索理由として、例えば、当該検索音声データの検索に使用された嗜好を有する１人の特定人物の住所をユーザの住所と共に地図上で示す地図画像６７が重畳されて表示されている。
【０６２３】
また、係る人物特定写真画像６６には、その１人の特定人物（すなわち、このとき再生中の検索音声データの検索に使用された嗜好を有する１人の特定人物）の顔を囲む枠線６８も重畳されて表示されている。
【０６２４】
このようにして主制御部２０は、人物特定写真画像の表示中にユーザにより、現在再生中の検索音声データの検索理由の提示が要求されると、当該表示中の人物特定写真画像上で、その検索理由を提示することができる。
【０６２５】
また主制御部２０は、この際、現在表示中の人物特定写真画像上で、現在再生中の検索音声データが何れの特定人物の嗜好に合ったものであるのかも、当該特定人物の顔を囲む枠線により、合わせて提示することができる。
【０６２６】
ところで、設定情報記憶部２７には、検索音声データの検索理由毎に、当該検索理由と、その検索理由の提示をきっかけとして実行可能な１又は複数の処理を示す実行可能処理情報とを対応付けて示す実行可能処理リストが予め記憶されている。
【０６２７】
因みに、検索理由の提示をきっかけとして実行可能な処理としては、特定人物に電話をかけるような処理や、当該特定人物宛にメールを作成して送信する処理がある。
【０６２８】
また検索理由の提示をきっかけとして実行可能な処理としては、新たな公開情報を作成してコミュニティーサイトにアップロードする処理もある。
【０６２９】
さらに検索理由の提示をきっかけとして実行可能な処理としては、表示中の人物特定写真画像や対象特定写真画像の撮影日時を含む年代の情報提供装置１３による音声データの配信のランキングを示すランキング情報を取得して提示する処理もある。
【０６３０】
さらに検索理由の提示をきっかけとして実行可能な処理としては、情報提供装置１３により現在推薦されている音声データを示す推薦情報を取得して提示する処理もある。
【０６３１】
さらに検索理由の提示をきっかけとして実行可能な処理としては、ユーザの住所付近と特定人物の住所付近の両方に関して天気や実施中のイベント等を示す情報を情報提供装置１３から取得して提示する処理もある。
【０６３２】
さらに検索理由の提示をきっかけとして実行可能な処理としては、情報提供装置１３から特定撮影対象や、その所在地の地名に関する種々の情報を取得して提示する処理等もある。
【０６３３】
よって主制御部２０は、ユーザに検索理由を提示している状態で、当該ユーザにより操作部２３を介して実行可能な処理の提示が要求されると、設定情報記憶部２７から、提示中の検索理由に対応する実行可能処理情報を読み出す。
【０６３４】
そして主制御部２０は、その実行可能処理情報に基づき、このとき表示中の人物特定写真画像の写真画像データをさらに加工して、当該加工した写真画像データを、表示制御部２４を介して表示部２５に送出する。
【０６３５】
これにより例えば図２４に示すように、主制御部２０は、現在表示中の人物特定写真画像６６に、さらに、現在提示中の検索理由をきっかけとして実行可能な１又は複数の処理を示すアイコン６９乃至７２を重畳して表示する。
【０６３６】
そして主制御部２０は、ユーザにより操作部２３を介して人物特定写真画像６６上で何れかのアイコン６９乃至７２が選択されると、当該選択されたアイコン６９乃至７２が示す処理を実行する。
【０６３７】
このようにして主制御部２０は、現在表示中の人物特定写真画像上で検索理由を提示した場合、その検索理由の提示をきっかけとしてユーザに特定人物へ連絡させ、又は現在の自分の気持ちを公開情報として公開させる等の処理を実行することができる。
【０６３８】
一方、主制御部２０は、対象特定写真画像の表示中にも、ユーザにより操作部２３を介して、現在再生中の検索音声データの検索理由の提示が要求されると、音声プレイリスト５１から、このとき再生中の検索音声データに対応する検索理由情報を取り出す。
【０６３９】
そして主制御部２０は、検索理由情報に基づき、このとき表示中の対象特定写真画像の写真画像データを加工して、当該加工した写真画像データを、表示制御部２４を介して表示部２５に送出する。
【０６４０】
これにより主制御部２０は、表示部２５に表示中の対象特定写真画像に、このとき再生中の検索音声データの検索理由（撮影対象名や地名を表現するテキスト等）を重畳して表示する。
【０６４１】
このようにして主制御部２０は、対象特定写真画像の表示中にユーザにより、現在再生中の検索音声データの検索理由の提示が要求されても、当該表示中の対象特定写真画像上で、その検索理由を提示することができる。
【０６４２】
そして主制御部２０は、ユーザに検索理由を提示している状態で、当該ユーザにより操作部２３を介して実行可能な処理の提示が要求されると、設定情報記憶部２７から、提示中の検索理由に対応する実行可能処理情報を読み出す。
【０６４３】
また主制御部２０は、その実行可能処理情報に基づき、このとき表示中の対象特定写真画像の写真画像データをさらに加工して、当該加工した写真画像データを、表示制御部２４を介して表示部２５に送出する。
【０６４４】
これにより主制御部２０は、現在表示中の対象特定写真画像に、さらに検索理由の提示をきっかけとして実行可能な１又は複数の処理を示すアイコンを重畳して表示する。
【０６４５】
そして主制御部２０は、ユーザにより操作部２３を介して対象特定写真画像上で何れかのアイコンが選択されると、当該選択されたアイコンが示す処理を実行する。
【０６４６】
このようにして主制御部２０は、対象特定写真画像の表示中にも、検索理由の提示をきっかけとして特定撮影対象や当該特定撮影対象の所在地の地名に関する種々の情報を取得して提示する等の処理を実行することができる。
【０６４７】
因みに、主制御部２０は、例えば、操作部２３が表示部２５の表示画面上に設けられたタッチパネルの場合、人物特定写真画像や対象特定写真画像の表示中にユーザによりタッチパネルが場所に関わらずにタッチされると、検索理由を提示する。
【０６４８】
また主制御部２０は、係る構成の場合、人物特定写真画像上で検索理由を提示している状態では、例えば、ユーザにより、枠線で囲んだ特定人物の顔の部分がタッチされると、実行可能な処理を示すアイコンを表示する。
【０６４９】
さらに主制御部２０は、係る構成の場合、対象特定写真画像上で検索理由を提示している状態では、例えば、ユーザにより、タッチパネルが場所に関わらずにタッチされると、実行可能な処理を示すアイコンを表示する。
【０６５０】
［２−３．情報提供装置の機能回路ブロックによるハードウェア構成］
次いで、図２５を用いて、情報提供装置１３の機能回路ブロックによるハードウェア構成について説明する。
【０６５１】
図２５に示すように、情報提供装置１３は、各種処理を実行すると共に、係る処理に応じて当該情報提供装置１３全体を制御する主制御部８０を有している。
【０６５２】
これにより主制御部８０は、写真画像表示装置１１から登録要求データが送信されると、当該登録要求データを、ネットワークインタフェース８１及び通信制御部８２を順次介して受信する。
【０６５３】
この際、主制御部８０は、登録要求データの受信に応じて、個人情報記憶部８３から、これに予め記憶された個人情報入力画面データを読み出す。
【０６５４】
そして主制御部８０は、その個人情報入力画面データを、通信制御部８２及びネットワークインタフェース８１を順次介して写真画像表示装置１１に送信する。
【０６５５】
その結果、主制御部８０は、写真画像表示装置１１から利用者登録データが送信されると、当該利用者登録データを、ネットワークインタフェース８１及び通信制御部８２を順次介して受信する。
【０６５６】
これにより主制御部８０は、その利用者登録データに含まれるユーザの個人情報を個人情報記憶部８３に送出して記憶して、写真画像表示装置１１のユーザを利用者登録する。
【０６５７】
そして主制御部８０は、ユーザの利用者登録が完了すると、登録完了通知データを、通信制御部８２及びネットワークインタフェース８１を順次介して写真画像表示装置１１に送信する。
【０６５８】
このようにして主制御部８０は、写真画像表示装置１１のユーザに、情報提供装置１３の（すなわち、情報提供装置１３が提供可能な種々の情報の）利用を許可する。
【０６５９】
また主制御部８０は、ユーザの利用者登録が完了した後、写真画像表示装置１１から更新要求データが送信されると、当該更新要求データを、ネットワークインタフェース８１及び通信制御部８２を順次介して受信する。
【０６６０】
この際、主制御部８０は、更新要求データ内の利用者識別情報及びパスワードにより、個人情報記憶部８３からユーザの個人情報を判別して読み出す。
【０６６１】
そして主制御部８０は、ユーザの個人情報に基づき個人情報変更画面データを生成し、当該生成した個人情報変更画面データを、通信制御部８２及びネットワークインタフェース８１を順次介して写真画像表示装置１１に送信する。
【０６６２】
その結果、主制御部８０は、写真画像表示装置１１から個人情報更新データが送信されると、当該個人情報更新データを、ネットワークインタフェース８１及び通信制御部８２を順次介して受信する。
【０６６３】
この際、主制御部８０は、個人情報更新データ内の利用者識別情報及びパスワードにより、個人情報記憶部８３内でユーザの個人情報を判別する。
【０６６４】
そして主制御部８０は、個人情報更新データ内の更新情報を個人情報記憶部８３に送出して記憶するようにして、ユーザの種々の個人情報のうち変更可能情報を当該更新情報に置き換えて更新する。
【０６６５】
さらに主制御部８０は、ユーザの利用者登録が完了した後、個人情報変更画面データを送信することなく、写真画像表示装置１１から個人情報更新データが送信されると、これを、ネットワークインタフェース８１及び通信制御部８２を順次介して受信する。
【０６６６】
この際、主制御部８０は、個人情報更新データ内の利用者識別情報及びパスワードにより、個人情報記憶部８３内でユーザの個人情報を判別する。
【０６６７】
そして主制御部８０は、個人情報更新データ内の追加情報を個人情報記憶部８３に送出して記憶するようにして、ユーザの個人情報に追加情報を追加して当該ユーザの個人情報を更新する。
【０６６８】
ところで、情報提供装置１３には、辞書記憶部８４が設けられている。そして辞書記憶部８４には、名詞や動詞、助詞、副詞等のような種々の品詞の複数の形態素に、当該形態素の読みや、品詞等を対応付けて生成された形態素辞書データが予め記憶されている。
【０６６９】
因みに、形態素は、言語として意味を持つ最小単位であり、単独で単語を構成するものや、他の形態素との組み合わせにより単語を構成するもの、単独及び他の形態素との組み合わせの何れでも単語を構成しないものがある。
【０６７０】
また辞書記憶部８４には、名詞や動詞のような品詞の特定の単語を示す単語辞書データも予め記憶されている。
【０６７１】
よって主制御部８０は、個人情報記憶部８３に利用者の公開情報を当該公開情報の公開日時と対応付けて個人情報として記憶した場合、辞書記憶部８４から形態素辞書データ及び単語辞書データを読み出す。
【０６７２】
そして主制御部８０は、その形態素辞書データ及び単語辞書データを用いて公開情報の自然言語処理を実行する。
【０６７３】
主制御部８０は、自然言語処理を実行すると、形態素辞書データに基づき、公開情報（すなわち、文字列）を形態素解析する。
【０６７４】
これにより主制御部８０は、公開情報を複数の形態素に区切るようにして、これら複数の形態素それぞれの品詞を特定する。
【０６７５】
また主制御部８０は、公開情報に対する形態素解析の結果と単語辞書データとに基づき、当該公開情報を単語解析する。
【０６７６】
これにより主制御部８０は、公開情報の複数の形態素の中から、名詞や動詞のような品詞の特定の単語を構成する１又は複数の形態素を判別する。
【０６７７】
さらに主制御部８０は、公開情報に対する形態素解析及び単語解析の結果に基づき、当該公開情報を構文解析する。
【０６７８】
これにより主制御部８０は、公開情報において、当該公開情報に含まれる形態素の文法的な役割を特定すると共に、当該形態素と形態素との係り受け等を特定する。
【０６７９】
さらにまた主制御部８０は、これら公開情報に対する形態素解析、単語解析及び構文解析の結果に基づき公開情報から、その内容を表すような１又は複数の公開内容キーワードを抽出する。
【０６８０】
そして主制御部８０は、公開情報から抽出した１又は複数の公開内容キーワードを利用者の個人情報への追加情報とし、その公開内容キーワードを公開情報及び公開日時に対応付けるようにして、当該利用者の個人情報に追加する。
【０６８１】
このようにして主制御部８０は、写真画像表示装置１１のユーザを利用者登録した後には、当該ユーザの個人情報を適宜更新することができる。
【０６８２】
また主制御部８０は、上述したように、写真画像表示装置１１のユーザ以外の他の人物（ユーザの知人を含む）についても、同様に利用者登録し、その利用者登録の後には、当該他の人物の個人情報を適宜更新することができる。
【０６８３】
ところで、主制御部８０は、例えば、音声データの制作会社から配信用に、音声データが格納された音声ファイルが与えられる毎に、当該音声ファイルを音声記憶部８５に記憶する。これにより主制御部８０は、音声記憶部８５に配信用の複数の音声データを音声ファイルとして蓄積している。
【０６８４】
また主制御部８０は、音声購入ページ画像のページ画像データも音声記憶部８５に記憶している。よって主制御部８０は、写真画像表示装置１１から送信されたページ画像要求データを、ネットワークインタフェース８１及び通信制御部８２を順次介して受信すると、音声記憶部８５からページ画像データを読み出す。
【０６８５】
そして主制御部８０は、そのページ画像データを、通信制御部８２及びネットワークインタフェース８１を順次介して写真画像表示装置１１に送信する。
【０６８６】
その結果、主制御部８０は、写真画像表示装置１１から送信された購入要求データを、ネットワークインタフェース８１及び通信制御部８２を順次介して受信すると、その購入要求データに基づき、ユーザにより購入の要求された音声データの課金処理を実行する。
【０６８７】
そして主制御部８０は、課金処理が完了すると、音声記憶部８５から、ユーザにより購入の要求された音声データの音声ファイルを読み出して、通信制御部８２及びネットワークインタフェース８１を順次介して写真画像表示装置１１に送信する。
【０６８８】
このようにして主制御部８０は、写真画像表示装置１１のユーザに種々の音声データを配信するようにして販売することができる。
【０６８９】
ところで、主制御部８０は、写真画像表示装置１１から送信された人物情報要求データを、ネットワークインタフェース８１及び通信制御部８２を順次介して受信すると、人物情報要求データに何人の特定人物の人物判別用情報が格納されているのかを判別する。
【０６９０】
その結果、主制御部８０は、人物情報要求データに１人の特定人物の人物判別用情報が格納されていると、その人物判別用情報により、個人情報記憶部８３から当該１人の特定人物の個人情報を判別して、当該個人情報の一部である提供用人物情報を読み出す。
【０６９１】
そして主制御部８０は、１人の特定人物の提供用人物情報を格納した提供用人物情報データを生成し、当該生成した提供用人物情報データを、通信制御部８２及びネットワークインタフェース８１を順次介して写真画像表示装置１１に送信する。
【０６９２】
一方、主制御部８０は、人物情報要求データに複数の特定人物の人物判別用情報が格納されていると、これら人物判別用情報により、個人情報記憶部８３から複数の特定人物それぞれの個人情報を判別して、当該個人情報の一部である提供用人物情報を読み出す。
【０６９３】
また主制御部８０は、この際、個人情報記憶部８３から現時点までに利用者登録している利用者（ユーザや知人を含む）全員の、音声データの種類毎の種類別所有数を示す個人情報を読み出す。
【０６９４】
さらに主制御部８０は、その利用者全員分の音声データの種類毎の種類別所有数を用いて、当該音声データの種類毎に種類別全平均所有数を算出する。
【０６９５】
これにより主制御部８０は、複数の特定人物それぞれの提供用人物情報を、音声データの種類毎の種類別全平均所有数を示す種類別全平均所有数情報と共に格納した提供用人物情報データを生成する。
【０６９６】
そして主制御部８０は、その提供用人物情報データを、通信制御部８２及びネットワークインタフェース８１を順次介して写真画像表示装置１１に送信する。
【０６９７】
このようにして主制御部８０は、写真画像表示装置１１から提供用人物情報が要求されると、これに応じて当該提供用人物情報を提供用人物情報データとして写真画像表示装置１１に提供することができる。
【０６９８】
また主制御部８０は、現在情報記憶部８６に、利用者の利用者識別情報に当該利用者の住所と、その住所付近の現在の天気とを対応付けた現在天気情報を記憶している。
【０６９９】
そして主制御部８０は、外部から例えば全国の天気を示す天気情報を定期的に取得し、当該取得した天気情報に基づき、現在情報記憶部８６において、現在天気情報が示す現在の天気を適宜更新している。
【０７００】
さらに主制御部８０は、配信対象の音声データの配信数を定期的に集計するようにして現在の配信数の上位所定数のランキングを示すランキング情報を生成する。
【０７０１】
そして主制御部８０は、そのランキング情報を現在情報記憶部８６に記憶するようにして、配信対象の音声データの配信数を集計する毎に、当該現在情報記憶部８６においてランキング情報を最新のものに更新している。
【０７０２】
さらに主制御部８０は、外部から提供される例えば、情報提供装置１３の運営会社が推薦する音声データを示す推薦情報を取得して、当該取得した推薦情報を現在情報記憶部８６に記憶している。
【０７０３】
そして主制御部８０は、推薦情報が提供される毎に、これを取得して現在情報記憶部８６において、当該推薦情報を最新のものに更新している。
【０７０４】
よって主制御部８０は、写真画像表示装置１１から送信された現在情報要求データを、ネットワークインタフェース８１及び通信制御部８２を順次介して受信すると、当該現在情報要求データから、これに格納されているユーザの利用者識別情報を取り出す。
【０７０５】
また主制御部８０は、その利用者識別情報に基づき、現在情報記憶部８６から当該利用者識別情報で識別される現在天気情報を読み出す。
【０７０６】
さらに主制御部８０は、この際、現在情報記憶部８６からランキング情報及び推薦情報も読み出す。さらにまた主制御部８０は、現在情報として現在天気情報、ランキング情報及び推薦情報を格納した現在情報提供データを生成する。
【０７０７】
そして主制御部８０は、その現在情報提供データを、通信制御部８２及びネットワークインタフェース８１を順次介して写真画像表示装置１１に送信する。
【０７０８】
このようにして主制御部８０は、写真画像表示装置１１から現在情報が要求されると、これに応じて当該現在情報を現在情報提供データとして写真画像表示装置１１に提供することができる。
【０７０９】
ところで、主制御部８０は、音声データの制作会社から配信用に音声ファイルが与えらたとき、当該制作会社から音声データ（すなわち、当該音声ファイルに格納された音声データ）基づく音声の詞（歌詞やセリフ、朗読文等）のテキストデータも与えられている。
【０７１０】
このため主制御部８０は、そのテキストデータを音声ファイルに対応付けるようにして音声記憶部８５に記憶している。
【０７１１】
そして主制御部８０は、例えば、音声記憶部８５に音声ファイル及びテキストデータを記憶したとき、当該音声記憶部８５から音声ファイルと共にテキストデータを読み出す。また主制御部８０は、その音声ファイルから音声データ及び属性情報を取り出す。
【０７１２】
この際、主制御部８０は、テキストデータを上述と同様に自然言語処理する。これにより主制御部８０は、その自然言語処理の処理結果（すなわち、テキストデータに対する形態素解析、単語解析及び構文解析の結果）に基づきテキストデータから音声（詞）の内容を表すような１又は複数の音声内容キーワードを抽出する。
【０７１３】
また主制御部８０は、属性情報として含まれる、音声データのタイトルについても同様に自然言語処理し、その処理結果に基づき、当該タイトルから１又は複数の音声内容キーワードを抽出する。
【０７１４】
これに加え主制御部８０は、音声データを周波数解析して当該音声データを時間軸に沿って所定の単位処理部分（例えば、１秒分の音声に相当する部分である）に分ける。
【０７１５】
また主制御部８０は、音声データの個々の単位処理部分から１オクターブの１２音階それぞれに相当する周波数帯域毎のエネルギーを抽出する。
【０７１６】
主制御部８０は、音声データ全体に亘って周波数帯域毎のエネルギーを抽出すると、その抽出結果に基づき、音声データから音声中の和音、テンポ等の種々の情報を検出する。
【０７１７】
また主制御部８０は、その検出結果に基づき、音声の特徴を複数種類の項目（以下、これを特徴項目とも呼ぶ）について数値化して表す特徴値を生成する。
【０７１８】
ここで、例えば、音声データの特徴を表す特徴項目としては、当該音声データに基づく音声のイメージを表現する「元気」や「幸せ」、「悲しい」、「明るい」、「うれしい」、「さわやか」等がある。
【０７１９】
主制御部８０は、音声データに基づく音声の特徴を解析して特徴項目毎の特徴値を得ると、当該特徴項目毎に、特徴値を予め選定された下限閾値及び又は上限閾値と比較する。
【０７２０】
そして主制御部８０は、その比較結果と、特徴項目毎に予め選定された当該特徴項目の選択条件とに基づき、当該選択条件に合致した特徴項目を選択する。
【０７２１】
因みに、特徴項目の選択条件としては、例えば、下限閾値以上の特徴値を得た場合に当該特徴項目を選択するものがある。
【０７２２】
また特徴項目の選択条件としては、上限閾値未満の特徴値を得たときに当該特徴項目を選択するものもある。さらに特徴項目の選択条件としては、下限閾値以上でかつ上限閾値未満の特徴値を得たときに当該特徴項目を選択するものもある。
【０７２３】
そして主制御部８０は、このように選択した１又は複数の特徴項目が表す特徴（すなわち、音声のイメージを表現するテキストデータ）それぞれを、音声データに基づく音声のイメージを的確に表す音声イメージキーワードとする。
【０７２４】
このようにして主制御部８０は、音声データを解析し当該解析結果に基づき、音声データから音声のイメージを表す１又は複数の音声イメージキーワードを抽出する。
【０７２５】
また主制御部８０は、この際、音声データの属性情報に、これら１又は複数の音声内容キーワードや１又は複数の音声イメージキーワードを追加して、写真画像表示装置１１への提供用の属性情報を生成する。そして主制御部８０は、その提供用の属性情報を、音声記憶部８５に送出して記憶する。
【０７２６】
この状態で主制御部８０は、写真画像表示装置１１から送信された属性情報要求データを、ネットワークインタフェース８１及び通信制御部８２を順次介して受信すると、これに応じて音声記憶部８５から提供用の複数の属性情報を読み出す。
【０７２７】
また主制御部８０は、提供用の複数の属性情報を格納した属性情報提供データを生成し、当該生成した属性情報提供データを、通信制御部８２及びネットワークインタフェース８１を順次介して写真画像表示装置１１に送信する。
【０７２８】
このようにして主制御部８０は、写真画像表示装置１１から複数の音声データの属性情報が要求されると、これに応じて複数の当該属性情報を属性情報提供データとして写真画像表示装置１１に提供することができる。
【０７２９】
さらに主制御部８０は、写真画像表示装置１１から送信された音声要求データを、ネットワークインタフェース８１及び通信制御部８２を順次介して受信すると、音声記憶部８５から、音声要求データ内の検索音声属性情報で識別される検索音声データを読み出す。
【０７３０】
そして主制御部８０は、その検索音声データをストリーミング形式で、通信制御部８２及びネットワークインタフェース８１を順次介して写真画像表示装置１１に送信する。
【０７３１】
このようにして主制御部８０は、写真画像表示装置１１から人物特定写真画像や対象特定写真画像の表示中に検索音声データのストリーミング再生が要求されると、当該検索音声データをストリーミング形式で写真画像表示装置１１に提供することができる。
【０７３２】
［２−４．画像音声再生処理手順］
次いで、図２６乃至図３４に示すフローチャートを用いて、写真画像表示装置１１の主制御部２０が実行する画像音声再生処理手順ＲＴ１について説明する。
【０７３３】
主制御部２０は、ユーザの指示に応じて画像音声再生モードに移行すると、図２６に示す画像音声再生処理手順ＲＴ１を開始する。
【０７３４】
主制御部２０は、画像音声再生処理手順ＲＴ１を開始すると、ステップＳＰ１において、画像プレイリスト作成処理を実行して、次のステップＳＰ２に移る。
【０７３５】
ステップＳＰ２において主制御部２０は、画像解析処理を実行した後、次のステップＳＰ３に移り、当該ステップＳＰ３において被写体特定処理を実行して、次のステップＳＰ４に移る。
【０７３６】
ステップＳＰ４において主制御部２０は、嗜好抽出処理を実行した後、次のステップＳＰ５に移り、当該ステップＳＰ５において検索条件リスト生成処理を実行して、次のステップＳＰ６に移る。
【０７３７】
ステップＳＰ６において主制御部２０は、検索処理を実行した後、次のステップＳＰ７に移り、当該ステップＳＰ７において音声プレイリスト作成処理を実行して、次のステップＳＰ８に移る。
【０７３８】
そしてステップＳＰ８において主制御部２０は、画像音声再生処理を実行した後、次のステップＳＰ９に移り、係る画像音声再生処理手順ＲＴ１を終了する。
【０７３９】
実際に主制御部２０は、ステップＳＰ１において画像プレイリスト作成処理を実行した場合、図２７に示す画像プレイリスト作成処理サブルーチンＳＲＴ１を開始する。
【０７４０】
主制御部２０は、画像プレイリスト作成処理サブルーチンＳＲＴ１を開始すると、ステップＳＰ１０１において表示部２５に画像選択画面を表示して、次のステップＳＰ１０２に移る。
【０７４１】
ステップＳＰ１０２において主制御部２０は、ユーザにより操作部２３を介して画像選択画面上で再生対象の写真画像データが選択されることを待ち受け、当該再生対象の１又は複数の写真画像データが選択されると、次のステップＳＰ１０３に移る。
【０７４２】
ステップＳＰ１０３において主制御部２０は、ユーザにより選択された再生対象の１又は複数の写真画像データを登録した画像プレイリスト２６を作成して、次のステップＳＰ１０４に移る。
【０７４３】
これによりステップＳＰ１０４において主制御部２０は、画像プレイリスト作成処理サブルーチンＳＲＴ１を終了して、図２６について上述した、次のステップＳＰ２に移る。
【０７４４】
また主制御部２０は、ステップＳＰ２において画像解析処理を実行した場合、画像解析部３４を制御して、図２８に示す画像解析処理サブルーチンＳＲＴ２を開始させる。
【０７４５】
画像解析部３４は、主制御部２０の制御のもと、画像解析処理サブルーチンＳＲＴ２を開始すると、ステップＳＰ２０１において再生対象の写真画像データを解析して、次のステップＳＰ２０２に移る。
【０７４６】
ステップＳＰ２０２において画像解析部３４は、写真画像データの解析結果をもとに、当該写真画像データに基づく写真画像内で人物の顔が写り込んでいると想定される想定領域を検出したか否かを判別する。
【０７４７】
このステップＳＰ２０２において肯定結果が得られると、このことは写真画像に１又は複数の人物の顔が写り込んでいる可能性があることを表している。ステップＳＰ２０２において画像解析部３４は、係る肯定結果を得ると、次のステップＳＰ２０３に移る。
【０７４８】
ステップＳＰ２０３において主制御部２０は、写真画像内で検出した想定領域の想定領域特徴量と領域位置情報とを対応付けた想定領域情報を生成して、次のステップＳＰ２０４に移る。
【０７４９】
ところで、上述のステップＳＰ２０２において否定結果が得られると、このことは写真画像に人物の顔が写り込んではいないことを表している。ステップＳＰ２０２において画像解析部３４は、係る否定結果を得ると、ステップＳＰ２０４に移る。
【０７５０】
そしてステップＳＰ２０４において画像解析部３４は、再生対象の写真画像データを全て解析したか否かを判別し、未だ解析していない写真画像データが存在すると、ステップＳＰ２０１に戻る。
【０７５１】
よって画像解析部３４は、この後、ステップＳＰ２０４において肯定結果を得るまでの間、ステップＳＰ２０１乃至ステップＳＰ２０４の処理を循環的に繰り返し実行する。
【０７５２】
これにより画像解析部３４は、この際、ユーザにより選択された複数の再生対象の写真画像データを順次解析して、写真画像内で想定領域を適宜検出する。
【０７５３】
またステップＳＰ２０４において肯定結果が得られると、このことは、再生対象の１又は複数の写真画像データを全て解析し終えたことを表している。
【０７５４】
ステップＳＰ２０４において画像解析部３４は、係る肯定結果を得ると、次のステップＳＰ２０５に移り、画像解析処理サブルーチンＳＲＴ２を終了する。これにより主制御部２０は、図２６について上述した、次のステップＳＰ３に移る。
【０７５５】
さらに主制御部２０は、ステップＳＰ３において被写体特定処理を実行した場合、人物特定部３６を制御して、図２９に示す被写体特定処理サブルーチンＳＲＴ３を開始させる。
【０７５６】
人物特定部３６は、被写体特定処理サブルーチンＳＲＴ３を開始すると、ステップＳＰ３０１において画像解析部３４により再生対象の１つの写真画像データについて想定領域情報が生成されたか否かを判別する。
【０７５７】
このステップＳＰ３０１において肯定結果が得られると、このことは、画像解析部３４から、再生対象の写真画像データに基づく写真画像内で１又は複数の想定領域が検出され、１又は複数の想定領域情報が与えられたことを表している。ステップＳＰ３０１において人物特定部３６は、係る肯定結果を得ると、次のステップＳＰ３０２に移る。
【０７５８】
ステップＳＰ３０２において人物特定部３６は、１又は複数の想定領域情報、知人顔特徴量及びユーザ顔特徴量に基づき人物特定処理を実行する。
【０７５９】
これにより人物特定部３６は、写真画像の１又は複数の想定領域に写り込んでいると想定される人物の顔が、知人の顔やユーザの顔としてどの程度確からしいかを表す確度を算出して、次のステップＳＰ３０３に移る。
【０７６０】
ステップＳＰ３０３において人物特定部３６は、人物特定処理の処理結果（すなわち、確度）に基づき、写真画像内で１又は複数の人物を特定し得たか否かを判別する。
【０７６１】
このステップＳＰ３０３において肯定結果が得られると、このことは写真画像の１又は複数の想定領域に写り込んでいる顔をもとに、当該写真画像に写り込んでいる１又は複数の人物を知人やユーザであると特定し得たことを表している。ステップＳＰ３０３において人物特定部３６は、係る肯定結果を得ると、次のステップＳＰ３０４に移る。
【０７６２】
ステップＳＰ３０４において人物特定部３６は、写真画像内で特定した１又は複数の特定人物を登録した特定人物リスト４０を生成して、次のステップＳＰ３０５に移る。
【０７６３】
ところで、上述のステップＳＰ３０１において否定結果が得られると、このことは、画像解析部３４から、写真画像内で想定領域が検出されなかったために想定領域情報が与えられてはいないことを表している。ステップＳＰ３０１において人物特定部３６は、係る否定結果を得ると、ステップＳＰ３０６に移る。
【０７６４】
また上述のステップＳＰ３０３において否定結果が得られると、このことは写真画像の１又は複数の想定領域に写り込んでいると想定された顔が知人の顔やユーザの顔ではないと判別したことを表している。ステップＳＰ３０３において人物特定部３６は、係る否定結果を得たときも、ステップＳＰ３０６に移る。
【０７６５】
ステップＳＰ３０６において人物特定部３６は、再生対象の写真画像データの属性情報と対象特定使用データとに基づき撮影対象特定処理を実行して、当該写真画像データに基づく写真画像に写り込んでいる撮影対象を特定して、次のステップＳＰ３０７に移る。
【０７６６】
ステップＳＰ３０７において人物特定部３６は、写真画像内で特定した特定撮影対象を登録した特定対象リスト４２を生成して、ステップＳＰ３０５に移る。
【０７６７】
ステップＳＰ３０５において人物特定部３６は、再生対象の写真画像データの全てについて写真画像に写り込んでいる被写体を特定したか（すなわち、特定人物リスト４０又は特定対象リスト４２を生成したか）否かを判別する。
【０７６８】
その結果、人物特定部３６は、未だ、写真画像に写り込んでいる被写体を特定していない（すなわち、特定人物リスト４０又は特定対象リスト４２を生成していない）写真画像データが存在すると、ステップＳＰ３０１に戻る。
【０７６９】
よって人物特定部３６は、この後、ステップＳＰ３０５において肯定結果を得るまでの間、ステップＳＰ３０１乃至ステップＳＰ３０７の処理を循環的に繰り返し実行する。
【０７７０】
これにより人物特定部３６は、この際、ユーザにより選択された再生対象の複数の写真画像データを順次用いて人物特定処理及び又は撮影対象特定処理を実行する。
【０７７１】
その結果、人物特定部３６は、再生対象の複数の写真画像データに基づく写真画像それぞれに写り込んでいる被写体を特定して、特定人物リスト４０又は特定対象リスト４２を適宜生成する。
【０７７２】
またステップＳＰ３０５において肯定結果が得られると、このことは、この際、再生対象の１又は複数の写真画像データの全てについて、写真画像に写り込んでいる被写体を特定し終えたことを表している。
【０７７３】
すなわち、係る肯定結果は、再生対象の１又は複数の写真画像データの全てについて、特定人物リスト４０又は特定対象リスト４２を生成し終えたことを表している。
【０７７４】
ステップＳＰ３０５において人物特定部３６は、係る肯定結果を得ると、次のステップＳＰ３０８に移り、被写体特定処理サブルーチンＳＲＴ３を終了する。これにより主制御部２０は、図２６について上述した、次のステップＳＰ４に移る。
【０７７５】
さらに主制御部２０は、ステップＳＰ４において嗜好抽出処理を実行した場合、嗜好抽出部４１を制御して、図３０に示す嗜好抽出処理サブルーチンＳＲＴ４を開始させる。
【０７７６】
嗜好抽出部４１は、嗜好抽出処理サブルーチンＳＲＴ４を開始すると、ステップＳＰ４０１において人物特定部３６により再生対象の１つの写真画像データについて特定人物リスト４０が生成されたか否かを判別する。
【０７７７】
ステップＳＰ４０１において肯定結果が得られると、このことは人物特定部３６から、再生対象の写真画像データに基づく写真画像内で１又は複数の人物が特定され、特定人物リスト４０が与えられたことを表している。ステップＳＰ４０１において嗜好抽出部４１は、係る肯定結果を得ると、次のステップＳＰ４０２に移る。
【０７７８】
ステップＳＰ４０２において嗜好抽出部４１は、人物情報要求データを、主制御部２０を介して情報提供装置１３に送信して、次のステップＳＰ４０３に移る。
【０７７９】
ステップＳＰ４０３において嗜好抽出部４１は、主制御部２０により人物情報要求データが送信された結果、情報提供装置１３から返信される提供用人物情報データが受信されることを待ち受ける。
【０７８０】
そして嗜好抽出部４１は、主制御部２０により提供用人物情報データが受信され、当該主制御部２０から提供用人物情報データを取得すると、次のステップＳＰ４０４に移る。
【０７８１】
ステップＳＰ４０４において嗜好抽出部４１は、提供用人物情報データに基づき、写真画像内で特定された１又は複数の特定人物の嗜好を抽出して、次のステップＳＰ４０５に移る。
【０７８２】
ステップＳＰ４０５において嗜好抽出部４１は、特定人物リスト４０に１又は複数の特定人物の嗜好を示す嗜好情報を追加して嗜好追加人物リスト４３を生成し、次のステップＳＰ４０６に移る。
【０７８３】
ところで、上述のステップＳＰ４０１において否定結果が得られると、このことは人物特定部３６から、再生対象の写真画像データに基づく写真画像内で撮影対象が特定されたことで、特定人物リスト４０が与えられてはいないことを表している。ステップＳＰ４０１において嗜好抽出部４１は、係る否定結果を得ると、ステップＳＰ４０６に移る。
【０７８４】
ステップＳＰ４０６において嗜好抽出部４１は、１又は複数の人物特定写真画像内で特定された全ての特定人物の嗜好を抽出したか（すなわち、人物特定写真画像の全てについて嗜好追加人物リスト４３を生成したか）否かを判別する。
【０７８５】
その結果、嗜好抽出部４１は、まだ嗜好を抽出していない特定人物が写り込んでいる人物特定写真画像が存在する（すなわち、まだ嗜好追加人物リスト４３を生成していない人物特定写真画像が存在する）と、ステップＳＰ４０１に戻る。
【０７８６】
よって嗜好抽出部４１は、この後、ステップＳＰ４０６において肯定結果を得るまでの間、ステップＳＰ４０１乃至ステップＳＰ４０６の処理を循環的に繰り返し実行する。
【０７８７】
これにより嗜好抽出部４１は、複数の人物特定写真画像それぞれについて、特定人物の嗜好を抽出して嗜好追加人物リスト４３を生成する。
【０７８８】
またステップＳＰ４０６において肯定結果が得られると、このことは１又は複数の人物特定写真画像の全てについて、特定人物の嗜好を抽出して嗜好追加人物リスト４３を生成し終えたことを表している。
【０７８９】
ステップＳＰ４０６において嗜好抽出部４１は、係る肯定結果を得ると、次のステップＳＰ４０７に移り、嗜好抽出処理サブルーチンＳＲＴ４を終了する。これにより主制御部２０は、図２６について上述した、次のステップＳＰ５に移る。
【０７９０】
さらに主制御部２０は、ステップＳＰ５において検索条件リスト生成処理を実行した場合、検索部４５を制御して、図３１に示す検索条件リスト生成処理サブルーチンＳＲＴ５を開始させる。
【０７９１】
検索部４５は、検索条件リスト生成処理サブルーチンＳＲＴ５を開始すると、ステップＳＰ５０１において現在情報要求データを、主制御部２０を介して情報提供装置１３に送信して、次のステップＳＰ５０２に移る。
【０７９２】
ステップＳＰ５０２において検索部４５は、主制御部２０により現在情報要求データが送信された結果、情報提供装置１３から返信される現在情報提供データが受信されることを待ち受ける。
【０７９３】
そして検索部４５は、主制御部２０により現在情報提供データが受信され、当該主制御部２０から現在情報提供データを取得すると、次のステップＳＰ５０３に移る。
【０７９４】
ステップＳＰ５０３において検索部４５は、嗜好抽出部４１により再生対象の１つの写真画像データについて嗜好追加人物リスト４３が生成されたか否かを判別する。
【０７９５】
このステップＳＰ５０３において肯定結果が得られると、このことは嗜好抽出部４１から、１又は複数の特定人物の嗜好が抽出され、嗜好追加人物リスト４３が与えられたことを表している。ステップＳＰ５０３において検索部４５は、係る肯定結果を得ると、次のステップＳＰ５０４に移る。
【０７９６】
ステップＳＰ５０４において検索部４５は、嗜好追加人物リスト４３、提供用人物情報データ及び現在情報提供データに基づき、検索条件リスト４６Ａ又は４６Ｂを生成して、次のステップＳＰ５０５に移る。
【０７９７】
ところで、上述のステップＳＰ５０３において否定結果が得られると、このことは嗜好抽出部４１から、特定対象リスト４２が与えられたことを表している。ステップＳＰ５０３において検索部４５は、係る否定結果を得ると、ステップＳＰ５０６に移る。
【０７９８】
そしてステップＳＰ５０６において検索部４５は、特定対象リスト４２及び現在情報提供データに基づき、検索条件リスト４６Ｃを生成して、ステップＳＰ５０５に移る。
【０７９９】
ステップＳＰ５０５において検索部４５は、再生対象の写真画像データの全てについて検索条件リスト４６を生成したか否かを判別する。
【０８００】
その結果、検索部４５は、まだ検索条件リスト４６を生成していない写真画像データが存在すると、ステップＳＰ５０３に戻る。
【０８０１】
よって検索部４５は、この後、ステップＳＰ５０５において肯定結果を得るまでの間、ステップＳＰ５０３乃至ステップＳＰ５０６の処理を循環的に繰り返し実行する。これにより検索部４５は、再生対象の複数の写真画像データについて検索条件リスト４６を生成する。
【０８０２】
またステップＳＰ５０５において肯定結果が得られると、このことは、再生対象の１又は複数の写真画像データの全てについて検索条件リスト４６を生成し終えたことを表している。
【０８０３】
ステップＳＰ５０５において検索部４５は、係る肯定結果を得ると、次のステップＳＰ５０７に移り、検索条件リスト生成処理サブルーチンＳＲＴ５を終了する。これにより主制御部２０は、図２６について上述した、次のステップＳＰ６に移る。
【０８０４】
さらに主制御部２０は、ステップＳＰ６において検索処理を実行した場合、検索部４５を制御して、図３２に示す検索処理サブルーチンＳＲＴ６を開始させる。
【０８０５】
検索部４５は、検索処理サブルーチンＳＲＴ６を開始すると、ステップＳＰ６０１において属性情報要求データを、主制御部２０を介して情報提供装置１３に送信して、次のステップＳＰ６０２に移る。
【０８０６】
ステップＳＰ６０２において検索部４５は、主制御部２０により属性情報要求データが送信された結果、情報提供装置１３から返信される属性情報提供データが受信されることを待ち受ける。
【０８０７】
そして検索部４５は、主制御部２０により属性情報提供データが受信され、当該主制御部２０から属性情報提供データを取得すると、次のステップＳＰ６０３に移る。
【０８０８】
ステップＳＰ６０３において検索部４５は、再生対象の１つの写真画像データについて生成した１又は複数の検索条件リスト４６に従い、複数の音声データの属性情報を用いて第１段階検索処理を実行して、次のステップＳＰ６０４に移る。
【０８０９】
ステップＳＰ６０４において検索部４５は、再生対象の１つの写真画像データについて生成した１又は複数の検索条件リスト４６に従い、第１段階検索処理の処理結果を用いて第２段階検索処理を実行して、次のステップＳＰ６０５に移る。
【０８１０】
ステップＳＰ６０５において検索部４５は、第１段階検索処理及び第２段階検索処理処理を順次実行して検索した１又は複数の検索音声データを示す検索音声リスト４７を生成して、次のステップＳＰ６０６に移る。
【０８１１】
ステップＳＰ６０６において検索部４５は、再生対象の写真画像データ毎に生成した１又は複数の検索条件リスト４６を全て用いて検索音声データを検索し終えたか否かを判別する。
【０８１２】
その結果、検索部４５は、再生対象の写真画像データ毎に生成した１又は複数の検索条件リスト４６の中に、未だ検索に使用していない検索条件リスト４６が存在すると、ステップＳＰ６０３に戻る。
【０８１３】
よって検索部４５は、この後、ステップＳＰ６０６において肯定結果を得るまでの間、ステップＳＰ６０３乃至ステップＳＰ６０６の処理を循環的に繰り返し実行する。
【０８１４】
これにより検索部４５は、再生対象の写真画像データ毎に生成した１又は複数の検索条件リスト４６を全て用いて、当該再生対象の写真画像データ毎に検索音声リスト４７を生成する。
【０８１５】
またステップＳＰ６０６において肯定結果が得られると、このことは、再生対象の１又は複数の写真画像データの全てについて検索音声リスト４７を生成し終えたことを表している。
【０８１６】
ステップＳＰ６０６において検索部４５は、係る肯定結果を得ると、次のステップＳＰ６０７に移り、検索処理サブルーチンＳＲＴ６を終了する。これにより主制御部２０は、図２６について上述した、次のステップＳＰ７に移る。
【０８１７】
さらに主制御部２０は、ステップＳＰ７において音声プレイリスト作成処理を実行した場合、プレイリスト作成部５０を制御して、図３３に示す音声プレイリスト作成処理サブルーチンＳＲＴ７を開始させる。
【０８１８】
プレイリスト作成部５０は、音声プレイリスト作成処理サブルーチンＳＲＴ７を開始すると、ステップＳＰ７０１において設定情報記憶部２７から選択表示時間を示す選択時間情報を読み出して、次のステップＳＰ７０２に移る。
【０８１９】
ステップＳＰ７０２においてプレイリスト作成部５０は、選択表示時間と１又は複数の検索音声データの再生時間とに基づき、検索音声リスト４７から再生対象の１又は複数の検索音声データを選定して、次のステップＳＰ７０３に移る。
【０８２０】
ステップＳＰ７０３においてプレイリスト作成部５０は、選定した再生対象の１又は複数の検索音声データを示す音声プレイリスト５１を作成して、次のステップＳＰ７０４に移る。
【０８２１】
ステップＳＰ７０４においてプレイリスト作成部５０は、再生対象の写真画像データに基づく写真画像の表示中に使用される音声プレイリスト５１を、当該写真画像データの全てについて作成したか否かを判別する。
【０８２２】
その結果、プレイリスト作成部５０は、再生対象の複数の写真画像データの中に、写真画像の表示中に使用される音声プレイリスト５１を未だ作成していない写真画像データが存在すると、ステップＳＰ７０２に戻る。
【０８２３】
よってプレイリスト作成部５０は、この後、ステップＳＰ７０４において肯定結果を得るまでの間、ステップＳＰ７０２乃至ステップＳＰ７０４の処理を循環的に繰り返し実行する。これによりプレイリスト作成部５０は、再生対象の写真画像データ毎の音声プレイリスト５１を全て生成する。
【０８２４】
またステップＳＰ７０４において肯定結果が得られると、このことは、再生対象の１又は複数の写真画像データの全てについて、写真画像の表示中に使用される音声プレイリスト５１を生成し終えたことを表している。
【０８２５】
ステップＳＰ７０４においてプレイリスト作成部５０は、係る肯定結果を得ると、次のステップＳＰ７０５に移り、音声プレイリスト作成処理サブルーチンＳＲＴ７を終了する。これにより主制御部２０は、図２６について上述した、次のステップＳＰ８に移る。
【０８２６】
さらに主制御部２０は、ステップＳＰ８において画像音声再生処理を実行した場合、図３４に示す画像音声再生処理サブルーチンＳＲＴ８を開始する。
【０８２７】
主制御部２０は、画像音声再生処理サブルーチンＳＲＴ８を開始すると、ステップＳＰ８０１において画像プレイリスト２６に従い１つの写真画像データの再生を開始する。
【０８２８】
これにより主制御部２０は、表示部２５に写真画像データに基づく人物特定写真画像又は対象特定写真画像を表示し始める。
【０８２９】
また主制御部２０は、再生を開始した写真画像データに対応する音声プレイリスト５１に従い１つの検索音声データの再生も開始して、再生部３２から当該検索音声データに基づく音声を出力し始めて、次のステップＳＰ８０２に移る。
【０８３０】
ステップＳＰ８０２において主制御部２０は、内部のタイマにより計時を開始して、次のステップＳＰ８０３に移る。
【０８３１】
ステップＳＰ８０３において主制御部２０は、タイマの計時時間が選択表示時間に達したか否かを判別する。このステップＳＰ８０３において否定結果が得られると、このことは、タイマの計時時間が選択表示時間に達していないため、表示中の人物特定写真画像又は対象特定写真画像の当該表示を未だ継続することを表している。ステップＳＰ８０３において主制御部２０は、係る否定結果を得ると、ステップＳＰ８０４に移る。
【０８３２】
ステップＳＰ８０４において主制御部２０は、検索音声データの再生処理が終了したか否かを判別する。このステップＳＰ８０４において否定結果が得られると、このことは、人物特定写真画像又は対象特定写真画像の表示を継続している状態で１つの検索音声データを未だ再生処理している途中であることを表している。このステップＳＰ８０４において主制御部２０は、係る否定結果を得ると、ステップＳＰ８０３に戻る。
【０８３３】
よって主制御部２０は、この後、ステップＳＰ８０４及びステップＳＰ８０３の何れかで肯定結果を得るまでの間、ステップＳＰ８０３及びステップＳＰ８０４の処理を循環的に繰り返し実行する。
【０８３４】
これにより主制御部２０は、人物特定写真画像又は対象特定写真画像を、表示を継続して見せながら、１つの検索音声データを再生して当該検索音声データに基づく音声を聴かせることができる。
【０８３５】
ところで、ステップＳＰ８０４において肯定結果が得られると、このことは人物特定写真画像又は対象特定写真画像の表示中に１つの検索音声データの再生処理が終了したことを表している。このステップＳＰ８０４において主制御部２０は、係る肯定結果を得ると、次のステップＳＰ８０５に移る。
【０８３６】
ステップＳＰ８０５において主制御部２０は、音声プレイリスト５１に従い次の検索音声データの再生を開始して、１つ前の検索音声データに基づく音声の出力の終了に引き続き、当該次の検索音声データに基づく音声を出力し始めて、ステップＳＰ８０３に戻る。
【０８３７】
よって主制御部２０は、この後、ステップＳＰ８０３において肯定結果を得るまでの間、ステップＳＰ８０３乃至ステップＳＰ８０５の処理を循環的に繰り返し実行する。
【０８３８】
これにより主制御部２０は、人物特定写真画像又は対象特定写真画像を、表示を継続して見せながら、音声プレイリスト５１に従い検索音声データを順次再生して、１つの音声を繰り返し、又は複数の音声を連続して聴かせることができる。
【０８３９】
ところで、上述のステップＳＰ８０３において肯定結果が得られると、このことはタイマの計時時間が選択表示時間に達したことで、この時点まで表示していた人物特定写真画像又は対象特定写真画像の表示を終了させることを表している。ステップＳＰ８０３において主制御部２０は、係る肯定結果を得ると、次のステップＳＰ８０６に移る。
【０８４０】
ステップＳＰ８０６において主制御部２０は、この時点までに表示していた人物特定写真画像又は対象特定写真画像に対応する音声プレイリスト５１に従った検索音声データの再生を停止して、次のステップＳＰ８０７に移る。
【０８４１】
ステップＳＰ８０７において主制御部２０は、画像プレイリスト２６に登録している写真画像データの中に未だ再生していない写真画像データが存在するか否かを判別する。
【０８４２】
その結果、主制御部２０は、画像プレイリスト２６に登録している写真画像データの中に未だ再生していない写真画像データが存在して肯定結果を得ると、ステップＳＰ８０１に戻る。
【０８４３】
よって主制御部２０は、この後、ステップＳＰ８０７において否定結果を得るまでの間、ステップＳＰ８０１乃至ステップＳＰ８０７の処理を循環的に繰り返し実行する。
【０８４４】
これにより主制御部２０は、複数の人物特定写真画像及び対象特定写真画像を順次切り換えて表示しながら、当該人物特定写真画像及び対象特定写真画像の表示中には、対応する音声プレイリスト５１に従い検索音声データを再生して音声を聴かせることができる。
【０８４５】
そしてステップＳＰ８０７において否定結果が得られると、このことは画像プレイリスト２６に登録している１又は複数の写真画像データに基づく人物特定写真画像及び対象特定写真画像を全て選択表示時間ずつ表示し終えたことを表している。
【０８４６】
ステップＳＰ８０７において主制御部２０は、係る否定結果を得ると、次のステップＳＰ８０８に移り画像音声再生処理サブルーチンＳＲＴ８を終了する。
【０８４７】
これにより主制御部２０は、図２６について上述した、次のステップＳＰ９に移り、上述のように画像音声再生処理手順ＲＴ１を全て終了する。
【０８４８】
［２−５．検索理由提示処理手順］
次いで、図３５及び図３６に示すフローチャートを用いて、写真画像表示装置１１の主制御部２０が、図３４について上述した画像音声再生処理サブルーチンＳＲＴ８と並行して実行する検索理由提示処理手順ＲＴ２について説明する。
【０８４９】
主制御部２０は、上述した画像音声再生処理サブルーチンＳＲＴ８を開始すると、これに応じて図３５及び図３６に示す検索理由提示処理手順ＲＴ２を開始する。
【０８５０】
主制御部２０は、検索理由提示処理手順ＲＴ２を開始すると、ステップＳＰ２１において、出力中の音声の検索音声データに対する検索理由を提示するか否かを判別する。
【０８５１】
このステップＳＰ２１において否定結果が得られると、このことは例えば、ユーザが現在表示中の人物特定写真画像又は対象特定写真画像を見ながら、出力中の音声を聴いている途中であり、検索理由の提示を要求してはいないことを表している。このステップＳＰ２１において主制御部２０は、係る否定結果を得ると、ステップＳＰ２２に移る。
【０８５２】
ステップＳＰ２２において主制御部２０は、画像音声再生処理が終了したか否かを判別する。このステップＳＰ２２において否定結果が得られると、このことは、未だ画像プレイリスト２６に従って写真画像データを再生し人物特定写真画像又は対象特定写真画像を表示している途中であることを表している。ステップＳＰ２２において主制御部２０は、係る否定結果を得ると、ステップＳＰ２１に戻る。
【０８５３】
よって主制御部２０は、この後、ステップＳＰ２１及びステップＳＰ２２の何れかで肯定結果を得るまでの間、当該ステップＳＰ２１及びステップＳＰ２２の処理を循環的に繰り返し実行する。
【０８５４】
これにより主制御部２０は、画像プレイリスト２６に従って写真画像データを再生し人物特定写真画像又は対象特定写真画像を表示している間、ユーザにより出力中の音声に対する検索理由の提示が要求されることを待ち受ける。
【０８５５】
そしてステップＳＰ２１において肯定結果が得られると、このことは例えば、ユーザが現在表示中の人物特定写真画像又は対象特定写真画像を見ながら、出力中の音声を聴いている途中で、その音声の検索理由が気になり提示を要求したことを表している。ステップＳＰ２１において主制御部２０は、係る肯定結果を得ると、次のステップＳＰ２３に移る。
【０８５６】
ステップＳＰ２３において主制御部２０は、現在表示中の人物特定写真画像又は対象特定写真画像上で、このとき出力している音声の検索音声データに対する検索理由を提示して、次のステップＳＰ２４に移る。
【０８５７】
ステップＳＰ２４において主制御部２０は、検索理由の提示に引き続き、当該検索理由の提示をきっかけとして実行可能な処理を提示するか否かを判別する。
【０８５８】
このステップＳＰ２４において肯定結果が得られると、このことは検索音声データの検索理由を確認したユーザにより、その検索理由をきっかけとして実行可能な処理がどのような処理であるのかを提示するように要求されたことを表している。ステップＳＰ２４において主制御部２０は、係る肯定結果を得ると、次のステップＳＰ２５に移る。
【０８５９】
ステップＳＰ２５において主制御部２０は、現在表示中の人物特定写真画像又は対象特定写真画像上で１又は複数のアイコンにより、このとき提示していた検索理由をきっかけとして実行可能な１又は複数の処理を提示して、次のステップＳＰ２６に移る。
【０８６０】
ステップＳＰ２６において主制御部２０は、ユーザに提示した実行可能な１又は複数の処理の何れかを実行するか否かを判別する。
【０８６１】
このステップＳＰ２６において肯定結果が得られると、このことは実行可能な１又は複数の処理を確認したユーザにより、何れかの処理を実行するように指示されたことを表している。ステップＳＰ２６において主制御部２０は、係る肯定結果を得ると、次のステップＳＰ２７に移る。
【０８６２】
ステップＳＰ２７において主制御部２０は、実行可能な１又は複数の処理のうちユーザにより指示された処理を実行して、ステップＳＰ２２に移る。
【０８６３】
ところで、上述のステップＳＰ２４において否定結果が得られると、このことはユーザに人物特定写真画像又は対象特定写真画像上で検索理由を提示したものの、その検索理由をきっかけとして実行可能な処理を提示するようには要求されていないことを表している。ステップＳＰ２４において主制御部２０は、係る否定結果を得ると、ステップＳＰ２８に移る。
【０８６４】
ステップＳＰ２８において主制御部２０は、人物特定写真画像又は対象特定写真画像上で提示していた検索理由の当該提示を終了させるか否かを判別する。
【０８６５】
このステップＳＰ２８において否定結果が得られると、このことはユーザにより、人物特定写真画像又は対象特定写真画像上での検索理由の提示を特には停止するように指示されていないことを表している。
【０８６６】
また、係る否定結果は、この際に提示している検索理由で検索された１つの検索音声データが未だ再生処理中であることも表している。ステップＳＰ２８において主制御部２０は、このような否定結果を得ると、ステップＳＰ２４に戻る。
【０８６７】
よって主制御部２０は、この後、ステップＳＰ２４及びステップＳＰ２８の何れかで肯定結果を得るまでの間、当該ステップＳＰ２４及びステップＳＰ２８の処理を循環的に繰り返し実行する。
【０８６８】
これにより主制御部２０は、表示部２５に人物特定写真画像又は対象特定写真画像を表示しながら、１つの検索音声データを再生処理して音声を出力している間、人物特定写真画像又は対象特定写真画像上で当該検索音声データに対する検索理由の提示を継続する。
【０８６９】
ところで、ステップＳＰ２８において肯定結果が得られると、このことはユーザにより、検索理由の提示を終了するように指示されたことを表している。
【０８７０】
また、係る肯定結果は、この際に提示している検索理由で検索された１つの検索音声データの再生処理と共に当該検索音声データに基づく音声の出力が終了したことも表している。ステップＳＰ２８において主制御部２０は、このような肯定結果を得ると、ステップＳＰ２９に移る。
【０８７１】
ステップＳＰ２９において主制御部２０は、ユーザの指示に応じて検索理由の提示を終了し、又は当該検索理由で検索された１つの検索音声データの再生処理の終了に応じて、その検索理由の提示を終了して、ステップＳＰ２２に移る。
【０８７２】
また上述のステップＳＰ２６において否定結果が得られると、このことはユーザに人物特定写真画像又は対象特定写真画像上で、実行可能な１又は複数の処理を提示したものの、何れかの処理が実行用には指示されていないことを表している。ステップＳＰ２６において主制御部２０は、係る否定結果を得ると、ステップＳＰ３０に移る。
【０８７３】
ステップＳＰ３０において主制御部２０は、人物特定写真画像又は対象特定写真画像上で提示してい実行可能な１又は複数の処理の当該提示を終了させるか否かを判別する。
【０８７４】
このステップＳＰ３０において否定結果が得られると、このことはユーザにより、人物特定写真画像又は対象特定写真画像上での１又は複数の処理の提示を特には停止するように指示されていないことを表している。
【０８７５】
また、係る否定結果は、実行可能な１又は複数の処理と共に提示している検索理由で検索された１つの検索音声データが未だ再生処理中であることも表している。ステップＳＰ３０において主制御部２０は、このような否定結果を得ると、ステップＳＰ２６に戻る。
【０８７６】
よって主制御部２０は、この後、ステップＳＰ２６及びステップＳＰ３０の何れかで肯定結果を得るまでの間、ステップＳＰ２６及びステップＳＰ３０の処理を循環的に繰り返し実行する。
【０８７７】
これにより主制御部２０は、表示部２５に人物特定写真画像又は対象特定写真画像を表示しながら、１つの検索音声データを再生して音声を出力している間、人物特定写真画像又は対象特定写真画像上で当該検索音声データの検索理由の提示と共に、当該検索理由の提示をきっかけとして実行可能な１又は複数の処理の提示を継続する。
【０８７８】
ところで、ステップＳＰ３０において肯定結果が得られると、このことはユーザにより、実行可能な１又は複数の処理の提示を終了するように指示されたことを表している。
【０８７９】
また、係る肯定結果は、実行可能な１又は複数の処理と共に提示している検索理由で検索された１つの検索音声データの再生処理と共に当該検索音声データに基づく音声の出力が終了したことも表している。ステップＳＰ３０において主制御部２０は、このような肯定結果を得ると、次のステップＳＰ３１に移る。
【０８８０】
ステップＳＰ３１において主制御部２０は、ユーザの指示に応じて、実行可能な１又は複数の処理の提示を終了し、又は１つの検索音声データの再生処理の終了に応じて、当該実行可能な１又は複数の処理の提示を終了して、ステップＳＰ２２に移る。
【０８８１】
そしてステップＳＰ２２において肯定結果が得られると、このことは、画像プレイリスト２６に従った全ての写真画像データの再生と共に人物特定写真画像又は対象特定写真画像の表示が全て終了したことを表している。
【０８８２】
ステップＳＰ２２において主制御部２０は、係る肯定結果を得ると、ステップＳＰ３２に移り、検索理由提示処理手順ＲＴ２を終了する。
【０８８３】
［２−６．第１の実施の形態の動作及び効果］
以上の構成において、写真画像表示装置１１は、ユーザにより操作部２３を介して画像音声再生機能が選択されると、画像音声再生モードに移行して、当該ユーザに操作部２３を介して再生対象の写真画像データを選択させる。
【０８８４】
この際、写真画像表示装置１１は、再生対象の写真画像データに基づく写真画像に写り込んでいる人物を特定する。
【０８８５】
また写真画像表示装置１１は、その人物特定写真画像内で特定した特定人物に関する提供用人物情報に基づき、当該特定人物の嗜好を抽出する。
【０８８６】
さらに写真画像表示装置１１は、複数の音声データの中から特定人物の嗜好に合った１又は複数の音声データを検索する。
【０８８７】
そして写真画像表示装置１１は、再生対象の写真画像データに基づく人物特定写真画像の表示中の、当該検索した１又は複数の検索音声データの再生順序を規定する音声プレイリスト５１を作成する。
【０８８８】
従って写真画像表示装置１１は、写真画像データを再生して人物特定写真画像を表示しながら、音声プレイリスト５１に従って検索音声データを再生して、当該人物特定写真画像に写り込んでいる特定人物の嗜好に合った音声を聴かせることができる。
【０８８９】
以上の構成によれば、写真画像表示装置１１は、再生対象の写真画像データに基づく写真画像に写り込んでいる人物を特定して、当該特定した特定人物の嗜好を抽出し、当該抽出した嗜好に合った１又は複数の音声データを検索して、写真画像データに基づく人物特定写真画像の表示中の、当該検索した１又は複数の検索音声データの再生順序を規定する音声プレイリスト５１を作成するようにした。これにより写真画像表示装置１１は、写真画像データを再生して人物特定写真画像を表示しながら、音声プレイリスト５１に従い検索音声データを再生して、当該人物特定写真画像に写り込んでいる特定人物の嗜好に合った音声を聴かせることができる。よって写真画像表示装置１１は、写真画像と音声との新たな楽しみ方を提供することができる。
【０８９０】
また写真画像表示装置１１は、再生対象の写真画像データに基づく写真画像に写り込んでいる複数の人物を特定した場合、当該特定した複数の特定人物に共通な嗜好を抽出するようにした。
【０８９１】
そして写真画像表示装置１１は、複数の特定人物に共通な嗜好に合った１又は複数の音声データを検索して、当該検索した１又は複数の検索音声データを示す音声プレイリスト５１を作成するようにした。
【０８９２】
従って写真画像表示装置１１は、写真画像に写り込んでいる、同一種類の音声で繋がりのある複数の人物を特定した場合、当該写真画像の表示中に複数の特定人物の共通な嗜好に合う音声として、これら複数の特定人物の繋がりの元である同一種類の音声を聴かせることができる。
【０８９３】
すなわち、写真画像表示装置１１は、写真画像内で、同一種類の音声に興味をもつもの同士が参加するグループ（吹奏楽団やロックバンド、落語サークル等）の複数の人物を特定した場合、当該写真画像の表示中に、複数の特定人物の嗜好に合いつつ、そのグループに特化した音声を聴かせることができる。
【０８９４】
さらに写真画像表示装置１１は、写真画像に写り込んでいる複数の人物を特定しても、選択表示時間が比較的長いときには、複数の特定人物それぞれの嗜好を抽出し、当該特定人物毎に嗜好に合った音声データを検索するようにした。
【０８９５】
従って、写真画像表示装置１１は、複数の特定人物が写り込んでいる人物特定写真画像の表示中には、特定人物毎の嗜好に合った音声を聴かせることができる。
【０８９６】
これにより写真画像表示装置１１は、複数の特定人物が写り込んでいる人物特定写真画像の表示中には、当該複数の特定人物をグループとして捉えたときには見えづらいものの、当該特定人物を個人として捉えたときには見えてくる嗜好に合った音声を聴かせることができる。
【０８９７】
さらに写真画像表示装置１１は、人物特定写真画像を表示しながら音声を出力しているときに、当該音声の検索理由の提示が要求されると、これに応じて検索理由を提示するようにした。
【０８９８】
従って写真画像表示装置１１は、現在聴いている音声が、現在表示中の人物特定写真画像とどのように関わるのかを容易に確認させることができる。
【０８９９】
また写真画像表示装置１１は、その際、音声の検索理由と共に、その検索のもとになった特定人物も提示するようにした。
【０９００】
従って写真画像表示装置１１は、人物特定写真画像の表示中に聴いている音声が、どの特定人物の嗜好に合った音声であるのかも容易に確認させることができる。
【０９０１】
＜３．第２の実施の形態＞
［３−１．コンテンツ再生システムの構成］
図３７において、１００は全体として、第２の実施の形態によるコンテンツ再生システムを示す。係るコンテンツ再生システム１００は、上述したプレイリスト作成装置１の具体例であるデジタルフォトフレームと呼ばれる写真画像表示装置１０１を有している。
【０９０２】
そしてコンテンツ再生システム１００は、写真画像表示装置１０１がインターネットやＬＡＮ（Local  Area  Network）等のネットワーク１０２を介してサーバ構成の情報提供装置１０３と通信し得るようになされている。
【０９０３】
［３−２．写真画像表示装置のハードウェア回路ブロックによるハードウェア構成］
次いで、図３８を用いて写真画像表示装置１０１のハードウェア回路ブロックによるハードウェア回路構成について説明する。
【０９０４】
写真画像表示装置１０１は、筐体表面やリモートコントローラに設けられた各種操作キーでなる操作入力部１１０がユーザによって操作されると、操作入力部１１０でこれを認識し、操作に応じた操作入力信号を入力処理部１１１に送出する。
【０９０５】
入力処理部１１１は、操作入力部１１０から供給される操作入力信号に対して所定の処理を施すことにより、当該操作入力信号を操作コマンドに変換して中央処理ユニット（CPU：Central  Processing  Unit）１１３に送出する。
【０９０６】
また写真画像表示装置１０１は、液晶ディスプレイや有機ＥＬ（Electro  Luminescence）ディスプレイのようなディスプレイ１１４の表示面にタッチパネル１１５が設けられている。
【０９０７】
そしてタッチパネル１１５は、その表面がタッチ操作されると、これに応じてタッチ操作によるタッチ位置を検出して中央処理ユニット１１３に通知する。
【０９０８】
中央処理ユニット１１３は、ＲＯＭ（Read  Only  Memory）１１６又はハードディスクドライブ１１７に予め記憶された基本プログラムやアプリケーションプログラム等の各種プログラムをＲＡＭ（Random  Access  Memory）１１８に読み出す。
【０９０９】
そして中央処理ユニット１１３は、ＲＡＭ１１８上で展開した各種プログラムに従って全体を制御すると共に、所定の演算処理や、入力処理部１１１から与えられる操作コマンド、及びタッチパネル１１５の表面のタッチ位置に応じた各種処理を実行する。
【０９１０】
これにより中央処理ユニット１１３は、外部機器インタフェース１２０に接続されたパーソナルコンピュータやデジタルカメラ等の外部機器から画像ファイルが転送されると、当該画像ファイルを、外部機器インタフェース１２０を介して取り込む。そして中央処理ユニット１１３は、その画像ファイルをハードディスクドライブ１１７に送出して記憶する。
【０９１１】
また中央処理ユニット１１３は、外部機器インタフェース１２０に接続された外部機器から音声ファイルが転送されると、当該音声ファイルを、外部機器インタフェース１２０を介して取り込む。そして中央処理ユニット１１３は、その音声ファイルをハードディスクドライブ１１７に送出して記憶する。
【０９１２】
さらに中央処理ユニット１１３は、通信処理部１２１及びネットワークインタフェース１２２を順次介してネットワーク１０２に接続し、当該ネットワーク１０２上の情報提供装置１０３にアクセスすることができる。
【０９１３】
よって中央処理ユニット１１３は、ユーザにより操作入力部１１０やタッチパネル１１５を介して音声購入ページ画像の取得が要求されると、ページ画像要求データを、通信処理部１２１及びネットワークインタフェース１２２を順次介して情報提供装置１０３に送出する。
【０９１４】
その結果、中央処理ユニット１１３は、情報提供装置１０３からページ画像データが返信されると、当該ページ画像データをネットワークインタフェース１２２及び通信処理部１２１を順次介して受信する。
【０９１５】
そして中央処理ユニット１１３は、そのページ画像データを、表示処理部１２４を介してディスプレイ１１４に送出することにより、当該ディスプレイ１１４にページ画像データに基づく音声購入ページ画像を表示する。
【０９１６】
この状態で中央処理ユニット１１３は、例えば、ユーザによりタッチパネル１１５を介して音声購入ページ画像上で購入を希望する音声データが選択されると、当該選択された音声データの購入を要求するための購入要求データを生成する。
【０９１７】
そして中央処理ユニット１１３は、その購入要求データを、通信処理部１２１及びネットワークインタフェース１２２を順次介して情報提供装置１０３に送信する。
【０９１８】
その結果、中央処理ユニット１１３は、情報提供装置１０３から、購入を要求した音声データが音声ファイルとして送信されると、当該音声ファイルを、ネットワークインタフェース１２２及び通信処理部１２１を順次介して受信する。そして中央処理ユニット１１３は、その音声ファイルをハードディスクドライブ１１７に送出して記憶する。
【０９１９】
このようにして中央処理ユニット１１３は、ハードディスクドライブ１１７に複数の画像ファイルや複数の音声ファイルを蓄積することができる。
【０９２０】
中央処理ユニット１１３は、ユーザにより操作入力部１１０やタッチパネル１１５を介して再生対象の写真画像データが選択されると、ハードディスクドライブ１１７から、その選択された写真画像データが格納された画像ファイルを読み出す。
【０９２１】
この際、中央処理ユニット１１３は、画像ファイルから写真画像データを取り出すと共に、当該写真画像データを、表示処理部１２４を介してディスプレイ１１４に送出する。これにより中央処理ユニット１１３は、ディスプレイ１１４に写真画像データに基づく写真画像を表示する。
【０９２２】
また中央処理ユニット１１３は、この際、ユーザにより複数の写真画像データが再生対象として選択されると、これら複数の写真画像データを登録した画像プレイリストを作成する。
【０９２３】
そして中央処理ユニット１１３は、その画像プレイリストに従って複数の写真画像データを順次再生してディスプレイ１１４に写真画像をスライドショーのように表示することもできる。
【０９２４】
このようにして中央処理ユニット１１３は、ユーザに、ディスプレイ１１４を介して１又は複数の写真画像を見せることができる。
【０９２５】
一方、中央処理ユニット１１３は、ユーザにより操作入力部１１０やタッチパネル１１５を介して再生対象の音声データが選択されると、ハードディスクドライブ１１７から、その選択された音声データが格納された音声ファイルを読み出す。
【０９２６】
この際、中央処理ユニット１１３は、音声ファイルから音声データを取り出すと共に、当該音声データを、データ処理回路１２５で再生処理してスピーカ１２６から音声として出力する。
【０９２７】
また中央処理ユニット１１３は、この際、ユーザにより複数の音声データが再生対象として選択されると、これら複数の音声データを登録した音声プレイリストを作成する。
【０９２８】
そして中央処理ユニット１１３は、その音声プレイリストに従って複数の音声データをデータ処理回路１２５で順次再生処理してスピーカ１２６から複数の音声として連続的に出力することもできる。
【０９２９】
このようにして中央処理ユニット１１３は、ユーザに、スピーカ１２６を介して１又は複数の音声を聴かせることができる。
【０９３０】
さらに中央処理ユニット１１３は、ハードディスクドライブ１１７に電話帳データを記憶している。また中央処理ユニット１１３は、ハードディスクドライブ１１７に、写真画像表示装置１１に割り当てられた電話番号やメールアドレス等を有する自局データも記憶している。
【０９３１】
そして中央処理ユニット１１３は、ユーザに操作入力部１１０やタッチパネル１１５を介して例えば、電話帳データを利用して電話番号が選択され、引き続き発呼命令が入力されると、その電話番号を自局データと共に用いて発呼データを生成する。
【０９３２】
そして中央処理ユニット１１３は、発呼データを、通信処理部１２１及びネットワークインタフェース１２２を順次介して、知人の通話機器（図示せず）に送信することにより、当該知人に通話機器を介してユーザからの発呼を通知する。
【０９３３】
その結果、中央処理ユニット１１３は、知人が通話を許可して当該知人の通話機器との通信が確立すると、マイクロホン１２７を介してユーザの音声を集音し、得られる音声信号をデータ処理回路１２５で処理して通話用音声データを生成する。
【０９３４】
そして中央処理ユニット１１３は、その通話用音声データを、通信処理部１２１及びネットワークインタフェース１２２を順次介して知人の通話機器に送信する。
【０９３５】
また中央処理ユニット１１３は、この際、知人の通話機器から送信された通話用音声データを、ネットワークインタフェース１２２及び通信処理部１２１を順次介して受信する。
【０９３６】
そして中央処理ユニット１１３は、その通話用音声データをデータ処理回路１２５で処理してスピーカ１２６から知人の音声として出力する。
【０９３７】
このようにして中央処理ユニット１１３は、ユーザからの通話の要求に応じて知人の通話機器との通信が確立すると、当該ユーザと知人との互いの音声の通話用音声データを送受信して、ユーザと知人とを通話させることができる。
【０９３８】
これに対し中央処理ユニット１１３は、知人の通話機器から送信された着呼データをネットワークインタフェース１２２及び通信処理部１２１を順次介して受信すると、その着呼データに基づき例えば、スピーカ１２６から着信音を出力する。
【０９３９】
また中央処理ユニット１１３は、その着呼データに基づき、表示処理部１２４を介してディスプレイ１１４に、通話を要求している知人の氏名や電話番号等を表示する。これにより中央処理ユニット１１３は、ユーザに知人からの着呼を通知する。
【０９４０】
その結果、中央処理ユニット１１３は、ユーザにより操作入力部１１０やタッチパネル１１５を介して通話が許可され、知人の通話機器との通信が確立すると、上述と同様にマイクロホン１２７及びデータ処理回路１２５を介してユーザの音声の通話用音声データを生成する。
【０９４１】
そして中央処理ユニット１１３は、その通話用音声データを、通信処理部１２１及びネットワークインタフェース１２２を順次介して知人の通話機器に送信する。
【０９４２】
また中央処理ユニット１１３は、この際、知人の通話機器から送信された通話用音声データを、ネットワークインタフェース１２２及び通信処理部１２１を順次介して受信する。
【０９４３】
そして中央処理ユニット１１３は、その通話用音声データを上述と同様にデータ処理回路１２５及びスピーカ１２６を順次介して知人の音声として出力する。
【０９４４】
このようにして中央処理ユニット１１３は、知人からの通話の要求に応じて当該知人の通話機器との通信が確立した場合も、ユーザと知人との互いの音声の通話用音声データを送受信して、ユーザと知人とを通話させることができる。
【０９４５】
また中央処理ユニット１１３は、ユーザにより操作入力部１１０やタッチパネル１１５を介して電子メールの作成が要求されると、ハードディスクドライブ１１７からメール作成画面データを読み出す。
【０９４６】
そして中央処理ユニット１１３は、メール作成画面データを、表示処理部１２４を介してディスプレイ１１４に送出して、当該ディスプレイ１１４に電子メール作成画面（図示せず）を表示する。
【０９４７】
これにより中央処理ユニット１１３は、ユーザに操作入力部１１０やタッチパネル１１５を介して電子メール作成画面上でメール本文を入力させ、電子メールの送信相手となる知人のメールアドレスを例えば、電話帳データを利用して入力させることができる。
【０９４８】
また中央処理ユニット１１３は、ユーザにより操作入力部１１０やタッチパネル１１５を介して電子メールの送信命令が入力されると、電子メール作成画面上で入力されたメール本文及びメールアドレスからなる電子メールデータを生成する。
【０９４９】
そして中央処理ユニット１１３は、その電子メールデータを通信処理部１２１及びネットワークインタフェース１２２を順次介し、メールサーバ（図示せず）経由で知人の通話機器に送信する。
【０９５０】
このようにして中央処理ユニット１１３は、ユーザの作成した電子メールを知人宛に送り、当該知人に、その電子メールを開封させて閲覧させることができる。
【０９５１】
一方、中央処理ユニット１１３は、知人の通話機器からメールサーバ経由で送信された電子メールデータをネットワークインタフェース１２２及び通信処理部１２１を順次介して受信すると、これをハードディスクドライブ１１７に一旦記憶する。
【０９５２】
そして中央処理ユニット１１３は、ユーザに例えば、ディスプレイ１１４やスピーカ１２６等を介して電子メールの受信を通知する。
【０９５３】
その結果、中央処理ユニット１１３は、ユーザにより操作入力部１１０やタッチパネル１１５を介して電子メールの開封が指示されると、ハードディスクドライブ１１７から電子メールデータを読み出す。
【０９５４】
また中央処理ユニット１１３は、電子メールデータを、表示処理部１２４を介してディスプレイ１１４に送出して、知人から送られてきた電子メールのメール本文や知人のメールアドレス等を表示してユーザに閲覧させることができる。
【０９５５】
さらに中央処理ユニット１１３は、通信処理部１２１及びネットワークインタフェース１２２を順次介してネットワーク１０２に接続し、当該ネットワーク１０２上のコミュニティーサイトや公開用サイトにアクセスすることができる。
【０９５６】
よって中央処理ユニット１１３は、ユーザにより操作入力部１１０やタッチパネル１１５を介して種々の情報のアップロードが指示されると、その情報を通信処理部１２１及びネットワークインタフェース１２２を順次介してコミュニティーサイトへ送信する。
【０９５７】
これにより中央処理ユニット１１３は、ネットワーク１０２上のコミュニティーサイトを利用して、ユーザのプロフィールや写真、日記等を公開し、また知人にメッセージを送ること等ができる。
【０９５８】
また中央処理ユニット１１３は、ユーザにより操作入力部１１０やタッチパネル１１５を介して一般公開用の情報のアップロードが指示されると、通信処理部１２１及びネットワークインタフェース１２２を順次介して公開用サイトにアクセスする。
【０９５９】
これにより中央処理ユニット１１３は、ネットワーク１０２上の公開用サイトでユーザの日記や覚書、論評等を公開することができる。
【０９６０】
ところで、中央処理ユニット１１３は、ユーザにより操作入力部１１０やタッチパネル１１５を介して情報提供装置１０３への利用者登録が要求されると、登録要求データを、通信処理部１２１及びネットワークインタフェース１２２を順次介して情報提供装置１０３に送信する。
【０９６１】
その結果、中央処理ユニット１１３は、情報提供装置１０３から送信された個人情報入力画面データを、ネットワークインタフェース１２２及び通信処理部１２１を順次介して受信すると、これを、表示処理部１２４を介してディスプレイ１１４に送出する。
【０９６２】
これにより中央処理ユニット１１３は、ディスプレイ１１４に個人情報入力画面（図示せず）を表示し、この状態でユーザに操作入力部１１０やタッチパネル１１５を介して個人情報入力画面上で利用者登録用の個人情報を入力させることができる。
【０９６３】
そして中央処理ユニット１１３は、個人情報入力画面上で入力されたユーザの個人情報を利用者登録データとして、通信処理部１２１及びネットワークインタフェース１２２を順次介して情報提供装置１０３に送信する。
【０９６４】
これにより中央処理ユニット１１３は、情報提供装置１０３に対しユーザの個人情報を記憶させて利用者登録する。
【０９６５】
また中央処理ユニット１１３は、情報提供装置１０３にユーザを利用者登録すると、その後は、利用者登録時の個人情報を、適宜内容を一部変更し、また新たな個人情報を適宜追加するようにして更新することができる。
【０９６６】
そして中央処理ユニット１１３は、ユーザを利用者登録すると、１又は複数の写真画像データを再生して写真画像を表示しながら、１又は複数の音声データを再生して音声を出力するような場合、情報提供装置１０３から種々の情報の提供を受けることができる。
【０９６７】
これにより中央処理ユニット１１３は、この際、情報提供装置１０３から提供される種々の情報を用いて、写真画像の表示中に再生する１又は複数の音声データを検索すると共に、当該検索した１又は複数の音声データを示す音声プレイリストを作成する。
【０９６８】
よって中央処理ユニット１１３は、１又は複数の写真画像データを再生して写真画像を表示している間は、音声プレイリストに従って音声データを再生して音声を聴かせることができる。
【０９６９】
ところで、写真画像表示装置１０１は、上述したように基本的には中央処理ユニット１１３がＲＯＭ１１６又はハードディスクドライブ１１７に記憶された各種プログラムに従って各種処理を実行すると共に、各ハードウェアを制御している。
【０９７０】
このため、写真画像表示装置１０１では、図３について上述した機能回路ブロックによるハードウェア構成の写真画像表示装置１１の機能に応じて、ＲＯＭ１１６又はハードディスクドライブ１１７に記憶させる各種プログラムを適宜選定する。
【０９７１】
すなわち、写真画像表示装置１０１では、各種プログラムを、上述した画像音声再生処理手順ＲＴ１や検索理由提示処理手順ＲＴ２を実行させるためのプレイリスト作成プログラムのように適宜選定する。
【０９７２】
これにより写真画像表示装置１０１では、中央処理ユニット１１３を、上述した主制御部２０、画像解析部３４、人物特定部３６、嗜好抽出部４１、検索部４５、プレイリスト作成部５０と同様に機能させることができる。
【０９７３】
また写真画像表示装置１０１では、操作入力部１１０、入力処理部１１１及びタッチパネル１１５を、上述した操作部２３と同様に機能させることができる。
【０９７４】
さらに写真画像表示装置１０１では、ハードディスクドライブ１１７を、上述した画像記憶部２２、設定情報記憶部２７、音声記憶部２８、電話帳記憶部３３と同様に機能させることができる。
【０９７５】
さらに写真画像表示装置１０１では、通信処理部１２１及びネットワークインタフェース１２２を、上述した通信制御部２９及びネットワークインタフェース３０と同様に機能させることができる。
【０９７６】
さらに写真画像表示装置１０１では、表示処理部１２４を、上述した表示制御部２４と同様に機能させ、かつディスプレイ１１４を、上述した表示部２５と同様に機能させることができる。
【０９７７】
さらに写真画像表示装置１０１では、データ処理回路１２５及びスピーカ１２６を、上述した再生制御部３１及び再生部３２と同様に機能させることができる。
【０９７８】
さらに写真画像表示装置１０１では、データ処理回路１２５及びマイクロホン１２７を、上述した集音部３５と同様に機能させ、かつ外部機器インタフェース１２０を、上述した外部機器インタフェース２１と同様に機能させることができる。
【０９７９】
従って写真画像表示装置１０１は、写真画像表示装置１１の機能に応じて、ＲＯＭ１１６又はハードディスクドライブ１１７に記憶させる各種プログラムを適宜選定することで、写真画像表示装置１１と同様に画像音声再生処理手順ＲＴ１を実行することができる。
【０９８０】
また写真画像表示装置１０１は、写真画像表示装置１１の機能に応じて、ＲＯＭ１１６又はハードディスクドライブ１１７に記憶させる各種プログラムを適宜選定することで、写真画像表示装置１１と同様に検索理由提示処理手順ＲＴ２を実行することもできる。
【０９８１】
ところで、写真画像表示装置１０１では、ＲＯＭ１１６又はハードディスクドライブ１１７にプレイリスト作成プログラムを予め記憶していても良い。
【０９８２】
また写真画像表示装置１０１では、プレイリスト作成プログラムが記憶されたコンピュータ読取可能な記憶媒体を利用して当該プレイリスト作成プログラムをインストールするようにしても良い。
【０９８３】
さらに写真画像表示装置１０１では、ローカルエリアネットワークやインターネット、デジタル衛星放送等の有線及び無線通信媒体を利用して外部からプレイリスト作成プログラムをインストールするようにしても良い。
【０９８４】
因みに、プレイリスト作成プログラムを写真画像表示装置１０１にインストールして実行可能な状態にするためのコンピュータ読取可能な記憶媒体としては、例えばフレキシブルディスクのようなパッケージメディアで実現しても良い。
【０９８５】
またプレイリスト作成プログラムを写真画像表示装置１０１にインストールして実行可能な状態にするためのコンピュータ読取可能な記憶媒体としては、ＣＤ−ＲＯＭ（Compact  Disc-Read  Only  Memory）のようなパッケージメディアで実現しても良い。
【０９８６】
さらにプレイリスト作成プログラムを写真画像表示装置１０１にインストールして実行可能な状態にするためのコンピュータ読取可能な記憶媒体としては、ＤＶＤ（Digital  Versatile  Disc）等のパッケージメディアで実現しても良い。
【０９８７】
さらに、係るコンピュータ読取可能な記憶媒体としては、パッケージメディアのみならず、各種プログラムが一時的もしくは永続的に記憶される半導体メモリや磁気ディスク等で実現しても良い。
【０９８８】
また、これらコンピュータ読取可能な記憶媒体にプレイリスト作成プログラムを記憶する手段としては、ローカルエリアネットワークやインターネット、デジタル衛星放送等の有線及び無線通信媒体を利用しても良い。
【０９８９】
さらにコンピュータ読取可能な記憶媒体には、ルータやモデム等の各種通信インタフェースを介してプレイリスト作成プログラムを記憶するようにしても良い。
【０９９０】
［３−３．情報提供装置のハードウェア回路ブロックによるハードウェア構成］
次いで、図３９を用いて情報提供装置１０３のハードウェア回路ブロックによるハードウェア回路構成について説明する。
【０９９１】
情報提供装置１０３において中央処理ユニット１３０は、ＲＯＭ１３１又はハードディスクドライブ１３２に予め記憶されている基本プログラムやアプリケーションプログラム等の各種プログラムをＲＡＭ１３３に読み出す。
【０９９２】
そして中央処理ユニット１３０は、ＲＡＭ１３３上で展開した各種プログラムに従って全体を制御すると共に各種処理を実行する。
【０９９３】
これにより中央処理ユニット１３０は、写真画像表示装置１０１から登録要求データが送信されると、当該登録要求データを、ネットワークインタフェース１３４及び通信処理部１３５を順次介して受信する。
【０９９４】
この際、中央処理ユニット１３０は、ハードディスクドライブ１３２から個人情報入力画面データを読み出して、当該個人情報入力画面データを、通信処理部１３５及びネットワークインタフェース１３４を順次介して写真画像表示装置１０１に送信する。
【０９９５】
その結果、中央処理ユニット１３０は、写真画像表示装置１０１から送信された利用者登録データを、ネットワークインタフェース１３４及び通信処理部１３５を順次介して受信すると、これに含まれる個人情報をハードディスクドライブ１３２に送出して記憶する。これにより中央処理ユニット１３０は、写真画像表示装置１０１のユーザを利用者登録する。
【０９９６】
そして中央処理ユニット１３０は、写真画像表示装置１０１のユーザを利用者登録すると、その後は、利用者登録時の個人情報を、適宜内容を一部変更し、また新たな個人情報を適宜追加するようにして更新することができる。
【０９９７】
また中央処理ユニット１３０は、写真画像表示装置１０１のユーザ以外にも、複数の人物を同様に利用者登録することができると共に、その利用者登録時に記憶した個人情報を適宜更新することができる。
【０９９８】
さらに中央処理ユニット１３０は、ハードディスクドライブ１３２に配信用の複数の音声データをそれぞれ音声ファイルとして記憶している。
【０９９９】
そして中央処理ユニット１３０は、写真画像表示装置１０１から送信されたページ画像要求データを、ネットワークインタフェース１３４及び通信処理部１３５を順次介して受信すると、ハードディスクドライブ１３２から音声購入ページ画像のページ画像データを読み出す。
【１０００】
そして中央処理ユニット１３０は、そのページ画像データを、通信処理部１３５及びネットワークインタフェース１３４を順次介して写真画像表示装置１０１に送信する。
【１００１】
その結果、中央処理ユニット１３０は、写真画像表示装置１０１から送信された購入要求データを、ネットワークインタフェース１３４及び通信処理部１３５を順次介して受信すると、ハードディスクドライブ１３２から、購入が希望された音声データの音声ファイルを読み出す。
【１００２】
そして中央処理ユニット１３０は、音声ファイルを、通信処理部１３５及びネットワークインタフェース１３４を順次介して写真画像表示装置１０１に送信する。このようにして中央処理ユニット１３０は、音声データを配信することができる。
【１００３】
また中央処理ユニット１３０は、音声データを解析し、その解析結果に基づいて抽出した音声イメージキーワードや、音声データに基づく音声のタイトル及び詞を自然言語処理し、その処理結果に基づいて抽出した音声内容キーワード等の種々の情報をハードディスクドライブ１３２に記憶している。
【１００４】
そして中央処理ユニット１３０は、写真画像表示装置１０１が写真画像データを再生して写真画像を表示しながら、１又は複数の音声データを再生して音声を出力するような場合、当該写真画像表示装置１０１に、これら種々の情報を提供することができる。
【１００５】
ところで、情報提供装置１０３は、上述したように基本的には中央処理ユニット１３０がＲＯＭ１３１又はハードディスクドライブ１３２に記憶された各種プログラムに従って各種処理を実行すると共に、各ハードウェアを制御している。
【１００６】
このため情報提供装置１０３では、図２５について上述した機能回路ブロックによるハードウェア構成の情報提供装置１３の機能に応じて、ＲＯＭ１３１又はハードディスクドライブ１３２に記憶させる各種プログラムを適宜選定する。
【１００７】
これにより情報提供装置１０３では、中央処理ユニット１３０を、上述した主制御部８０と同様に機能させることができる。
【１００８】
また情報提供装置１０３では、ハードディスクドライブ１３２を、上述した個人情報記憶部８３、辞書記憶部８４、音声記憶部８５、現在情報記憶部８６と同様に機能させることができる。
【１００９】
さらに情報提供装置１０３では、通信処理部１３５及びネットワークインタフェース１３４を、上述した通信制御部８２及びネットワークインタフェース８１と同様に機能させることができる。
【１０１０】
従って情報提供装置１０３は、情報提供装置１３の機能に応じて、ＲＯＭ１３１又はハードディスクドライブ１３２に記憶させる各種プログラムを適宜選定することにより、当該情報提供装置１３と同様の処理を実行することができる。
【１０１１】
よって情報提供装置１０３は、上述した第１の実施の形態による情報提供装置１３と同様の効果を得ることができる。
【１０１２】
ところで、情報提供装置１０３では、ＲＯＭ１３１又はハードディスクドライブ１３２にプログラムを予め記憶していても良い。
【１０１３】
また情報提供装置１０３では、プログラムが記憶されたコンピュータ読取可能な記憶媒体を利用して当該プログラムをインストールするようにしても良い。
【１０１４】
さらに情報提供装置１０３では、ローカルエリアネットワークやインターネット、デジタル衛星放送等の有線及び無線通信媒体を利用して外部からプログラムをインストールするようにしても良い。
【１０１５】
因みに、プログラムを情報提供装置１０３にインストールして実行可能な状態にするためのコンピュータ読取可能な記憶媒体としては、例えばフレキシブルディスクやＣＤ−ＲＯＭ、ＤＶＤ等のようなパッケージメディアで実現しても良い。
【１０１６】
またコンピュータ読取可能な記憶媒体としては、パッケージメディアのみならず、各種プログラムが一時的もしくは永続的に記憶される半導体メモリや磁気ディスク等で実現しても良い。
【１０１７】
さらにコンピュータ読取可能な記憶媒体にプログラムを記憶する手段としては、ローカルエリアネットワークやインターネット、デジタル衛星放送等の有線及び無線通信媒体を利用しても良い。
【１０１８】
さらにコンピュータ読取可能な記憶媒体には、ルータやモデム等の各種通信インタフェースを介してプログラムを記憶するようにしても良い。
【１０１９】
＜４．変形例＞
［４−１  変形例１］
なお上述した第１及び第２の実施の形態においては、写真画像表示装置１１及び１０１において画像音声再生モード時に再生対象の写真画像データを解析して想定領域を検出し、その検出結果をもとに人物を特定するようにした場合について述べた。
【１０２０】
しかしながら本発明は、これに限らず、写真画像表示装置１１及び１０１において画像ファイルを画像記憶部２２及びハードディスクドライブ１１７に記憶したときに、写真画像データを解析して想定領域を検出し、その検出結果をもとに人物を特定しておくようにしても良い。
【１０２１】
係る構成によれば、本発明は、画像音声再生モード時に、写真画像に写り込んでいる人物を特定する必要がない分、当該画像音声再生モード時の処理負荷を低減させることができる。
【１０２２】
また本発明は、このような写真画像データの解析を、写真画像表示装置１１及び１０１の依頼に応じて情報提供装置１３及び１０３が実行するようにしても良い。
【１０２３】
また本発明は、上述した第１及び第２の実施の形態において、写真画像に写り込んでいる人物としてユーザや当該ユーザの知人のみを特定するようにした。
【１０２４】
しかしながら、本発明は、これに限らず、情報提供装置１３を、利用者登録した種々の人物の顔特徴量と共に利用して、写真画像に写り込んでいる例えば、役者やミュージシャン、作家等の著名人のようなユーザの知人ではない人物を特定するようにしても良い。
【１０２５】
係る構成によれば、本発明は、写真画像表示装置１１及び１０１において、ユーザや知人が写り込んでいる写真画像を表示するときだけではなく、例えば、ネットワーク１２及び１０２を介して一般に公開されている写真画像データを取得して写真画像を表示するときにも、その写真画像に写り込んでいる人物の嗜好に合った音声を聴かせることができる。
【１０２６】
［４−２  変形例２］
また上述した第１及び第２の実施の形態においては、写真画像表示装置１１及び１０１において、特定人物が所有する音声データの種類を当該特定人物の嗜好として抽出するようにした場合について述べた。
【１０２７】
しかしながら、本発明は、これに限らず、例えば、人物毎に、当該人物が所有している音声データを解析して、音声のイメージを的確に表す特徴（すなわち、１又は複数の特徴項目が表す特徴）を検出しておく。
【１０２８】
そして本発明は、人物毎に、当該人物が所有している音声データに基づく音声のイメージ（イメージを的確に表す特徴）を集計して、その集計結果を嗜好として抽出するようにしても良い。
【１０２９】
また本発明は、人物毎に、当該人物が所有している音声データを解析して、音声の曲調を検出しておく。そして本発明は、人物毎に、当該人物が所有している音声データに基づく音声の曲調を集計して、その集計結果を嗜好として抽出するようにしても良い。
【１０３０】
係る構成によれば、本発明は、特定人物の嗜好に合った音声データを、音声の種類にとらわれずに、様々な種類の音声データの中から広く検索することができる。
【１０３１】
さらに本発明は、写真画像に写り込んでいる人物を１人だけ特定した場合、当該特定した１人の特定人物の音声データの種類別所有数のうち最も多い種類を嗜好として抽出するようにした。
【１０３２】
しかしながら、本発明は、写真画像に写り込んでいる人物を１人だけ特定した場合、上述したグループのときと同様に、当該特定した１人の特定人物の音声データの種類別所有数を種類別全平均所有数と比較して、その比較結果をもとに嗜好を抽出するようにしても良い。
【１０３３】
また本発明は、写真画像に写り込んでいる人物を１人だけ特定した場合、当該特定人物が所有している音声データに基づく音声のイメージや曲調の集計結果を、利用者登録した全ての人物各々が所有している音声データに基づく音声のイメージや曲調の集計結果の平均値と比較する。そして本発明は、その比較結果をもとに、１人の特定人物の嗜好を抽出するようにしても良い。
【１０３４】
さらに本発明は、写真画像に写り込んでいる人物を複数特定した場合も、当該複数の特定人物各々が所有している音声データに基づく音声のイメージや曲調の集計結果の平均値を、利用者登録した全ての人物各々が所有している音声データに基づく音声のイメージや曲調の集計結果の平均値と比較する。そして本発明は、その比較結果をもとに、複数の特定人物の共通な嗜好を抽出するようにしても良い。
【１０３５】
［４−３  変形例３］
また上述した第１及び第２の実施の形態においては、写真画像表示装置１１及び１０１において、写真画像に写り込んでいる複数の人物を特定したとき、選択表示時間が比較的短いと、複数の特定人物に共通な嗜好を抽出するようにした。
【１０３６】
そして上述した第１及び第２の実施の形態においては、写真画像表示装置１１及び１０１において、写真画像に写り込んでいる複数の人物を特定したとき、選択表示時間が比較的長いと、複数の特定人物それぞれの嗜好を抽出するようにした場合について述べた。
【１０３７】
しかしながら本発明は、これに限らず、写真画像表示装置１１及び１０１において、写真画像に写り込んでいる複数の人物を特定したとき、選択表示時間が比較的短いと、複数の特定人物それぞれの嗜好を抽出するようにしても良い。
【１０３８】
また本発明は、写真画像表示装置１１及び１０１において、写真画像に写り込んでいる複数の人物を特定したとき、選択表示時間が比較的長いと、複数の特定人物に共通な嗜好を抽出するようにしても良い。
【１０３９】
さらに本発明は、写真画像表示装置１１及び１０１において、写真画像に写り込んでいる複数の人物を特定したとき、選択表示時間の長さに関わらずに、複数の特定人物に共通な嗜好のみを抽出するようにしても良い。
【１０４０】
これに対し本発明は、写真画像表示装置１１及び１０１において、写真画像に写り込んでいる複数の人物を特定したとき、選択表示時間の長さに関わらずに、複数の特定人物それぞれの嗜好を抽出するようにしても良い。
【１０４１】
さらに本発明は、写真画像表示装置１１及び１０１において、写真画像に写り込んでいる複数の人物を特定したとき、特定人物の人数と選択表示時間の長さとに応じて、複数の特定人物に共通な嗜好と、当該複数の特定人物それぞれの嗜好との何れか一方を選択的に抽出するようにしても良い。
【１０４２】
すなわち、本発明は、係る構成の場合、写真画像表示装置１１及び１０１において、写真画像に写り込んでいる複数の人物を特定したとき、選択表示時間が比較的短いものの、特定人物の人数が比較的少ないと、複数の特定人物それぞれの嗜好を抽出する。
【１０４３】
より具体的には、本発明は、選択表示時間が比較的短くても、当該選択表示時間が、特定人物全員分の検索音声データを少なくとも１つずつ再生し得るような長さであると、複数の特定人物それぞれの嗜好を抽出する。
【１０４４】
また本発明は、係る構成の場合、写真画像表示装置１１及び１０１において、写真画像に写り込んでいる複数の人物を特定したとき、選択表示時間が比較的長いものの、特定人物の人数が比較的多いと、複数の特定人物に共通な嗜好を抽出する。
【１０４５】
より具体的には、本発明は、選択表示時間が比較的長くても、当該選択表示時間が、特定人物全員分の検索音声データを少なくとも１つずつ再生し得る長さに満たないと、複数の特定人物に共通な嗜好を抽出する。
【１０４６】
このように本発明は、写真画像に写り込んでいる複数の人物を特定した場合、当該複数の特定人物の嗜好の抽出の仕方については、種々の手法を適用することができる。
【１０４７】
［４−４  変形例４］
さらに上述した第１及び第２の実施の形態においては、写真画像表示装置１１及び１０１において、検索音声リスト４７及び選択表示時間に基づき再生対象の１又は複数の検索音声データを選定して音声プレイリスト５１を作成するようにした場合について述べた。
【１０４８】
しかしながら本発明は、これに限らず、写真画像表示装置１１及び１０１において、画像プレイリスト２６及び音声プレイリスト５１を作成する毎に、これらを作成履歴として記憶しておく。
【１０４９】
そして本発明は、写真画像表示装置１１及び１０１が画像音声再生モードにおいて音声プレイリスト５１を作成する場合、作成履歴に基づき、過去に同一の写真画像データについて音声プレイリスト５１を作成していたか否かを判別する。
【１０５０】
そして本発明は、過去にも今回と同一の写真画像データについて音声プレイリスト５１を作成している場合には、過去の音声プレイリスト５１に登録した検索音声データとは重複しないように、今回の検索音声データを選定して音声プレイリスト５１を作成するようにしても良い。
【１０５１】
係る構成によれば、本発明は、画像音声再生モード時、過去に再生対象として選択された写真画像データが、再生対象として再び選択されても、その写真画像データを再生して写真画像を表示する際、過去とは異なる検索音声データを再生することができる。
【１０５２】
これにより本発明は、画像音声再生処理を実行した場合、いつも同じ検索音声データを再生することを大幅に回避することができ、画像と音声との新たな楽しみ方を十分に享受させることができる。
【１０５３】
［４−５  変形例５］
さらに上述した第１及び第２の実施の形態においては、本発明のプレイリスト作成装置を、図１乃至図３９について上述したプレイリスト作成装置１、写真画像表示装置１１及び１０１に適用するようにした場合について述べた。
【１０５４】
しかしながら本発明は、これに限らず、パーソナルコンピュータや携帯電話機、ＰＤＡ（Personal  Digital  Assistance）、ゲーム機器等のように、この他種々の構成のプレイリスト作成装置に適用することができる。
【１０５５】
また本発明は、ネットワーク上のサーバ装置や情報提供装置１３及び１０３をプレイリスト作成装置に適用することもできる。すなわち、本発明は、写真画像表示装置１１及び１０１が上述した画像音声再生処理手順ＲＴ１を実行するようにした。
【１０５６】
しかしながら、本発明は、写真画像表示装置１１及び１０１が画像音声再生モード時、写真画像データの解析から音声プレイリストの作成まで（すなわち、上述の画像音声再生処理手順ＲＴ１のステップＳＰ１からステップＳＰ７までの処理）をサーバ装置や情報提供装置１３及び１０３に依頼して実行する。
【１０５７】
そして本発明は、写真画像表示装置１１及び１０１が画像音声再生モード時、情報提供装置１３及び１０３から、その作成した音声プレイリストを取得するようにしても良い。
【１０５８】
［４−６  変形例６］
さらに上述した第１及び第２の実施の形態においては、画像データに基づく画像に写り込んでいる人物を特定する人物特定部として、図１乃至図３９について上述した写真画像データに基づく写真画像に写り込んでいる人物を特定する人物特定部２、３６及び中央処理ユニット１１３を適用するようにした場合について述べた。
【１０５９】
しかしながら本発明は、これに限らず、動画像データに基づく動画像や、３次元立体画像データに基づく３次元立体画像に写り込んでいる人物を特定する人物特定部や、画像データに基づく画像に写り込んでいる人物を特定するハードウェア構成の人物特定回路等のように、この他種々の構成の人物特定部を広く適用することができる。
【１０６０】
［４−７  変形例７］
さらに上述した第１及び第２の実施の形態においては、人物特定部により特定された人物の嗜好を抽出する嗜好抽出部として、図１乃至図３９について上述した嗜好抽出部３、４１及び中央処理ユニット１１３を適用するようにした場合について述べた。
【１０６１】
しかしながら本発明は、これに限らず、人物特定部により特定された人物の嗜好を抽出するハードウェア構成の嗜好抽出回路等のように、この他種々の構成の嗜好抽出部を広く適用することができる。
【１０６２】
［４−８  変形例８］
さらに上述した第１及び第２の実施の形態においては、嗜好抽出部により抽出された嗜好に基づき、当該嗜好に合った音声の音声データを検索する検索部として、図１乃至図３９について上述した検索部４、４５及び中央処理ユニット１１３を適用するようにした場合について述べた。
【１０６３】
しかしながら本発明は、これに限らず、嗜好抽出部により抽出された嗜好に基づき、当該嗜好に合った音声の音声データを検索するハードウェア構成の検索回路等のように、この他種々の構成の検索部を広く適用することができる。
【１０６４】
［４−９  変形例９］
さらに上述した第１及び第２の実施の形態においては、画像データに基づく画像の表示中の、検索部により検索された音声データの再生順序を規定するプレイリストを作成するプレイリスト作成部として、図１乃至図３９について上述したプレイリスト作成部５、５０及び中央処理ユニット１１３を適用するようにした場合について述べた。
【１０６５】
しかしながら本発明は、これに限らず、画像データに基づく画像の表示中の、検索部により検索された音声データの再生順序を規定するプレイリストを作成するハードウェア構成のプレイリスト作成回路等のように、この他種々の構成のプレイリスト作成部を広く適用することができる。
【１０６６】
［４−１０  変形例１０］
さらに上述した第１及び第２の実施の形態においては、画像データに基づく画像の表示時間を選択するために用いられる操作部として、図１乃至図３９について上述した操作部２３、操作入力部１１０、入力処理部１１１及びタッチパネル１１５を適用するようにした場合について述べた。
【１０６７】
しかしながら本発明は、これに限らず、マウスやジョイスティック等のポインティングデバイス、操作ダイヤル等のように、この他種々の構成の操作部を広く適用することができる。
【１０６８】
［４−１１  変形例１１］
さらに上述した第１及び第２の実施の形態においては、プレイリストに従った音声データの再生中に、当該音声データの検索理由を提示する提示部として、図１乃至図３９について上述した主制御部２０及び表示部２５、中央処理ユニット１１３及びディスプレイ１１４を適用するようにした場合について述べた。
【１０６９】
しかしながら本発明は、これに限らず、検索理由を音声で提示する提示部や、プレイリストに従った音声データの再生中に、当該音声データの検索理由を提示するハードウェア構成の提示回路等のように、この他種々の構成の提示部を広く適用することができる。
【産業上の利用可能性】
【１０７０】
本発明は、デジタルフォトフレームやパーソナルコンピュータ、携帯電話機等のプレリスト作成装置に利用することができる。
【符号の説明】
【１０７１】
１……プレイリスト作成装置、２、３６……人物特定部、３、４１……嗜好抽出部、４、４５……検索部、５、５０……プレイリスト作成部、１０、１００……コンテンツ再生システム、１１、１０１……写真画像表示装置、１３、１０３……情報提供装置、２０、８０……主制御部、２３……操作部、２５……表示部、３１……再生制御部、３２……再生部、５１……音声プレイリスト、６０、６３、６６……人物特定写真画像、１１０……操作入力部、１１１……入力処理部、１１３、１３０……中央処理ユニット、１１４……ディスプレイ、１１５……タッチパネル、ＲＴ１……画像音声再生処理手順、ＲＴ２……検索理由提示処理手順、ＳＲＴ１……画像プレイリスト作成処理サブルーチン、ＳＲＴ２……画像解析処理サブルーチン、ＳＲＴ３……被写体特定処理サブルーチン、ＳＲＴ４……嗜好抽出処理サブルーチン、ＳＲＴ５……検索条件リスト生成処理サブルーチン、ＳＲＴ６……検索処理サブルーチン、ＳＲＴ７……音声プレイリスト作成処理サブルーチン、ＳＲＴ８……画像音声再生処理サブルーチン。
【図１】
0005779938.tif 000002
【図２】
0005779938.tif 000003
【図３】
0005779938.tif 000004
【図４】
0005779938.tif 000005
【図５】
0005779938.tif 000006
【図６】
0005779938.tif 000007
【図７】
0005779938.tif 000008
【図８】
0005779938.tif 000009
【図９】
0005779938.tif 000010
【図１０】
0005779938.tif 000011
【図１１】
0005779938.tif 000012
【図１２】
0005779938.tif 000013
【図１３】
0005779938.tif 000014
【図１４】
0005779938.tif 000015
【図１５】
0005779938.tif 000016
【図１６】
0005779938.tif 000017
【図１７】
0005779938.tif 000018
【図１８】
0005779938.tif 000019
【図１９】
0005779938.tif 000020
【図２０】
0005779938.tif 000021
【図２１】
0005779938.tif 000022
【図２２】
0005779938.tif 000023
【図２３】
0005779938.tif 000024
【図２４】
0005779938.tif 000025
【図２５】
0005779938.tif 000026
【図２６】
0005779938.tif 000027
【図２７】
0005779938.tif 000028
【図２８】
0005779938.tif 000029
【図２９】
0005779938.tif 000030
【図３０】
0005779938.tif 000031
【図３１】
0005779938.tif 000032
【図３２】
0005779938.tif 000033
【図３３】
0005779938.tif 000034
【図３４】
0005779938.tif 000035
【図３５】
0005779938.tif 000036
【図３６】
0005779938.tif 000037
【図３７】
0005779938.tif 000038
【図３８】
0005779938.tif 000039
【図３９】
0005779938.tif 000040